(57)【要約】  高密度化した情報記録媒体の記録再生制御情報が増えた場合に、記録再生制御情報を下位互換、過去互換のある形式で、定められた情報量に収めることを可能とする。  情報記録媒体には、マークとスペースとを組み合わせたデータ列を記録可能である。情報記録媒体は少なくとも１つの情報記録層を有している。少なくとも１つの情報記録層は、情報を記録するための情報記録領域と、少なくとも１つの情報記録層に記録再生を行うための制御情報領域とを有している。制御情報領域は、少なくとも１つの制御情報を有している。当該制御情報は、基準値として使用される情報が格納された第１の記録パルス情報と、オフセット値として使用される情報が格納された第２の記録パルス情報とを含む。オフセット値の情報量は、記録パルスのパルス幅またはパルス位置を、１Ｔ（Ｔ：チャネルクロック）のｎ分の１（ｎ：正の整数）の精度で定義可能なとき、少なくともｎ分の２の範囲を定義可能な情報量である。
2010103770.tif 000002
【特許請求の範囲】
【請求項１】
マークとスペースとを組み合わせたデータ列が記録可能な情報記録媒体において、
前記情報記録媒体は少なくとも１つの情報記録層を有し、
前記少なくとも１つの情報記録層は、情報を記録するための情報記録領域と、前記少なくとも１つの情報記録層に記録再生を行うための制御情報領域とを有し、
前記制御情報領域は、少なくとも１つの制御情報を有し、
前記少なくとも１つの制御情報は、基準値として使用される情報が格納された第１の記録パルス情報と、オフセット値として使用される情報が格納された第２の記録パルス情報とを有しており、
前記オフセット値の情報量は、記録パルスのパルス幅またはパルス位置を、１Ｔ（Ｔ：チャネルクロック）のｎ分の１（ｎ：正の整数）の精度で定義可能なとき、少なくともｎ分の２の範囲を定義可能な情報量である、情報記録媒体。
【請求項２】
前記第１の記録パルス情報は、前または後ろのスペースの長さが、５Ｔ以上（Ｔ：チャネルクロック）のときの記録パルスに関して基準値として使用される情報を有する、請求項１に記載の情報記録媒体。
【請求項３】
前記第１の記録パルス情報には、ｎＴ以下（ｎ：整数）のマーク長さまで、各マーク長さにおいて、少なくとも１つの基準値として使用される情報が定義されている、請求項１に記載の情報記録媒体。
【請求項４】
前記第２の記録パルス情報には、最短となるマークについてのみ、前スペースかつ後スペースで分類されたオフセット値として使用される情報が定義されている、請求項１に記載の情報記録媒体。
【請求項５】
請求項１に記載の情報記録媒体へ情報を記録する方法であって、
前記制御情報領域から前記制御情報を読み出すステップと、
読み出された前記制御情報に含まれる前記第１の記録パルス情報と前記第２の記録パルス情報とに基づいて、前記情報記録領域へ記録するための記録波形を調整するステップと、
調整された前記記録波形に基づいて、前記情報記録領域へデータ列を記録するステップと、を含む、記録方法。
【請求項６】
請求項１に記載の情報記録媒体から情報を再生する方法であって、
前記情報記録領域へレーザを照射するステップと、
前記制御情報に含まれる前記第１の記録パルス情報と前記第２の記録パルス情報とに基づいて調整された記録波形によって、前記情報記録領域へ記録されたデータ列を再生するステップと、を含む、再生方法。
【請求項７】
マークとスペースとを組み合わせたデータ列が記録可能な情報記録媒体を製造するための方法であって、
基板上に情報記録層を積層し、前記情報記録層上に透明保護層を積層するステップと、
前記情報記録層に、情報を記録するための情報記録領域を形成するステップと、
前記情報記録層に記録再生を行うための情報である制御情報を記録するための制御情報領域を形成するステップと、
前記制御情報領域に前記制御情報を記録するステップと、を有し、
前記制御情報は、基準値として用いられる情報が格納された第１の記録パルス情報と、オフセット値として用いられる情報が格納された第２の記録パルス情報とを有しており、
前記オフセット値の情報量は、記録パルスのパルス幅またはパルス位置を、１Ｔ（Ｔ：チャネルクロック）のｎ分の１（ｎ：正の整数）の精度で定義可能なとき、少なくともｎ分の２の範囲を定義可能な情報量である、情報記録媒体の製造方法。
【請求項８】
請求項７に記載の製造方法によって製造された情報記録媒体へ情報を記録する方法であって、
前記制御情報領域から前記制御情報を読み出すステップと、
読み出された前記制御情報に含まれる前記第１の記録パルス情報と前記第２の記録パルス情報とに基づいて、前記情報記録領域へ記録するための記録波形を調整するステップと、
調整された前記記録波形に基づいて、前記情報記録領域へデータ列を記録するステップと、を含む、記録方法。
【請求項９】
請求項７に記載の製造方法によって製造された情報記録媒体から情報を再生する方法であって、
前記情報記録領域へレーザを照射するステップと、
前記制御情報に含まれる前記第１の記録パルス情報と前記第２の記録パルス情報とに基づいて調整された記録波形によって、前記情報記録領域に記録されたデータ列を再生するステップと、を含む、再生方法。
【請求項１０】
マークとスペースとを組み合わせたデータ列が記録可能な情報記録媒体において、
前記情報記録媒体は少なくとも１つの情報記録層を有し、
前記少なくとも１つの情報記録層は、情報を記録するための情報記録領域と、前記少なくとも１つの情報記録層に記録再生を行うための制御情報領域とを有し、
前記制御情報領域は、少なくとも１つの制御情報を有し、
前記少なくとも１つの制御情報は、基準値として使用される情報が格納された第１の記録パルス情報と、オフセット値として使用される情報が格納された第２の記録パルス情報とを有しており、
前記オフセット値の情報量は、前記基準値の情報量の２分の１以上である、情報記録媒体。
【請求項１１】
前記第１の記録パルス情報は、前または後ろのスペースの長さが、５Ｔ以上（Ｔ：チャネルクロック）のときの記録パルスに関して基準値として使用される情報を有する、請求項１０に記載の情報記録媒体。
【請求項１２】
前記第１の記録パルス情報には、ｎＴ以下（ｎ：整数）のマーク長さまで、各マーク長さにおいて、少なくとも１つの基準値として使用される情報が定義されている、請求項１０に記載の情報記録媒体。
【請求項１３】
前記第２の記録パルス情報には、最短となるマークについてのみ、前スペースかつ後スペースで分類された、オフセット値として使用される情報が定義されている、請求項１０に記載の情報記録媒体。
【請求項１４】
請求項１０に記載の情報記録媒体へ情報を記録する方法であって、
前記制御情報領域から前記制御情報を読み出すステップと、
読み出された前記制御情報に含まれる前記第１の記録パルス情報と前記第２の記録パルス情報とに基づいて、前記情報記録領域へ記録するための記録波形を調整するステップと、
調整された前記記録波形に基づいて、前記情報記録領域へデータ列を記録するステップと、を含む、記録方法。
【請求項１５】
請求項１０に記載の情報記録媒体から情報を再生する方法であって、
前記情報記録領域へレーザを照射するステップと、
前記制御情報に含まれる前記第１の記録パルス情報と前記第２の記録パルス情報とに基づいて調整された記録波形によって、前記情報記録領域へ記録されたデータ列を再生するステップと、を含む、再生方法。
【請求項１６】
マークとスペースとを組み合わせたデータ列が記録可能な情報記録媒体を製造するための方法であって、
基板上に情報記録層を積層し、前記情報記録層上に透明保護層を積層するステップと、
前記情報記録層に、情報を記録するための情報記録領域を形成するステップと、
前記情報記録層に記録再生を行うための情報である制御情報を記録するための制御情報領域を形成するステップと、
前記制御情報領域に前記制御情報を記録するステップと、を有し、
前記制御情報は、基準値として用いられる情報が格納された第１の記録パルス情報と、オフセット値として用いられる情報が格納された第２の記録パルス情報とを有しており、
前記オフセット値の情報量は、前記基準値の情報量の２分の１以上である、情報記録媒体の製造方法。
【請求項１７】
請求項１６に記載の製造方法によって製造された情報記録媒体へ情報を記録する方法であって、
前記制御情報領域から前記制御情報を読み出すステップと、
読み出された前記制御情報に含まれる前記第１の記録パルス情報と前記第２の記録パルス情報とに基づいて、前記情報記録領域へ記録するための記録波形を調整するステップと、
調整された前記記録波形に基づいて、前記情報記録領域へデータ列を記録するステップと、を含む、記録方法。
【請求項１８】
請求項１６に記載の製造方法によって製造された情報記録媒体から情報を再生する方法であって、
前記情報記録領域へレーザを照射するステップと、
前記制御情報に含まれる前記第１の記録パルス情報と前記第２の記録パルス情報とに基づいて調整された記録波形によって、前記情報記録領域へ記録されたデータ列を再生するステップと、を含む、再生方法。
【発明の詳細な説明】
【技術分野】
【０００１】
本発明は、情報記録媒体に対して情報を記録する際に、記録パルスを制御するための情報（記録再生制御情報）を格納するための技術に関する。
【背景技術】
【０００２】
従来、情報記録媒体には、記録を行う際の記録再生制御情報が、情報記録媒体に記載されている。【０００３】
例えば、光ディスクにおいては、特許文献１に記載されているように、Ｂｌｕ−ｒａｙＤｉｓｃ（「ブルーレイディスク」；以下、「ＢＤ」と略す。）の場合、「ディスク情報（以下、ＤＩと略す）」と呼ばれる記録再生制御情報が含まれる情報が記載されている。【０００４】
また、ＤＶＤ−ＲＡＭ、ＤＶＤ−ＲＷ、ＤＶＤ＋ＲＷ、ＤＶＤ−Ｒ、ＤＶＤ＋Ｒの場合、「物理的フォーマット情報（以下、ＰＦＩと略す）」が上記ＤＩに相当する。【０００５】
また、記録再生制御情報が媒体に記載されている場合でも、上記ＤＩやＰＦＩと同一の形式、または準ずる形式で、情報記録媒体内の許可された領域に、情報記録媒体の記録再生装置によって記録され、または、記録再生装置の内部メモリなどに保持される場合がある。【０００６】
ここでＢＤのＤＩを例に挙げて、記録再生制御情報を説明する。【０００７】
図１にＢＤの構造の模式的な図を示す。【０００８】
情報を記録する層を１つしか持たない単層メディアの場合は、１つしかない記録層が図１の構造となっており、情報記録層が２つ以上の多層メディアの場合は、各層に図１の構造を持つか、または少なくとも１つ以上の層が図１の構造になっている。【０００９】
特許文献１によると、ＤＩは、図１に示すＢＤ構造図内の、リードイン領域１１と呼ばれる領域に少なくとも１つ以上記載されている。【００１０】
特許文献１によると、ＤＩは１１２バイトであり、１つのＤＩには、１つの層、１つの倍速に対応した、１つの記録パルス形状が記載されている。【００１１】
ＤＩの模式図を図２に示す。【００１２】
ＤＩは、ヘッダ情報２１、記録再生制御情報２２、フッタ情報２３から構成されている。また、記録再生制御情報は、ディスク種別やディスク構造に関する情報が記載されたディスク制御部２４、記録時や再生時のパワーを制御するパワー情報部２５、記録時の記録パルス形状を制御する記録パルス情報部２６からなる。【００１３】
光ディスクにおいて、記録マークを形成するための記録パルスは、各パルスのパワーレベルを示すパワー情報と、各パルスの位置やパルス幅を示す記録パルス情報から成り立つ。【００１４】
上記、記録パルスのことをライトストラテジ（Ｗｒｉｔｅ  Ｓｔｒａｔｅｇｙ；「ＷＳ」と記述されることもある。）と呼ぶ。【００１５】
ライトストラテジのパワー情報はパワー情報部２５、記録パルス情報は記録パルス情報部２６にそれぞれ記載されている。【００１６】
図３に示す記録パルス形状の一例を用いて、パワー情報と記録パルス情報を説明する。【００１７】
図３は、チャネルクロックＴに対して、Ｔの８倍の長さ（＝８Ｔ）となるマークを形成するための記録パルス形状の一例を示している。【００１８】
図３の場合、パワー情報は、ピークパワーＰｗ３１、スペースパワーＰｓ３２、クーリングパワーＰｃ３３、ボトムパワーＰｂ３４のような、記録パルスの振幅方向のパラメータに関する情報を含む。【００１９】
記録パルス情報は、トップパルス幅Ｔｔｏｐ３５、トップパルス開始位置ｄＴｔｏｐ３６、マルチパルス幅Ｔｍｐ３７、ラストパルス幅３８、クーリングパルス終了位置ｄＴｓ３９のような、記録パルスの時間軸方向のパラメータに関する情報を含む。【００２０】
これらのパラメータが、例えば図４のような形式でＤＩに格納されている。また、このような記録再生制御情報は、図４と同一の形式、または準ずる形式で、情報記録媒体の記録再生装置によって、情報記録媒体内の許可された領域に記録されることもある。【００２１】
他にも、情報記録媒体の記録再生装置が、記録再生制御情報を、内部メモリなどに保持している場合もある。【００２２】
上記の記録再生制御情報に加えて、記録の高倍速化や高密度化などにより、マーク間の熱干渉の影響が、マークの前または後ろに位置するスペースの長さに依存するようになる。【００２３】
上記のような現象が見られるとき、全ての前または後ろスペース長さに対して同じ記録パルス情報で記録を行うと、記録マークの前または後ろに位置するスペースの長さによって、記録マーク長さが変わってしまう。【００２４】
そのため、各マーク長さのみでなく、マークの前または後ろに位置するスペース長さとの関係によって、各々の記録パルス情報が定義されることもある。
【先行技術文献】
【特許文献】
【００２５】
【特許文献１】特開２００６−３１３６２１号公報
【非特許文献】
【００２６】
【非特許文献１】図解  ブルーレイディスク読本  オーム社
【発明の概要】
【発明が解決しようとする課題】
【００２７】
近年、情報記録媒体の高密度化により、記録マークの最短マーク長が検出系に依存する分解能の限界に近づいている。【００２８】
例えば、情報記録媒体が光ディスク媒体である場合では、検出系に依存する分解能とはレーザ光を集光した光スポットの大きさによる光学的な分解能を指す。【００２９】
その分解能の限界のため、符号間干渉の増大およびＳＮＲ（Ｓｉｇｎａｌ  Ｎｏｉｓｅ  Ｒａｔｉｏ）の劣化がより顕著となる。【００３０】
以下に、例えば、４０５ｎｍの波長を有する青色レーザを用いた１２ｃｍの光ディスク媒体で説明する。【００３１】
非特許文献１によれば、青色レーザを用いた光ディスク媒体で、レーザ光を集光させた光スポットサイズは３９０ｎｍであり、記録符号にＲＬＬ（１，７）を用いた記録層１層当たりの記録容量が２５ＧＢの場合、最短マークの長さは１４９ｎｍとなる。【００３２】
また、この光ディスク媒体で、１層当たりの記録容量を３３．３ＧＢとした場合、最短マークの長さは１１２ｎｍとなる。更なる高密度化を測ろうとすれば、さらに最短マークの長さは短くなる。【００３３】
同じ検出系を使用した場合、図５（ａ）に示すように、記録容量２５ＧＢでは、光スポット５１の中に最短マーク２．６個分が入る大きさであったものが、図５（ｂ）に示すように、記録容量３３．３ＧＢでは、光スポット５１の中に最短マーク３．５個分入る大きさとなり、光ディスク媒体の検出系となる光スポットサイズに対してのマークの長さが短くなる。【００３４】
このため、光スポットサイズに入ってくるマークとスペースの組み合わせが、マークと前または後ろに位置するスペースが１つずつのパターンだけでなく、複数のマークとスペースを有するパターンとなるものもある。【００３５】
以下、現在時刻ｉのマークについて、複数のマークまたはスペースを含むパターンとの関係の一例を図６に示す。【００３６】
図６（ａ）は、現在時刻ｉのマークと、時刻ｉ−１の前スペース、時刻ｉ＋１の後ろスペースとの組み合わせを示している。【００３７】
図６（ｂ）は、現在時刻ｉのマークと、時刻ｉ−２の前マーク、時刻ｉ−１の前スペースとの組み合わせを示している。【００３８】
図６（ｃ）は、現在時刻ｉのマークと、時刻ｉ＋１の後ろスペース、時刻ｉ＋２の後ろマークとの組み合わせを示している。【００３９】
図６（ｄ）は、現在時刻ｉのマークと、時刻ｉ−１の前スペース、時刻ｉ＋１の後ろスペース、時刻ｉ＋２の後ろマークとの組み合わせを示している。【００４０】
図６（ｅ）は、現在時刻ｉのマークと、時刻ｉ−２の前マーク、時刻ｉ−１の前スペース、時刻ｉ＋１の後ろスペースとの組み合わせを示している。【００４１】
故に、記録密度が高密度化された場合、記録パルス情報がマークと前または後ろスペースの組み合わせによって定義されるだけでなく、図６に示したような前後スペース、前マークと前スペース、後ろマークと後ろスペース、前後スペースと前マーク、前後スペースと後ろマークとの組み合わせによっても定義されることが考えられる。【００４２】
さらに、高密度記録を行うには、記録パルス情報の分解能を上げることで、記録性能を確保することも考えられる。【００４３】
上記のように、高密度化することにより、記録パルス情報が拡張され、記録再生制御情報の情報量が増えることが想定される。【００４４】
情報量が増えることにより、ＤＩやＰＦＩのような、情報量が定められた記録再生制御情報格納部に収まらなくなるという課題が起こる。【００４５】
上記課題に対して、記録再生制御情報格納部の形式を変更することが考えられるが、形式を変更することで、下位互換や過去互換がなくなってしまう。【００４６】
また、２つ以上の記録再生制御情報格納部に分けて、増えた情報を格納することも考えられる。しかし、２つ以上にわけることで、情報の読み出しが遅くなってしまうことや、ＤＩやＰＦＩの数が増えることで、リードイン領域の容量を圧迫する課題が発生してしまう。【００４７】
本発明は上記従来の課題を解決するためになされたものであり、その目的は、高密度化した情報記録媒体の記録再生制御情報が増えた場合に、記録再生制御情報を下位互換、過去互換のある形式で、定められた情報量に収めることを可能とする、情報記録媒体の記録再生制御情報構成方法、および、情報記録媒体記録再生装置を提供することにある。
【課題を解決するための手段】
【００４８】
本発明による情報記録媒体は、マークとスペースとを組み合わせたデータ列が記録可能な情報記録媒体であって、前記情報記録媒体は少なくとも１つの情報記録層を有し、前記少なくとも１つの情報記録層は、情報を記録するための情報記録領域と、前記少なくとも１つの情報記録層に記録再生を行うための制御情報領域とを有し、前記制御情報領域は、少なくとも１つの制御情報を有し、前記少なくとも１つの制御情報は、基準値として使用される情報が格納された第１の記録パルス情報と、オフセット値として使用される情報が格納された第２の記録パルス情報とを有しており、前記オフセット値の情報量は、前記基準値の情報量の２分の１以上である。【００４９】
前記第１の記録パルス情報は、前または後ろのスペースの長さが、５Ｔ以上（Ｔ：チャネルクロック）のときの記録パルスに関して基準値として使用される情報を有していてもよい。【００５０】
前記第１の記録パルス情報には、ｎＴ以下（ｎ：整数）のマーク長さまで、各マーク長さにおいて、少なくとも１つの基準値として使用される情報が定義されていてもよい。【００５１】
前記第２の記録パルス情報には、最短となるマークについてのみ、前スペースかつ後スペースで分類された、オフセット値として使用される情報が定義されていてもよい。【００５２】
本発明による方法は、上述の情報記録媒体へ情報を記録する方法であって、前記制御情報領域から前記制御情報を読み出すステップと、読み出された前記制御情報に含まれる前記第１の記録パルス情報と前記第２の記録パルス情報とに基づいて、前記情報記録領域へ記録するための記録波形を調整するステップと、調整された前記記録波形に基づいて、前記情報記録領域へデータ列を記録するステップと、を含む。【００５３】
本発明による方法は、上述の情報記録媒体から情報を再生する方法であって、前記情報記録領域へレーザを照射するステップと、前記制御情報に含まれる前記第１の記録パルス情報と前記第２の記録パルス情報とに基づいて調整された記録波形によって、前記情報記録領域へ記録されたデータ列を再生するステップと、を含む。【００５４】
本発明による方法は、マークとスペースとを組み合わせたデータ列が記録可能な情報記録媒体を製造するための方法であって、基板上に情報記録層を積層し、前記情報記録層上に透明保護層を積層するステップと、前記情報記録層に、情報を記録するための情報記録領域を形成するステップと、前記情報記録層に記録再生を行うための情報である制御情報を記録するための制御情報領域を形成するステップと、前記制御情報領域に前記制御情報を記録するステップと、を有し、前記制御情報は、基準値として用いられる情報が格納された第１の記録パルス情報と、オフセット値として用いられる情報が格納された第２の記録パルス情報とを有しており、前記オフセット値の情報量は、前記基準値の情報量の２分の１以上である。【００５５】
本発明による方法は、上述の製造方法によって製造された情報記録媒体へ情報を記録する方法であって、前記制御情報領域から前記制御情報を読み出すステップと、読み出された前記制御情報に含まれる前記第１の記録パルス情報と前記第２の記録パルス情報とに基づいて、前記情報記録領域へ記録するための記録波形を調整するステップと、調整された前記記録波形に基づいて、前記情報記録領域へデータ列を記録するステップと、を含む、記録方法。【００５６】
本発明による方法は、上述の製造方法によって製造された情報記録媒体から情報を再生する方法であって、前記情報記録領域へレーザを照射するステップと、前記制御情報に含まれる前記第１の記録パルス情報と前記第２の記録パルス情報とに基づいて調整された記録波形によって、前記情報記録領域へ記録されたデータ列を再生するステップと、を含む。【００５７】
本発明による情報記録媒体は、マークとスペースとを組み合わせたデータ列が記録可能な情報記録媒体であって、前記情報記録媒体は少なくとも１つの情報記録層を有し、前記少なくとも１つの情報記録層は、情報を記録するための情報記録領域と、前記少なくとも１つの情報記録層に記録再生を行うための制御情報領域とを有し、前記制御情報領域は、少なくとも１つの制御情報を有し、前記少なくとも１つの制御情報は、基準値として使用される情報が格納された第１の記録パルス情報と、オフセット値として使用される情報が格納された第２の記録パルス情報とを有しており、前記オフセット値の情報量は、記録パルスのパルス幅またはパルス位置を、１Ｔ（Ｔ：チャネルクロック）のｎ分の１（ｎ：正の整数）の精度で定義可能なとき、少なくともｎ分の２の範囲を定義可能な情報量である。【００５８】
前記第１の記録パルス情報は、前または後ろのスペースの長さが、５Ｔ以上（Ｔ：チャネルクロック）のときの記録パルスに関して基準値として使用される情報を有していてもよい。【００５９】
前記第１の記録パルス情報には、ｎＴ以下（ｎ：整数）のマーク長さまで、各マーク長さにおいて、少なくとも１つの基準値として使用される情報が定義されていてもよい。【００６０】
前記第２の記録パルス情報には、最短となるマークについてのみ、前スペースかつ後スペースで分類されたオフセット値として使用される情報が定義されていてもよい。【００６１】
本発明による方法は、上述の情報記録媒体へ情報を記録する方法であって、前記制御情報領域から前記制御情報を読み出すステップと、読み出された前記制御情報に含まれる前記第１の記録パルス情報と前記第２の記録パルス情報とに基づいて、前記情報記録領域へ記録するための記録波形を調整するステップと、調整された前記記録波形に基づいて、前記情報記録領域へデータ列を記録するステップと、を含む。【００６２】
本発明による方法は、上述の情報記録媒体から情報を再生する方法であって、前記情報記録領域へレーザを照射するステップと、前記制御情報に含まれる前記第１の記録パルス情報と前記第２の記録パルス情報とに基づいて調整された記録波形によって、前記情報記録領域へ記録されたデータ列を再生するステップと、を含む。【００６３】
本発明による方法は、マークとスペースとを組み合わせたデータ列が記録可能な情報記録媒体を製造するための方法であって、基板上に情報記録層を積層し、前記情報記録層上に透明保護層を積層するステップと、前記情報記録層に、情報を記録するための情報記録領域を形成するステップと、前記情報記録層に記録再生を行うための情報である制御情報を記録するための制御情報領域を形成するステップと、前記制御情報領域に前記制御情報を記録するステップと、を有し、前記制御情報は、基準値として用いられる情報が格納された第１の記録パルス情報と、オフセット値として用いられる情報が格納された第２の記録パルス情報とを有しており、前記オフセット値の情報量は、記録パルスのパルス幅またはパルス位置を、１Ｔ（Ｔ：チャネルクロック）のｎ分の１（ｎ：正の整数）の精度で定義可能なとき、少なくともｎ分の２の範囲を定義可能な情報量である。【００６４】
本発明による方法は、上述の製造方法によって製造された情報記録媒体へ情報を記録する方法であって、前記制御情報領域から前記制御情報を読み出すステップと、読み出された前記制御情報に含まれる前記第１の記録パルス情報と前記第２の記録パルス情報とに基づいて、前記情報記録領域へ記録するための記録波形を調整するステップと、調整された前記記録波形に基づいて、前記情報記録領域へデータ列を記録するステップと、を含む。【００６５】
本発明による方法は、上述の製造方法によって製造された情報記録媒体から情報を再生する方法であって、前記情報記録領域へレーザを照射するステップと、前記制御情報に含まれる前記第１の記録パルス情報と前記第２の記録パルス情報とに基づいて調整された記録波形によって、前記情報記録領域に記録されたデータ列を再生するステップと、を含む。
【発明の効果】
【００６６】
本発明によれば、複数のトラックを有し、前記トラックへのレーザ光のパルス照射によりマークを形成し、情報をマークとスペースが交互に並べられたデータ列として記録される情報記録媒体において、前記情報記録媒体は少なくとも１つの情報を記録するための情報記録層を有し、前記情報記録層は、情報を記録するための情報記録領域を有し、少なくとも１つの前記情報記録層に記録再生を行うための制御情報領域を有し、前記制御情報領域には、少なくとも１つの制御情報を有し、１つの前記制御情報は、第１の記録パルス情報と第２の記録パルス情報を有し、前記第１の記録パルス情報のみ、もしくは前記第１の記録パルス情報と前記第２の記録パルス情報の両方を基に情報の記録を行うことが可能であり、前記第１の記録パルス情報のみを用いれば、拡張された記録パルスに対応していない情報記録再生装置においても記録を行うことが可能であり、拡張された記録パルスに対応している情報記録再生装置では、高密度記録においても、符号間干渉や熱干渉の影響を考慮し、拡張された記録パルスによって、よりＳＮＲが良い記録品質を得ることが可能となる。
【図面の簡単な説明】
【００６７】
【図１】ＢＤの構造模式図である。
【図２】ＢＤのＤＩ情報の模式図である。
【図３】記録パルス形状の一例を示す図である。
【図４】ＤＩ情報の一例である。
【図５】（ａ）および（ｂ）は、記録容量の異なる光ディスクにおける、光スポットサイズとマーク長さとの関係の一例を示す図である。
【図６】（ａ）〜（ｅ）は、光スポットサイズと複数のマークまたはスペースを含むパターンとの関係の一例を示す図である。
【図７】キャッスル型ライトストラテジの一例を示す図である。
【図８】ヘッダ情報部８１１と、記録再生制御情報部８１２と、フッタ情報部８１３とを有するディスク情報を示す図である。
【図９】（ａ）〜（ｃ）は、拡張したキャッスル型ライトストラテジの記録再生制御情報の構成の一例を示す図である。
【図１０】実施形態１による光ディスク装置１０００を示す図である。
【図１１】Ｎ−１型ライトストラテジの一例を示す図である。
【図１２】ヘッダ情報部８１１、記録再生制御情報部８１２とフッタ情報部８１３を有するディスク情報を示す図である。
【図１３】（ａ）〜（ｃ）は、拡張したＮ−１型ライトストラテジの記録再生制御情報の構成の一例を示す図である。
【図１４】Ｎ／２型ライトストラテジの一例を示す図である。
【図１５】Ｎ／２型ライトストラテジの記録再生制御情報の構成の一例を示す図である。
【図１６】実施形態４における情報記録媒体の平面図である。
【図１７】制御情報領域のフォーマットの一例を示す図である。
【図１８】キャッスル型ライトストラテジの記録パルス形状の一例を示す図である。
【図１９】ＤＩ２０１におけるＤＩ２０１−１の各情報の配置例を示す図である。
【図２０】ＤＩ２０１におけるＤＩ２０１−２の各情報の配置例を示す図である。
【図２１】ＢＤの領域構造の模式図である。
【図２２】ＢＤのＤＩの模式図である。
【図２３】記録パルス形状の一例を示す図である。
【図２４】ＤＩにおける格納形式の一例を示す図である。
【図２５】（ａ）および（ｂ）は、記録容量の異なる光ディスクにおける、光スポットサイズとマーク長さとの関係の一例を示す図である。
【図２６】光スポット２００１のサイズと複数のマークまたはスペースを含むパターンとの関係の一例を示す図である。
【図２７】ＤＩの分離パターンの説明図である。
【図２８】従来の密度で記録を行う情報記録媒体のＤＩの一例を示す図である。
【図２９】高密度記録を行う情報記録媒体の１番目のＤＩの一例を示す図である。
【図３０】高密度記録を行う情報記録媒体の２番目のＤＩの一例を示す図である。
【図３１】マーク始端に関するパラメータを１番目のＤＩに格納したときの格納例を示す図である。
【図３２】マーク終端に関するパラメータを２番目のＤＩに格納したときの格納例を示す図である。
【図３３】バイト数が多いパラメータを１番目のＤＩに格納したときの１番目のＤＩの格納例を示す図である。
【図３４】バイト数が多いパラメータを１番目のＤＩに格納したときの２番目のＤＩの格納例を示す図である。
【図３５】制御情報領域のフォーマットの一例を示す図である。
【図３６】不足ＤＩ有無情報２２３の構成例を示す図である。
【図３７】多層ディスクの一般的な構成例を示す図である。
【図３８】単層ディスクの構成例を示す図である。
【図３９】二層ディスクの構成例を示す図である。
【図４０】三層ディスクの構成例を示す図である。
【図４１】四層ディスクの構成例を示す図である。
【図４２】実施形態６による光ディスク１の物理的構成を示す図である。
【図４３】（Ａ）は２５ＧＢのＢＤの例を示す図であり、（Ｂ）は、２５ＧＢのＢＤよりも高記録密度の光ディスクの例を示す図である。
【図４４】トラック上に記録されたマーク列に光ビームを照射させている様子を示す図である。
【図４５】２５ＧＢ記録容量の場合のＯＴＦと最短記録マークとの関係を示すグラフである。
【図４６】最短マーク（２Ｔ）の空間周波数がＯＴＦカットオフ周波数よりも高く、かつ、２Ｔの再生信号の振幅が０であるときの、信号振幅と空間周波数との関係の一例を示したグラフである。
【図４７】マルチパルス型のストラテジの第１の記録波形を示した図である。
【図４８】マルチパルス型のストラテジの第２の記録波形を示した図である。
【図４９】マルチパルス型のストラテジの第３の記録波形を示した図である。
【発明を実施するための形態】
【００６８】
以下、添付の図面を参照しながら、本発明の実施形態を説明する。同様の構成要素には同様の参照符号を付し、同様の説明の繰り返しは省略する。
【００６９】
以下の実施形態１、２および４においては、本願発明の説明に関連して種々のライトストラテジを説明している。それらに加え、実施形態６においてもライトストラテジの詳細を説明している。
【００７０】
（実施形態１）
はじめに、第１の実施形態にかかる情報記録媒体の記録再生制御情報の構成方法を説明する。
【００７１】
図１０は、本実施形態による光ディスク装置１０００を示す図である。
【００７２】
光ディスク装置１０００は、搭載された情報記録媒体１００１から情報の再生を行い、または、情報記録媒体１００１へ情報の記録を行う。
【００７３】
情報記録媒体１００１は、例えば光ディスクである。
【００７４】
光ディスク装置１０００は、光ヘッド部１００２と、レーザ制御部１００３と、記録パルス生成部１００４と、再生信号処理部１００５と、データ処理部１００６と、コントローラ部１００７と、メモリ部１００８とを備える。
【００７５】
まず、光ディスク装置１０００の再生動作を説明する。
【００７６】
光ヘッド部１００２は、対物レンズを通過したレーザ光を情報記録媒体１００１の記録層に収束させ、その反射光を受光して、情報記録媒体１００１に記録された情報を示すアナログ再生信号を生成する。
【００７７】
情報記録媒体１００１から再生されたアナログ再生信号は、再生信号処理部１００５にて信号処理される。再生信号処理部１００５は、２値化信号をデータ処理部１００６に渡す。
【００７８】
データ処理部１００６は、受け取った２値化信号から再生データを生成してコントローラ部１００７に渡す。
【００７９】
次に、光ディスク装置１０００の記録動作を説明する。
【００８０】
コントローラ部１００７は、記録データと記録再生制御情報とを記録パルス生成部１００４に渡す。
【００８１】
この記録再生制御情報は、情報記録媒体１００１に記録されている。
【００８２】
記録パルス生成部１００４は、受け取った記録データと記録条件に基づいて、記録信号を生成する。記録パルス生成部１００４は記録信号をレーザ制御部１００３に渡す。
【００８３】
生成された記録信号を受け取ったレーザ制御部１００３は、記録信号をもとに、光ヘッド部に搭載されたレーザの発光を制御して、情報記録媒体１００１にマークを形成する。これによりデータが記録される。
【００８４】
次に、記録時の記録パルス形状の一例を説明する。
【００８５】
図７は、キャッスル（Ｃａｓｔｌｅ）型と呼ばれるライトストラテジを示す。一例として、記録符号にＲＬＬ（１，７）を用いたとき、最短マークとなる２Ｔマーク（Ｔはチャネルクロック）から８Ｔマークまでと、データ開始位置などのタイミングを検出するためのＳｙｎｃパターンに用いる９Ｔマークを加えた記録マークを形成する際の記録パルス形状が示されている。
【００８６】
図７に示すキャッスル型ライトストラテジの２Ｔマークは、２Ｔ−ｄＴｔｏｐ７０６の時点を開始時間として、２Ｔ−Ｔｏｐ７０５で定義される時間を、ピークパワーＰｗ７０１でレーザ発光するトップパルスと、当該トップパルスの立ち下り時間から、２Ｔ−ｄＴｓ７０７で定義されるクーリングパワーＰｃ７０４からスペースパワーＰｓ７０３への立ち上がり時間までの間、クーリングパワーＰｃ７０４でレーザ発光するクーリングパルスとを有する。
【００８７】
図７に示すキャッスル型ライトストラテジの３Ｔマークは、３Ｔ−ｄＴｔｏｐ７０９の時点を開始時間とし、３Ｔ−Ｔｏｐ７０８で定義される時間を、ピークパワーＰｗ７０１でレーザ発光するトップパルスと、当該トップパルスの立ち下り時間から、２Ｔ−ｄＴｓ７０７で定義されるクーリングパワーＰｃ７０４からスペースパワーＰｓ７０３への立ち上がり時間までの間、Ｐｃ７０４でレーザ発光するクーリングパルスとを有する。
【００８８】
図７に示すキャッスル型ライトストラテジのｎＴマーク（ここでのｎは４以上９以下の整数を表す）は、ｎＴ−ｄＴｔｏｐ７１３の時点を開始時間とし、ｎＴ−Ｔｏｐ７１２で定義される時間を、ピークパワーＰｗ７０１でレーザ発光するトップパルスと、ｎＴ−ｄＴｃ７１５の時点を終了時間とし、ｎＴ−Ｔｌｐ７１２で定義される時間を、ピークパワーＰｗ７０１でレーザ発光するラストパルスと、当該トップパルスの立ち下り時間から、ラストパルスの立ち上がり時間までの間を、ミドルパワーＰｍ７０２でレーザ発光するミドルパルスと、当該ラストパルス立ち下り時間から、ｎＴ−ｄＴｓ７１６で定義されるクーリングパワーＰｃ７０４からスペースパワーＰｓ７０３への立ち上がり時間までの間、Ｐｃ７０４でレーザ発光するクーリングパルスとを有する。
【００８９】
なお、ｎＴマークを形成する各パラメータは、ｎが４から９までそれぞれで異なる値でも、ｎがある数以上は同じ値としてもよい。
【００９０】
続いて、図８を用いて、図７に説明したキャッスル型ライトストラテジの記録再生制御情報を有するディスク情報の構成の一例を説明する。
【００９１】
図８は、ヘッダ情報部８１１と、記録再生制御情報部８１２と、フッタ情報部８１３とを有するディスク情報を示す。ディスク情報は、１１２Ｂｙｔｅｓを１つの単位として構成されている。
【００９２】
また、記録再生制御情報部８１２は、ディスク制御部８１４と、パワー情報部８１５と、記録パルス情報部８１６とを有している。
【００９３】
図８の記録パルス情報部８１６が有するパラメータのうち、記録マークの前スペース側に関するパラメータｄＴｔｏｐ８０２およびＴｔｏｐ８０３は、前スペースの長さに対して、記録パルス調整を可能として構成されている。
【００９４】
記録パルス情報部８１６の詳細を以下に説明する。
【００９５】
図８の記録パルス情報部８１６に含まれる全てのパラメータは、それぞれ１Ｂｙｔｅの情報量を有している。
【００９６】
キャッスル型ライトストラテジのｄＴｃ８０１は、３Ｔマーク、４Ｔマーク、５Ｔマーク以上の３つに分類されており、全部で３Ｂｙｔｅｓの情報量を有する。
【００９７】
キャッスル型ライトストラテジのｄＴｔｏｐ８０２は、２Ｔマーク、３Ｔマーク、４Ｔマーク以上に分類されている。分類された各記録マークは、それぞれ前２Ｔスペース、前３Ｔスペース、前４Ｔスペース以上の３つに分類されており、全部で９Ｂｙｔｅｓの情報量を有する。
【００９８】
キャッスル型ライトストラテジのＴｔｏｐ８０３は、２Ｔマーク、３Ｔマーク、４Ｔマーク以上に分類されている。分類された各記録マークは、それぞれ前２Ｔスペース、前３Ｔスペース、前４Ｔスペース以上の３つに分類されており、全部で９Ｂｙｔｅｓの情報量を有する。
【００９９】
キャッスル型ライトストラテジのＴｌｐ８０４は、４Ｔマーク以上のみで定義され、１Ｂｙｔｅの情報量を有する。
【０１００】
キャッスル型ライトストラテジのｄＴｃ８０１は、３Ｔマーク、４Ｔマーク、５Ｔマーク以上に分類されている。分類された各記録マークは、全部で３Ｂｙｔｅｓの情報量を有する。  また、記録パルス情報部８１６は１９Ｂｙｔｅｓの空き情報８０６を有する。
【０１０１】
なお、空き情報８０６は、全てのビットを０または１として表現されてもよいし、空き情報８０６に代えて他の情報を格納してもよい。
【０１０２】
図５（ａ）は、２５ＧＢの記録容量を確保したときの最短マーク（２Ｔマーク）と光スポット５１のサイズとの関係を示し、図５（ｂ）は、３３．３ＧＢの記録容量を確保したときの最短マーク（２Ｔマーク）と光スポット５１のサイズとの関係を示す。いずれも本実施形態にかかる情報記録媒体１００１に２Ｔマークを記録したときの一例である。２５ＧＢでの記録マークと、３３．３ＧＢという高密度記録での記録マークとを比較すると、後者の記録マークの物理的な長さは、前者のそれのおよそ７５％となる。例えば、図５（ａ）および（ｂ）に示す２Ｔマークの例では、２５ＧＢ記録時の記録マークの長さは１４９ｎｍであるのに対して、３３．３ＧＢ記録時の記録マークの長さは１１２ｎｍとなる。
【０１０３】
そこで、本実施形態の情報記録媒体１００１に高密度記録を行うため、図７および図８で説明したキャッスル型ライトストラテジの記録再生制御情報を、以下の考慮を踏まえて構成する。
【０１０４】
１つ目は、記録マークの物理的な長さが短くなったため、記録マーク形成時に、前のマーク形成時や、後ろのマーク形成時に情報記録媒体１００１に照射されるレーザ光により与えられる熱の影響を受ける熱干渉という現象が、より長いチャネルクロックのマークにまで影響を与えてしまうことを考慮する。
【０１０５】
そこで、各パラメータの分類を、記録マークの長さが２Ｔマーク、３Ｔマーク、４Ｔマーク、５Ｔマーク以上へと拡張する。
【０１０６】
２つ目は、高密度化により、本実施形態の装置の検出系、つまりレーザ光の光スポットサイズに対する記録マークの物理的な長さが相対的に小さくなったため、再生信号検出時の符号間干渉が前のスペースのみでなく、他のスペースおよびマークの組み合わせに応じても異なることを考慮する。他のスペースおよびマークの組み合わせとは、前後スペース、前マークと前スペース、後ろマークと後ろスペース、前後スペースと前マーク、前後スペースと後ろマークである。特に、短いマークほど、符号間干渉の影響が顕著となる。
【０１０７】
そこで、記録パルスのパラメータ分類を、前スペースのみから、前スペース、前後スペース、前マークと前スペース、後ろマークと後ろスペース、前後スペースと前マーク、前後スペースと後ろマークとの組み合わせによる分類へ拡張する。
【０１０８】
この拡張は、最短となる２Ｔマークに関して行われる。また、前後のマークやスペースが２Ｔマークと３Ｔ以上マークでの分類、及び２Ｔスペースと３Ｔ以上スペースでの分類までにとどめることで、パラメータ情報量の過度な増大を軽減する。
【０１０９】
図９は、上記の拡張や分類を行ったディスク情報への構成方法を示す。
【０１１０】
以下、図９を詳細に説明する。
【０１１１】
まず、高密度化前後でのディスク情報構成に互換性を持たせるために、ヘッダ情報部８１１、記録再生制御情報部８１２、および、フッタ情報部８１３の構成、および、それぞれのＢｙｔｅ数は固定されているとする。
【０１１２】
前述の記録パルス情報の拡張により、必要となる記録パルス情報の情報量が増大する。
【０１１３】
そこで、記録再生制御情報部８１２内のディスク制御部９１４、パワー情報部９１５に確保されている領域を削減するか、それらが保持している情報を圧縮または削減することで、拡張され情報量が増えた記録パルス情報部９１６の領域を確保する。
【０１１４】
ディスク制御部９１４及びパワー情報部９１５の領域の削減とは、例えば、それぞれの情報部の未使用領域を削減することである。
【０１１５】
また、ディスク制御部９１４、パワー情報部９１５が保持している情報の圧縮または削減とは、設定値の分解能を下げることで使用ｂｉｔ数を減らし情報量を少なくすることや、複数のパラメータを保持している内容を少なくとも１つ減らすことである。後者は例えば、再生時のレーザ発光パワーが異なる再生速度ごとに設けられているときに、そのうちの少なくとも１つを減らすことが挙げられる。他の例として、発光方法の違い（ＤＣ発光と高周波重畳発光）に応じて異なる発光パワーの情報が設けられているときに、そのうちの少なくとも１つを減らすことである。
【０１１６】
以下、図９（ａ）の記録パルス制御部９１６の各パラメータの分類を詳細に説明する。図９（ａ）〜（ｃ）では、全てのパラメータが、それぞれ１Ｂｙｔｅの情報量を有するとしている。
【０１１７】
本実施形態による、高密度記録対応のため拡張された記録パルス制御部９１６は、基本部９１７と拡張部９１８を有している。
【０１１８】
図９（ｂ）は、基本部９１７の詳細なパラメータ分類を示す。基本部９１７は、基本ｄＴｃ９２１、基本ｄＴｔｏｐ９２２、基本Ｔｔｏｐ９２３、基本Ｔｌｐ９２４、基本ｄＴｓ９２５を有している。
【０１１９】
基本部９１７には、記録マークの前後のスペースや前後のマーク長さに依存しないパラメータが保持されている。基本部９１７の記録パルス情報のみを基に、拡張されていないキャッスル型ライトストラテジを生成することが可能となる。
【０１２０】
つまり、基本部９１７のみに基づくキャッスル型ライトストラテジによる記録は、拡張されたキャッスル型ライトストラテジによる記録に比べ、熱干渉や符号間干渉によるＳＮＲ悪化の可能性はある。しかしながら、基本部９１７のみに基づくキャッスル型ライトストラテジによれば、過去の情報記録再生装置や下位の情報記録再生装置のような、拡張されたキャッスル型ライトストラテジを生成することに対応していない装置が、高密度記録可能な情報記録媒体へ情報を記録することを可能としている。
【０１２１】
図９（ｃ）は、拡張部９１８の詳細なパラメータ分類を示す。拡張部９１８は、以下のように構成されている。
【０１２２】
キャッスル型ライトストラテジの拡張ｄＴｃ９０１は、３Ｔマーク、４Ｔマーク、５Ｔマーク以上において、それぞれの記録マークに対して、後ろ２Ｔスペースの場合に拡張しており、全部で３Ｂｙｔｅｓの情報量を有する。
【０１２３】
キャッスル型ライトストラテジの拡張ｄＴｔｏｐ９０２と拡張Ｔｔｏｐ９０３は以下のように構成されている。
【０１２４】
３Ｔマーク、４Ｔマーク、５Ｔマーク以上のそれぞれの記録マークに対して、前２Ｔスペースの場合にライトストラテジが拡張されている。それぞれの記録マークに対して拡張ｄＴｔｏｐ９０２と拡張Ｔｔｏｐ９０３では３Ｂｙｔｅｓの情報量が割り当てられている。
【０１２５】
２Ｔマークに関するパラメータ分類は、複数のマークおよびスペースの組み合わせによって規定されている。すなわち、前２Ｔマーク−前２Ｔスペース、前３Ｔマーク以上−前２Ｔスペース、前３Ｔスペース以上という分類と、後ろ２Ｔスペース−後ろ２Ｔマーク、後ろ２Ｔスペース−後ろ３Ｔマーク以上、後ろ３Ｔスペース以上という分類との組み合わせで、パラメータ分類が規定されている。なお、図９（ｃ）では、「前３Ｔマーク以上」を「前≧３Ｔマーク」などと記載している。これらの記録マークに関する拡張ｄＴｔｏｐ９０２と拡張Ｔｔｏｐ９０３のパラメータ分類には、それぞれ８Ｂｙｔｅｓずつの情報量が割り当てられている。ただし、前３Ｔスペース以上と後ろ３Ｔスペース以上の組み合わせの場合は、基本ｄＴｔｏｐ９２２および基本Ｔｔｏｐ９２３と同じ設定値が適用される。
【０１２６】
キャッスル型ライトストラテジの拡張Ｔｌｐ９０４は、４Ｔマーク、５Ｔマーク以上のそれぞれの記録マークに対して、後ろ２Ｔスペースの場合にライトストラテジが拡張されている。これらの記録マークに関するパラメータ分類には、全部で２Ｂｙｔｅｓの情報量が割り当てられている。
【０１２７】
キャッスル型ライトストラテジの拡張ｄＴｓ９０５は、３Ｔマーク、４Ｔマーク、５Ｔマーク以上のそれぞれの記録マークに対して、後ろ２Ｔスペースの場合にライトストラテジが拡張されている。これらの記録マークに関するパラメータ分類には、全部で３Ｂｙｔｅｓの情報量が割り当てられている。
【０１２８】
２Ｔマークに関するパラメータ分類は、拡張ｄＴｔｏｐ９０２などと同様、複数のマークおよびスペースの組み合わせによって規定されている。すなわち、前２Ｔスペース、前３Ｔスペース以上という分類と、後ろ２Ｔスペース−後ろ２Ｔマーク、後ろ２Ｔスペース−後ろ３Ｔマーク以上、後ろ３Ｔスペース以上という分類との組み合わせで、パラメータ分類が規定されている。２Ｔマークに関するパラメータ分類には、全部で５Ｂｙｔｅｓの情報量が割り当てられている。ただし、前３Ｔスペース以上と後ろ３Ｔスペース以上との組み合わせの場合は、基本ｄＴｓ９２５の設定値が適用される。
【０１２９】
これにより、高密度化記録を行うための拡張した記録パルス情報に対応しつつ、ディスク制御部９１４、パワー情報部９１５と記録パルス情報部９１６の情報量の合計を一定に保つことができる。
【０１３０】
以上のように、本実施形態によれば、情報記録媒体に高密度記録を行う際に、拡張された記録パルスに非対応の情報記録再生装置でも記録再生制御情報を基に記録を行うことが可能である。さらに、拡張された記録パルスに対応した情報記録再生装置は、再生信号のＳＮＲ悪化要因となりうる熱干渉や符号間干渉の影響を考慮した上で、高密度記録のために拡張された記録再生制御情報を、固定された情報量内に収める。これにより、情報量の圧縮を実現しつつ、下位や過去の情報記録再生装置および下位や過去の情報記録媒体と互換性を保った構成とすることが可能となる。
【０１３１】
なお、本実施形態では、記録符号にＲＬＬ（１，７）を用いているが、本発明はこれに限定されるものではない。
【０１３２】
なお、本実施形態では、図９に示す記録パルス情報部９１６、基本部９１７、拡張部９１８内の各パラメータの順番は、これに限定されるものではない。
【０１３３】
なお、本実施形態では、記録再生制御情報が情報記録媒体に記載されているとしているが、必ずしも情報記録媒体に記載されていなくても良い。例えば、光ディスク装置１０００内のメモリ部１００８が記録再生制御情報を保持していてもよい。また、メモリ部１００８に保持されている記録再生制御情報は、図９（ａ）に記載されたディスク制御部、パワー情報部、記録パルス情報部の全てを保持していなくてもよく、その一部を保持していてもよい。
【０１３４】
なお、本実施形態では、キャッスル型ライトストラテジを説明したが、本発明はキャッスル型ライトストラテジに限定されるものではない。例えば、図１１と図１２に示すＮ−１型のライトストラテジや、図１４と図１５に示すＮ／２型と呼ばれるライトストラテジにも適用可能である。
【０１３５】
なお、本実施形態では、具体的な数値を持ってマーク長さやスペース長さの分類を説明したが、本発明はこれに限定されるものではない。例えば、２Ｔから９Ｔまでの記録マークを形成する際に、２Ｔ、３Ｔ、４Ｔ、５Ｔ、６Ｔ以上という分類にしてもよい。
【０１３６】
なお、本実施形態では、記録パルス情報の基本部を、より長い前後のスペースや前後のマークにより分類されているパラメータを選択しているが、本発明は、これに限定されるものではない。例えば、３Ｔマークを形成する記録パルス情報のｄＴｃにおいて、基本部が後ろスペース２Ｔの場合のパラメータとして、拡張部が後ろ３Ｔスペース以上の場合のパラメータとしてもよい。
【０１３７】
（実施形態２）
次に、本実施形態にかかる光ディスク装置を説明する。
【０１３８】
本実施形態にかかる光ディスク装置の構成は、図１０に示す光ディスク装置１０００の構成と同じである。したがって、本実施形態による光ディスク装置を説明するに当たっては、図１０を引き続き参照する。
【０１３９】
本実施形態にかかる光ディスク装置は、その処理の一部において、図１０に示す光ディスク装置１０００と異なっている。以下、その異なる処理を説明する。なお、実施形態１に関連して説明した光ディスク装置の処理手順のうち、本実施形態においても同様に適用される処理手順の説明は省略する。
【０１４０】
図１０は、本発明の実施形態２による光ディスク装置１０００を示す図である。
【０１４１】
図１１は、Ｎ−１型と呼ばれるライトストラテジを示す。一例として、記録符号にＲＬＬ（１，７）を用いたとき、最短マークとなる２Ｔマーク（Ｔはチャネルクロック）から８Ｔマークまでと、データ開始位置などのタイミングを検出するためのＳｙｎｃパターンに用いる９Ｔマークを加えた記録マークを形成する際の記録パルス形状が示されている。
【０１４２】
図１１に示すＮ−１型ライトストラテジの２Ｔマークは、２Ｔ−ｄＴｔｏｐ１１０６の時点を開始時間とし、２Ｔ−Ｔｏｐ１１０５で定義される時間を、ピークパワーＰｗ１１０１でレーザ発光するトップパルスと、トップパルスの立ち下り時間から、２Ｔ−ｄＴｓ１１０７で定義されるクーリングパワーＰｃ１１０３からスペースパワーＰｓ１１０２への立ち上がり時間までの間、クーリングパワーＰｃ１１０３でレーザ発光するクーリングパルスとを有する。
【０１４３】
図１１に示すＮ−１型ライトストラテジの３Ｔマークは、３Ｔ−ｄＴｔｏｐ１１０９の時点を開始時間とし、３Ｔ−Ｔｏｐ１１０８で定義される時間を、ピークパワーＰｗ１１０１でレーザ発光するトップパルスと、ＮＲＺＩの２Ｔ後を開始時間とし、３Ｔ−Ｔｌｐ１１１０で定義される時間をピークパワーＰｗ１１０１でレーザ発光するラストパルスと、トップパルスの立ち下り時間から、ラストパルスの立ち上がり時間までの間を、ボトムパワーＰｂ１１０４でレーザ発光するボトムパルスと、ラストパルス立ち下り時間から、３Ｔ−ｄＴｓ１１１１で定義されるクーリングパワーＰｃ１１０３からスペースパワーＰｓ１１０２への立ち上がり時間までの間、Ｐｃ１１０３でレーザ発光するクーリングパルスとを有する。
【０１４４】
図１１に示すＮ−１型ライトストラテジのｎＴマーク（ここでのｎは４以上９以下の整数を表す）は、ｎＴ−ｄＴｔｏｐ１１１３の時点を開始時間とし、ｎＴ−Ｔｏｐ１１１２で定義される時間を、ピークパワーＰｗ１１０１でレーザ発光するトップパルスと、ＮＲＺＩの２Ｔ後からＮＲＺＩの（ｎ−１）Ｔまで、ＮＲＺＩのチャネルクロックに同期した時間を開始時間とし、Ｔｍｐ１１１６で定義される時間をピークパワーＰｗ１１０１で、次のピークパワーＰｗでの発光までの間をボトムパワーＰｂ１１０４で、レーザ発光するマルチパルスと、ＮＲＺＩの（ｎ−１）Ｔ後を開始時間とし、ｎＴ−Ｔｌｐ１１１４で定義される時間をピークパワーＰｗ１１０１でレーザ発光するラストパルスと、ラストパルス立ち下り時間から、ｎＴ−ｄＴｓ１１１５で定義されるクーリングパワーＰｃ１１０３からスペースパワーＰｓ１１０２への立ち上がり時間までの間、Ｐｃ１１０３でレーザ発光するクーリングパルスとを有する。なお、ｎＴマークを形成する各パラメータは、ｎが４から９までそれぞれで異なる値でも、ｎがある数以上は同じ値としてもよい。
【０１４５】
なお、図１１では、ボトムパワーＰｂ１１０４＜クーリングパワーＰｃ１１０３となっているが、本発明はこれに限定されない。例えば、Ｐｂ＝ＰｃやＰｂ＞Ｐｃとなってもよい。
【０１４６】
続いて、図１２を用いて、図１１に説明したＮ−１型ライトストラテジの記録再生制御情報の構成の一例を示す。
【０１４７】
図１２は、ヘッダ情報部８１１、記録再生制御情報部８１２とフッタ情報部８１３を有するディスク情報であり、１１２Ｂｙｔｅｓを１つの単位としている。
【０１４８】
また、記録再生制御情報部１２１２は、ディスク制御部１２１４と、パワー情報部１２１５と、記録パルス情報部１２１６とを有している。
【０１４９】
図１２の記録パルス情報部１２１６のパラメータのうちの、記録マークの前スペース側に関するパラメータｄＴｔｏｐ１２０２およびＴｔｏｐ１２０３は、前スペースの長さに対して、記録パルスの調整が可能である。
【０１５０】
また、マルチパルス幅を表すＴｍｐ１２０１、トップパルス幅を表すＴｔｏｐ１２０３、ラストパルス幅を表すＴｌｐ１２０４は、パルス幅をチャネルクロックＴの分周クロックで定義されるパルス幅と、固定クロックによって定義されるパルス幅の両方のパラメータを保持している。ただし、上記、分周クロックによるパルス幅と固定クロックによるパルス幅はどちらか一方を使用すればよい。
【０１５１】
図１２では、分周クロックは、チャネルクロックの１６分の１で定義した際の情報量とする。
【０１５２】
記録パルス情報部１２１６の詳細を以下に説明する。
【０１５３】
Ｎ−１型ライトストラテジのＴｍｐ１２０１は、２Ｔマークおよび３Ｔマークに関しては設けられず、４Ｔ以上のマークに関してのみ設けられている。これは、４Ｔ以上のマークのみがマルチパルスを用いて形成されることを意味する。Ｔｍｐ１２０１には、トップパルスとラストパルスとの間に位置するマルチパルスの一つのパルスの幅を示す値が記述される。その値は、４Ｔ以上のマークに関して共通に用いられる。ただし、Ｔｍｐ１２０１には、分周クロックによるパルス幅を示す値と、固定クロックによるパルス幅を示す値とが記述される。それぞれの値は４ｂｉｔの情報量で保持され、全部で１Ｂｙｔｅの情報量となる。
【０１５４】
Ｎ−１型ライトストラテジのｄＴｔｏｐ１２０２は、２Ｔマーク、３Ｔマーク、４Ｔマーク以上に分類されている。それぞれの記録マークは、前２Ｔスペース、前３Ｔスペース、前４Ｔスペース、前５Ｔスペース以上に分類されており、全部で１２Ｂｙｔｅｓの情報量を有する。
【０１５５】
Ｎ−１型ライトストラテジのＴｔｏｐ１２０３は、２Ｔマーク、３Ｔマーク、４Ｔマーク以上に分類されている。そして、その分類の各々について、分周クロックによるパルス幅に関するパラメータを記述するための情報部と、固定クロックによるパルス幅に関するパラメータを記述するための情報部とが確保されている。これにより、Ｔｔｏｐ１２０３は大きく分けて６通りに分類されていることになる。
【０１５６】
これらの６通りの分類の各々は、さらに、前２Ｔスペース、前３Ｔスペース、前４Ｔスペース、前５Ｔスペース以上の記録マークによって分類されている。各記録マークに関して割り当てられた情報量は１Ｂｙｔｅであり、Ｔｔｏｐ１２０３は、全部で２４Ｂｙｔｅｓの情報量を有する。
【０１５７】
Ｎ−１型ライトストラテジのＴｌｐ１２０４は、３Ｔマーク、４Ｔマーク以上で分類されている。各記録マークに関しては、分周クロックによるパルス幅と、固定クロックによるパルス幅とをそれぞれ４ｂｉｔの情報量が割り当てられており、Ｔｌｐ１２０４は全部で２Ｂｙｔｅｓの情報量を有する。
【０１５８】
Ｎ−１型ライトストラテジのｄＴｓ１２０５は、２Ｔマーク、３Ｔマーク、４Ｔマーク以上に分類されており、全部で３Ｂｙｔｅｓの情報量を有する。
【０１５９】
また、記録パルス情報部１２１６は２Ｂｙｔｅｓの空き情報１２０６を有する。
【０１６０】
なお、空き情報１２０６は、全てのビットを０または１として表現されてもよいし、空き情報８０６に代えて他の情報を格納してもよい。
【０１６１】
図５（ａ）は、２５ＧＢの記録容量を確保したときの最短マーク（２Ｔマーク）と光スポット５１のサイズとの関係を示し、図５（ｂ）は、３３．３ＧＢの記録容量を確保したときの最短マーク（２Ｔマーク）と光スポット５１のサイズとの関係を示す。いずれも本実施形態にかかる情報記録媒体１００１に２Ｔマークを記録したときの一例である。２５ＧＢでの記録マークと、３３．３ＧＢという高密度記録での記録マークとを比較すると、後者の記録マークの物理的な長さは、前者のそれのおよそ７５％となる。例えば、図５（ａ）および（ｂ）に示す２Ｔマークの例では、２５ＧＢ記録時の記録マークの長さは１４９ｎｍであるのに対して、３３．３ＧＢ記録時の記録マークの長さは１１２ｎｍとなる。
【０１６２】
そこで、本実施形態の情報記録媒体１００１に高密度記録を行うため、図１１および図１２で説明したＮ−１型ライトストラテジの記録再生制御情報を、以下の考慮を踏まえて構成する。
【０１６３】
１つ目は、記録マークの物理的な長さが短くなったため、記録マーク形成時に、前のマーク形成時や、後ろのマーク形成時に情報記録媒体１００１に照射されるレーザ光により与えられる熱量の影響を受ける熱干渉という現象が、より長いチャネルクロックのマークにまで影響を与えてしまうことを考慮する。
【０１６４】
そこで、各パラメータの分類を、記録マークの長さが２Ｔマーク、３Ｔマーク、４Ｔマーク、５Ｔマーク以上へと拡張する。
【０１６５】
２つ目は、高密度化により、本実施形態の装置の検出系、つまりレーザ光の光スポットサイズに対する記録マークの物理的な長さが相対的に小さくなったため、再生信号検出時の符号間干渉が前のスペースのみでなく、他のスペースおよびマークの組み合わせに応じても異なることを考慮する。他のスペースおよびマークの組み合わせとは、前後スペース、前マークと前スペース、後ろマークと後ろスペース、前後スペースと前マーク、前後スペースと後ろマークである。特に、短いマークほど、符号間干渉の影響が顕著となる。
【０１６６】
そこで、記録パルスのパラメータ分類を、前スペースのみから、前スペース、前後スペース、前マークと前スペース、後ろマークと後ろスペース、前後スペースと前マーク、前後スペースと後ろマークとの組み合わせによる分類へ拡張する。
【０１６７】
ここで、記録マークを再生した際の信号のＳＮＲを最適化するため、パラメータの設定値に対するＳＮＲ悪化の感度が最も高い、２Ｔマークに前述した記録パルス情報の拡張を行う。また、パルス幅に関するパラメータＴｍｐ、Ｔｔｏｐ、Ｔｌｐは分周クロックと固定クロックによる２種類のパラメータを持っているが、実際に使用されるのは、どちらか一方であるため、分周クロックのみにすることで、パラメータ情報量を圧縮する。
【０１６８】
さらに、以下のように情報量を圧縮する。
【０１６９】
前後のスペースや前後のマークに対して、同じマーク長さを形成する各パラメータ（ｄＴｔｏｐ、Ｔｔｏｐ、Ｔｌｐ、ｄＴｓ）が同じ情報量で定義されている。
【０１７０】
そこで、各パラメータの代表値を基準値とし、前後のスペースや前後のマークに対してのパラメータの値を、基準値からのオフセット値という形で設ける。
【０１７１】
ここで、「基準値」とは、パルスのチャネルクロックからの遅延量や、トップパルス、ラストパルス、クーリングパルスなどの各パルスの幅を示す値を意味する。また「オフセット値」とは、パルスの幅や遅延量の基準値に対する差分の値である。
【０１７２】
なお、「基準値」は正負または０の値を取り得る。たとえば、記録パルス幅の場合には正の値と０しかとらないが、記録パルス位置（立ち上がりまたは立ち下がり）は正の値と０だけでなく、負の値も含む。
【０１７３】
基準値は１Ｂｙｔｅで表されるのに対して、オフセット値は、例えば半分の４ｂｉｔ（００００ｂ〜１１１１ｂ）で表される。分周クロックがチャネルクロックの１６分の１の場合、符号なし（全てが正の数）の場合は０から１５まで、符号つき（最上位ｂｉｔが１のときにマイナスとする）の場合は−８から７まで表すことが可能であり、１Ｔ分のオフセットを定義することが可能である。また、分周クロックがチャネルクロックの３２分の１の場合は、０．５Ｔ分のオフセットを定義することが可能である。
【０１７４】
本実施形態では、記録マークの長さが２Ｔから９Ｔまで、１Ｔごとで定義されているため、０．５Ｔ以上記録パルスをずらすと１Ｔ長いマーク、または１Ｔ短いマークと誤認識される可能性が非常に高いと考えられる。そのため、前後のスペースや前後のマークに対してのパラメータの値を、４ｂｉｔという情報量へ縮小し、基準値からのオフセット値として保持しても、記録マークの再生時のＳＮＲを大きく悪化させる要因になるとは考えにくい。
【０１７５】
図１３（ａ）〜（ｃ）は上記の拡張や分類を行ったディスク情報への構成方法を示す。
【０１７６】
以下、図１３を詳細に説明する。
【０１７７】
まず、高密度化前後でのディスク情報構成に互換性を持たせるために、ヘッダ情報部８１１、記録再生制御情報部８１２、および、フッタ情報部８１３の構成と、それぞれのＢｙｔｅ数は固定されているとする。
【０１７８】
前述の記録パルス情報の拡張により、記録パルス情報の情報量が増大する。
【０１７９】
そこで、記録再生制御情報部８１２内のディスク制御部１２１４、パワー情報部１２１５に確保されている領域を削減するか、それらが保持している情報の圧縮または削減をすることで、拡張され情報量が増えた記録パルス情報部１２１６の領域を確保する。
【０１８０】
ディスク制御部１２１４及びパワー情報部１２１５の領域の削減とは、例えば、それぞれの情報部の未使用領域を削減することである。
【０１８１】
また、ディスク制御部１２１４、パワー情報部１２１５で保持している情報の圧縮または削減とは、設定値の分解能を下げることで、使用ｂｉｔ数を減らし情報量を少なくすることや、複数のパラメータを保持している内容を少なくとも１つ減らすことである。後者は例えば、再生時のレーザ発光パワーが異なる再生速度ごとに設けられているときに、そのうちの少なくとも１つを減らすことが挙げられる。他の例として、発光方法の違い（ＤＣ発光と高周波重畳発光）に応じて異なる発光パワーの情報が設けられているときに、そのうちの少なくとも１つを減らすことである。
【０１８２】
以下、図１３（ａ）の記録パルス制御部１３１６の各パラメータの分類を詳細に説明する。
【０１８３】
本実施形態による、高密度記録対応のため拡張された記録パルス制御部１３１６は、基本部１３１７と拡張部１３１８を有している。
【０１８４】
図１３（ａ）〜（ｃ）では、全てのパラメータにおいて、基本部１３１７に保持している１つの基準値を１Ｂｙｔｅの情報量、拡張部１３１８に保持している１つのオフセット値を０．５Ｂｙｔｅ（４ｂｉｔ）としている。
【０１８５】
基本部１３１７は、Ｔｍｐ１３０１、基本ｄＴｔｏｐ１３２１、基本Ｔｔｏｐ１３２２、基本Ｔｌｐ１３２３、基本ｄＴｓ１３２４を有している。
【０１８６】
基本部１３１７には、記録マークの前後のスペースや前後のマーク長さに依存しないパラメータが保持されている。基本部１３１７の記録パルス情報のみを基に、拡張されていないＮ−１型ライトストラテジを生成することが可能となる。
【０１８７】
つまり、基本部１３１７のみに基づくキャッスル型ライトストラテジによる記録は、拡張されたＮ−１型ライトストラテジによる記録に比べ、熱干渉や符号間干渉によるＳＮＲ悪化の可能性はある。しかしながら、基本部１３１７のみに基づくキャッスル型ライトストラテジによれば、過去の情報記録再生装置や下位の情報記録再生装置のような、拡張されたＮ−１型ライトストラテジを生成することに対応していない装置が、高密度記録可能な情報記録媒体へ情報を記録することを可能としている。
【０１８８】
図１３（ｃ）は、拡張部１３１８の詳細なパラメータ分類を示す。拡張部１３１８は、以下のように構成されている。Ｎ−１型ライトストラテジのＴｍｐ１３０１は、基本部１３１７の設定値と共通となっているため、拡張部への記載はない。
【０１８９】
Ｎ−１型ライトストラテジの拡張ｄＴｔｏｐ１３０２と拡張Ｔｔｏｐ１３０３は、２Ｔマーク、３Ｔマーク、４Ｔマーク、５Ｔマーク以上に分類されている。そのうちの３Ｔマーク、４Ｔマーク、５Ｔマーク以上のそれぞれの記録マークが、前２Ｔスペース、前３Ｔスペース、前４Ｔスペースの場合にパラメータ分類が拡張される。前５Ｔスペース以上の場合は、基本ｄＴｔｏｐ１３２１または基本Ｔｔｏｐ１３２２の設定値を適用する。そして、その他の場合には基本ｄＴｔｏｐ１３２１または基本Ｔｔｏｐ１３２２からのオフセット値で表す。拡張ｄＴｔｏｐ１３０２と拡張Ｔｔｏｐ１３０３でそれぞれ４．５Ｂｙｔｅｓずつの情報量を有している。
【０１９０】
２Ｔマークに関するパラメータ分類は、拡張ｄＴｔｏｐ１３０２などと同様、複数のマークおよびスペースの組み合わせによって規定されている。すなわち、前２Ｔマーク−前２Ｔスペース、前３Ｔマーク以上−前２Ｔスペース、前３Ｔスペース、前４Ｔスペース、前５Ｔスペース以上という分類と、後ろ２Ｔスペース−後ろ２Ｔマーク、後ろ２Ｔスペース−後ろ３Ｔマーク以上、後ろ３Ｔスペース以上という分類との組み合わせで、パラメータ分類が規定されている。そして、前５Ｔスペース以上−後ろ３Ｔスペース以上の組み合わせの場合は、基本ｄＴｔｏｐ１３２１または基本Ｔｔｏｐ１３２２の設定値が適用され、その他の場合には基本ｄＴｔｏｐ１３２１または基本Ｔｔｏｐ１３２２からのオフセット値が適用される。拡張ｄＴｔｏｐ１３０２および拡張Ｔｔｏｐ１３０３はそれぞれ７Ｂｙｔｅｓの情報量を有する。
【０１９１】
Ｎ−１型ライトストラテジの拡張Ｔｌｐ１３０４は、３Ｔマーク、４Ｔマーク、５Ｔマーク以上に分類されている。それぞれの記録マークは、後ろ２Ｔスペース、後ろ３Ｔスペース、後ろ４Ｔスペース、後ろ５Ｔスペース以上に分類される。後ろ５Ｔスペース以上の場合は基本Ｔｌｐ１３２３が適用され、その他の場合には基本Ｔｌｐ１３２３からのオフセット値が適用される。拡張Ｔｌｐ１３０４は全部で４．５Ｂｙｔｅｓの情報量を有する。
【０１９２】
Ｎ−１型ライトストラテジの拡張したｄＴｓ１３０５は、２Ｔマーク、３Ｔマーク、４Ｔマーク、５Ｔマーク以上に分類されている。そのうちの３Ｔマーク、４Ｔマーク、５Ｔマーク以上のそれぞれの記録マークが、後ろ２Ｔスペース、後ろ３Ｔスペース、後ろ４Ｔスペース、後ろ５Ｔスペース以上に分類される。ただし後ろ５Ｔスペース以上の場合は基本ｄＴｓ１３２４が適用され、その他の場合には基本ｄＴｓ１３２４からのオフセット値が適用される。ｄＴｓ１３０５の３Ｔマーク、４Ｔマーク、５Ｔマーク以上のパラメータ分類には、全部で４．５Ｂｙｔｅｓの情報量が割り当てられる。
【０１９３】
２Ｔマークに関するパラメータ分類は、複数のマークおよびスペースの組み合わせによって規定されている。すなわち、前２Ｔスペース、前３Ｔスペース以上という分類と、後ろ２Ｔスペース−後ろ２Ｔマーク、後ろ２Ｔスペース−後ろ３Ｔマーク以上、後ろ３Ｔスペース以上という分類との組み合わせで、パラメータ分類が規定されている前３Ｔスペース以上−後ろ３Ｔスペース以上での組み合わせの場合は基本ｄＴｓ１３２４が適用され、その他の場合には基本ｄＴｓ１３２４からのオフセット値が適用される。ｄＴｓ１３０５の２Ｔマークのパラメータ分類には、全部で２．５Ｂｙｔｅｓの情報量を有する。
【０１９４】
これにより、高密度化記録を行うための拡張した記録パルス情報に対応しつつ、ディスク制御部１３１４、パワー情報部１３１５と記録パルス情報部１３１６の情報量の合計を一定に保つことができる。
【０１９５】
以上のように、実施形態２によれば、情報記録媒体に高密度記録を行う際に、拡張された記録パルスに非対応の情報記録再生装置でも記録再生制御情報を基に記録を行うことが可能であり、さらに、拡張された記録パルスに対応した情報記録再生装置は、再生信号のＳＮＲ悪化要因となりうる熱干渉や符号間干渉の影響を考慮した上で、高密度記録のために拡張された記録再生制御情報を、固定された情報量内に収める。これにより、情報量の圧縮を実現しつつ、下位や過去の情報記録再生装置および下位や過去の情報記録媒体と互換性を保った構成とすることが可能となる。
【０１９６】
なお、本実施形態では、記録符号にＲＬＬ（１，７）を用いているが、本発明はこれに限定されるものではない。
【０１９７】
なお、本実施形態では、図１３に示す記録パルス情報部１３１６、基本部１３１７、各兆部１３１８内の各パラメータの順番は、これに限定されるものではない。
【０１９８】
なお、本実施形態では、記録再生制御情報が情報記録媒体に記載されているとしているが、必ずしも情報記録媒体に記載されていなくても良い。例えば、光ディスク装置１０００内のメモリ部１００８に保持していてもよい。また、メモリ部１００８に保持されている記録再生制御情報は、ディスク制御部、パワー情報部、記録パルス情報部の全てを保持しておらず、その一部を保持していてもよい。
【０１９９】
なお、本実施形態では、分周クロックをチャネルクロックの１６分の１として定義したが、本発明はこれに限定されない。例えば、８分の１や２０分の１としてもよい。
【０２００】
なお、本実施形態では、Ｎ−１型ライトストラテジを説明したが、Ｎ−１型ライトストラテジに限定されるものではない。例えば、図７と図８に示すキャッスル型ライトストラテジや、図１４と図１５に示すＮ／２型と呼ばれるライトストラテジにも適用可能である。
【０２０１】
なお、本実施形態では、具体的な数値を示してマーク長さやスペース長さの分類を説明したが、本発明はこれに限定されるものではない。例えば、２Ｔから９Ｔまでの記録マークを形成する際に、２Ｔ、３Ｔ、４Ｔ、５Ｔ、６Ｔ以上という分類にしてもよい。
【０２０２】
（実施形態３）
本実施形態では、実施形態２にかかる光ディスク装置とは異なる光ディスク装置を説明する。
【０２０３】
まず、本実施形態にかかる光ディスク装置の構成は、図１０に示す光ディスク装置１０００の構成と同じである。したがって、本実施形態による光ディスク装置を説明するに当たっては、図１０を引き続き参照する。
【０２０４】
本実施形態にかかる光ディスク装置は、その処理の一部において、実施形態１および２にかかる光ディスク装置と異なっている。以下、その異なる処理を説明する。なお、実施形態１に関連して説明した光ディスク装置の処理手順のうち、本実施形態においても同様に適用される処理手順の説明は省略する。
【０２０５】
図１０は、本実施形態による光ディスク装置１０００を示す図である。
【０２０６】
情報記録媒体１００１から読み取ったディスク情報に記載されている拡張された記録パルス情報の各パラメータが、１つのパラメータにつき１Ｂｙｔｅの情報を持っているとする。また、２つのディスク情報に記録再生制御情報が分離されていたとする。
【０２０７】
このとき、コントローラ部１００７は、図１３に示すような基本部１３１７と拡張部１３１８の構成に分類する。そして、拡張部１３１８のパラメータについては、コントローラ部１００７は、基本部１３１７の基準値からのオフセット値を計算し、基本部１３１７に保持するよりも少ない情報量、例えば４ｂｉｔｓとする。
【０２０８】
メモリ部１００８は、コントローラ部１００７で計算された基本部１３１７と拡張部１３１８のパラメータを保持する。または、基本部１３１７と拡張部１３１８のパラメータは、情報記録媒体１００１内の許可された領域に記録される。
【０２０９】
以上のように、本実施形態によれば、高密度記録のために拡張された記録再生制御情報を、固定された情報量内に収めることで、情報量の圧縮を実現しつつ、下位や過去の情報記録再生装置および下位や過去の情報記録媒体と互換性を保った構成とすることが可能となる。
【０２１０】
上述のとおり、実施形態１〜３によれば、複数のトラックを有し、各トラックへのレーザ光のパルス照射によりマークを形成し、情報がマークとスペースが交互に並べられたデータ列として記録される情報記録媒体を得ることができる。より具体的には、情報記録媒体は、少なくとも１つの情報を記録するための情報記録層を有している。この情報記録層は、情報を記録するための情報記録領域を有し、少なくとも１つの情報記録層に記録再生を行うための制御情報領域を有している。この制御情報領域は、少なくとも１つの制御情報を有している。当該少なくとも１つの制御情報は、第１の記録パルス情報と第２の記録パルス情報とを有する。第１の記録パルス情報のみ、もしくは、第１の記録パルス情報と第２の記録パルス情報の両方に基づいて、情報が記録される。
【０２１１】
（実施形態４）
本実施形態は、レーザ光を照射することで情報の記録を行うための情報記録媒体に関しており、特に情報記録媒体に予め記録されている、記録再生を行うための制御情報の配置に関している。
【０２１２】
まず本実施形態の説明に入る前に、記録再生制御情報を改めて説明する。以下ではＢＤのＤＩを例に挙げて説明する。
【０２１３】
図２１はＢＤの構造模式図であり、特許文献１ではリードイン領域６０１と呼ばれる領域に少なくとも１つ以上のＤＩが記載されている。特許文献１では、ＤＩは１１２バイトであり、１つのＤＩには、１つの層、１つの倍速に対応した、１つの記録パルス形状が記載されている。
【０２１４】
次にＢＤのＤＩの模式図を図２２に示す。図２２において、ＤＩはヘッダ情報１６０１、記録再生制御情報１６０２、フッタ情報１６０３から構成されており、記録再生制御情報１６０２は、ディスク種別やディスク構造に関する情報が記載されたディスク情報部１６０４、記録時や再生時のパワーを制御するパワー情報部１６０５、記録時の記録パルス形状を制御する記録パルス情報部１６０６から構成されている。
【０２１５】
光ディスクにおいては、記録マークを形成するための記録パルスは、各パルスのパワーレベルを示すパワー情報と、各パルスの位置やパルス幅を示す記録パルス情報から成り立っている。上述のように、パワー情報と記録パルス情報をまとめてライトストラテジと呼ぶ。
【０２１６】
次に図２３を用いてパワー情報と記録パルス情報を説明する。図２３は記録パルス形状の一例であり、チャネルクロックＴに対して、Ｔの８倍の長さ（＝８Ｔ）となるマークを形成するための記録パルス形状の一例を示している。
【０２１７】
図２３の場合、パワー情報として、ピークパワーＰｗ１７０１、スペースパワーＰｓ１７０２、クーリングパワーＰｃ１７０３、ボトムパワーＰｂ１７０４のような、記録パルスの振幅方向のパラメータに関する情報を含む。また記録パルス情報として、トップパルス幅Ｔｔｏｐ１７０５、トップパルス幅開始位置ｄＴｔｏｐ１７０６、マルチパルス幅Ｔｍｐ１７０７、ラストパルス幅１７０８、クーリングパルス終了位置ｄＴｓ１７０９のような、記録パルスの時間軸方向のパラメータに関する情報を含む。
【０２１８】
これらのパラメータが、例えば図２４のような形式でＤＩに格納されている。なおこれらの記録再生制御情報は、図２４と同一の形式、または準ずる形式で、情報記録媒体内の所定の領域に情報記録媒体の記録再生装置によって記録される場合や、記録再生装置の内部メモリなどに保持される場合がある。
【０２１９】
さらに上記の記録再生制御情報に加えて、記録の高倍速化や高密度化などにより、マーク間の熱干渉の影響が、マークの前または後ろに位置するスペースの長さに依存するようになる。上記のような現象が見られるとき、全ての前または後ろスペース長さに対して同じ記録パルス情報で記録を行うと、記録マークの前または後ろに位置するスペースの長さによって、記録マーク長さが変わってしまう。
【０２２０】
そのため、各マーク長さのみでなく、マークの前または後ろに位置するスペース長さとの関係によって、各々の記録パルス情報が定義されることもある。
【０２２１】
近年、情報記録媒体の高密度化により、記録マークの最短マーク長が検出系に依存する分解能の限界に近づいている。例えば情報記録媒体が光ディスク媒体である場合には、検出系に依存する分解能とはレーザ光を集光した光スポットの大きさによる光学的な分解能を指すが、分解能の限界のため、符号間干渉の増大およびＳＮＲ（Ｓｉｇｎａｌ  Ｎｏｉｓｅ  Ｒａｔｉｏ）の劣化がより顕著となっている。
【０２２２】
以下４０５ｎｍの波長を有する青色レーザを用いた１２ｃｍの光ディスク媒体で説明する。非特許文献１によれば、青色レーザを用いた光ディスク媒体で、レーザ光を集光させた光スポットサイズは３９０ｎｍであり、記録符号にＲＬＬ（１，７）を用いた記録層１層当たりの記録容量が２５ＧＢの場合、最短マークの長さは１４９ｎｍとなる。また、この光ディスク媒体で、１層当たりの記録容量を３３．３ＧＢとした場合、最短マークの長さは１１２ｎｍとなる。更なる高密度化を測ろうとすれば、さらに最短マークの長さは短くなる。
【０２２３】
同じ検出系を使用した場合、図２５（ａ）に示すように、記録容量２５ＧＢでは、光スポット１９０１の中に最短マーク／スペースが２．６個分が入る大きさであったものが、図２５（ｂ）に示すように、記録容量３３．３ＧＢでは、光スポット１９０１の中に最短マーク／スペースが３．５個分入る大きさとなり、光ディスク媒体の検出系となる光スポットサイズに対してのマークの長さが短くなる。
【０２２４】
このため、光スポットサイズに入ってくるマークとスペースの組み合わせが、マークと前または後ろに位置するスペースが１つずつのパターンだけでなく、複数のマークとスペースを有するパターンとなるものもある。
【０２２５】
以下図２６を用いて説明する。図２６は光スポット２００１のサイズと複数のマークまたはスペースを含むパターンとの関係の一例を示す図であり、現在時刻ｉのマークについて、複数のマークまたはスペースを含むパターンとの関係を示しており、図２６（ａ）は、現在時刻ｉのマークと、時刻ｉ−１の前スペース、時刻ｉ＋１の後ろスペースとの組み合わせを示している。図２６（ｂ）は、現在時刻ｉのマークと、時刻ｉ−２の前マーク、時刻ｉ−１の前スペースとの組み合わせを示している。図２６（ｃ）は、現在時刻ｉのマークと、時刻ｉ＋１の後ろスペース、時刻ｉ＋２の後ろマークとの組み合わせを示している。
【０２２６】
図２６（ｄ）は、現在時刻ｉのマークと、時刻ｉ−１の前スペース、時刻ｉ＋１の後ろスペース、時刻ｉ＋２の後ろマークとの組み合わせを示している。図２６（ｅ）は、現在時刻ｉのマークと、時刻ｉ−２の前マーク、時刻ｉ−１の前スペース、時刻ｉ＋１の後ろスペースとの組み合わせを示している。
【０２２７】
このように記録密度が高密度化された場合、記録パルス情報がマークと前または後ろスペースの組み合わせによって定義されるだけでなく、図２６に示すような前後スペース、前マークと前スペース、後ろマークと後ろスペース、前後スペースと前マーク、前後スペースと後ろマークとの組み合わせによって各々記録条件を定義する必要があり、またこれらの記録条件の分解能を上げて細かく記録条件を設定する必要がある。
【０２２８】
以上の様な細かい記録条件の設定を回避するためには、レーザの波長を短くする等により、光スポットサイズを小さくすることが考えられるが、それには新たな光学系の開発が必要となり、特に波長の異なるレーザを使用する場合には初期特性だけでなく、温度特性、経年特性、歩留まり向上等の多くの課題を克服する必要があり相当の時間を要することが予測される。さらに、新しい光学系における従来密度の情報記録媒体に対する記録再生互換性の確認も必要になる。
【０２２９】
一方で従来の光学系を使用する場合には、従来密度の情報記録媒体に対する記録再生互換性の確認が不要になるが、記録密度の高密度化に伴って増大する記録再生制御情報の情報記録媒体への格納方法が明確になっていない。
【０２３０】
そこで、本実施形態においては、記録密度の高密度化や記録媒体の多層化に伴って記録再生制御情報が増大した場合でも、適切に記録再生制御情報を読み出し、読み出した記録再生制御情報を基にユーザデータを正しく記録することを可能にする情報記録媒体等を説明する。また、従来密度の情報記録媒体の記録再生制御情報を再生する場合と、高密度の情報記録媒体の記録再生制御情報を再生する場合とで、再生アルゴリズムの変更を最小限にすることができるように記録再生制御情報が格納された情報記録媒体を説明する。
【０２３１】
以下、図面を参照しながら本実施形態による情報記録媒体を説明する。図１６は本実施形態における情報記録媒体の平面図である。図１６において、情報記録媒体は制御情報領域１０１と、情報記録領域１０２とを有している。
【０２３２】
図１７は制御情報領域のフォーマットの一例である。図１７において、制御情報領域１０１はＤＩ２０１および２０２と、ヘッダ情報２０３と、第１の記録再生制御情報２０４と、第１のディスク情報部２０５と、第１のパワー情報部２０６と、第１の記録パルス情報部２０７と、フッタ情報２０８と、ヘッダ情報２０９と、第２の記録再生制御情報２１０と、第２のディスク情報部２１１と、第２のパワー情報部２１２と、第２の記録パルス情報部２１３と、フッタ情報２１４とを有している。
【０２３３】
なおＤＩ２０１とＤＩ２０２の内容は同じであり、繰り返して記録されていることにより、ＤＩ２０１が傷等により劣化していてもＤＩ２０２を再生することで記録再生制御情報を取得することができる。
【０２３４】
なお本実施形態ではＤＩ２０１、ＤＩ２０２はキャッスル型ライトストラテジのＤＩであるが、ＤＩはキャッスル型ライトストラテジに限らなくとも良い。ＤＩ２０１とＤＩ２０２の間の領域には例えばＮ−１型ライトストラテジのＤＩが記録されていても良いし、ダミーデータが記録されていても良いし、例えば“０”のような特定のデータが記録されていても良い。
【０２３５】
なおヘッダ情報２０３とヘッダ情報２０９には同じ情報が記録されており、ヘッダ情報を見つけることで直後に記録再生制御情報があることを認識することができる。同様にフッタ情報２０８とフッタ情報２１４には同じ情報が記録されており、フッタ情報を見つけることで直前に記録再生制御情報があることを認識することができる。
【０２３６】
ディスク情報部２０５、ディスク情報部２１１にはディスク容量や、記録可能な記録層の層数や、トラッキングサーボの極性等と共にＤＩが完結しているかどうかの完結判定情報が記録されている。従って本実施形態ではディスク情報部２０５の完結判定情報は完結していないことを示し、ディスク情報部２１１の完結判定情報は完結していることを示す。
【０２３７】
なおこれらの情報以外にも、どの層に記録するのかを示す層情報や、どの倍速で記録するのかを示す倍速情報や、ＤＩの総数を示すＤＩ個数情報や、現在再生しているＤＩが全体の何番目のＤＩであるかを示す情報が記録されていても良い。
【０２３８】
パワー情報部２０６、パワー情報部２１２にはキャッスル型ライトストラテジのパワー情報が記録されており、記録パルス情報部２０７、記録パルス情報部２１３にはキャッスル型ライトストラテジの記録パルス情報が記録されている。
【０２３９】
以下図１８を用いて説明する。図１８はキャッスル型ライトストラテジの記録パルス形状の一例であり、チャネルクロックＴに対して、Ｔの２倍の長さ（＝２Ｔ）となるマーク、Ｔの３倍の長さ（＝３Ｔ）となるマーク、Ｔの８倍の長さ（＝８Ｔ）となるマークを形成するための記録パルス形状である。
【０２４０】
パワー情報としては、ライトパワーＰｗ３０１、ミドルパワーＰｍ３０２、スペースパワーＰｓ３０３、クーリングパワーＰｃ３０４がある。記録パルス情報としては、２Ｔマークを記録する際のライトパワーの開始位置を規定する２Ｔ−ｄＴｔｏｐ３０６、ライトパワーの発光時間を規定する２Ｔ−Ｔｔｏｐ３０５、クーリングパワーの終了位置を規定する２Ｔ−ｄＴｓ３０７、３Ｔマークを記録する際のライトパワーの開始位置を規定する３Ｔ−ｄＴｔｏｐ３０９、ライトパワーの発光時間を規定する３Ｔ−Ｔｔｏｐ３０８、ミドルパワーの終了位置を規定する３Ｔ−ｄＴｃ３１０、クーリングパワーの終了位置を規定する３Ｔ−ｄＴｓ３１１、８Ｔマークを記録する際の先頭パルスのライトパワーの開始位置を規定する８Ｔ−ｄＴｔｏｐ３１３、先頭パルスのライトパワーの発光時間を規定する８Ｔ−Ｔｔｏｐ３１２、最後尾のパルスのライトパワーの発光時間を規定する８Ｔ−Ｔｌｐ３１４、最後尾のパルスのライトパワーの終了位置を規定する８Ｔ−ｄＴｃ３１５、クーリングパワーの終了位置を規定する８Ｔ−ｄＴｓ３１６がある。
【０２４１】
なお本実施形態ではマークの長さは２Ｔから８Ｔまでとしているがこれに限らなくとも良い。また本実施形態では２Ｔはライトパワーのみの発光、３Ｔはライトパワーとミドルパワーでの発光、４Ｔから８Ｔは先頭のライトパワーでの発光とそれに続くミドルパワーでの発光とそれに続くライトパワーでの発光により記録しているがこれに限らなくとも良い。
【０２４２】
次に図１９を参照する。図１９はＤＩ２０１におけるＤＩ２０１−１の各情報の配置例であり、図１８に示す各パラメータの値が所定の配置に従って記録されている。本実施形態では、ｄＴｃ４０１について４Ｔマークと５Ｔ以上のマークで異なる値の設定を可能にし、５Ｔ以上のマークで共通の値を設定している。
【０２４３】
また、ｄＴｔｏｐ４０２について４Ｔ以上のマークで共通の値を設定し、Ｔｔｏｐ４０３について４Ｔ以上のマークで共通の値を設定している。
【０２４４】
また、Ｔｌｐ４０４について４Ｔ以上のマークで共通の値を設定し、ｄＴｓ４０５について４Ｔ以上のマークで共通の値を設定している。
【０２４５】
また、ｄＴｔｏｐ４０２について４Ｔ以上のマーク、３Ｔマーク、２Ｔマークのそれぞれについて、直前のスペースが２Ｔスペースの場合と、３Ｔスペースの場合と、４Ｔスペース以上の場合について異なる値の設定を可能にしている。
【０２４６】
また、Ｔｔｏｐ４０３について４Ｔ以上のマーク、３Ｔマーク、２Ｔマークのそれぞれについて、直前のスペースが２Ｔスペースの場合と、３Ｔスペースの場合と、４Ｔスペース以上の場合について異なる値の設定を可能にしている。
【０２４７】
なお本実施形態では、ｄＴｃ４０１について４Ｔマークと５Ｔ以上のマークで異なる値の設定を可能にし、５Ｔ以上のマークで共通の値を設定しているがこれに限らなくとも良い。
【０２４８】
同様にｄＴｔｏｐ４０２について４Ｔ以上のマークで共通の値を設定し、Ｔｔｏｐ４０３について４Ｔ以上のマークで共通の値を設定しているがこれに限らなくとも良い。
【０２４９】
同様にＴｌｐ４０４について４Ｔ以上のマークで共通の値を設定し、ｄＴｓ４０５について４Ｔ以上のマークで共通の値を設定しているがこれに限らなくとも良い。
【０２５０】
またｄＴｔｏｐ４０２について４Ｔ以上のマーク、３Ｔマーク、２Ｔマークのそれぞれについて、直前のスペースが２Ｔスペースの場合と、３Ｔスペースの場合と、４Ｔスペース以上の場合について異なる値の設定を可能にしているがこれに限らなくとも良い。
【０２５１】
同様にＴｔｏｐ４０３について４Ｔ以上のマーク、３Ｔマーク、２Ｔマークのそれぞれについて、直前のスペースが２Ｔスペースの場合と、３Ｔスペースの場合と、４Ｔスペース以上の場合について異なる値の設定を可能にしているがこれに限らなくとも良い。
【０２５２】
次に図２０を参照する。図２０はＤＩ２０１におけるＤＩ２０１−２の各情報の配置例であり、図１８に示す各パラメータの値が所定の配置に従って記録されている。ＤＩ２０１−２ではＤＩ２０１−１で共通の値を設定していた箇所について、直前直後のスペースに応じて異なる設定を可能にしている。なお例えば５Ｔマークを６Ｔ以上のマークとは異なる値の設定を行う等、本実施形態以外の追加設定であっても良い。また本実施形態ではパワー情報部の追加設定は行っておらず、従ってパワー情報部２０６とパワー情報部２１２には共通の値が記録されている。
【０２５３】
本実施形態では、ｄＴｃ４０１にて設定した、３Ｔマーク、４Ｔマーク、５Ｔ以上のマークのそれぞれについて、ｄＴｃ５０１では直後のスペースが２Ｔスペースの場合と、３Ｔスペースの場合と、４Ｔ以上のスペースの場合について異なる値の設定を可能にしている。
【０２５４】
なおｄＴｃ５０１において、例えば３Ｔマークの直後のスペースが２Ｔスペースの場合と、３Ｔスペースの場合と、４Ｔ以上スペースの場合とで異なる値の設定を可能にしているが、ｄＴｃ４０１における３Ｔマークの値を、ｄＴｃ５０１における３つの中の１つ、例えば４Ｔ以上スペースの値と共通にしても良いし、ｄＴｃ５０１の３Ｔマークの値をｄＴｃ４０１の値からの差分としても良い。なお以下のパラメータも同様に扱うものとする。
【０２５５】
また、ｄＴｔｏｐ４０２にて設定した、直前のスペースが２Ｔスペースのときの２Ｔマークについて、ｄＴｔｏｐ５０２では２Ｔスペースの直前のマークが２Ｔマークの場合と、３Ｔマークの場合と、４Ｔ以上のマークの場合について異なる値の設定を可能にしている。
【０２５６】
また、Ｔｔｏｐ４０３にて設定した、直前のスペースが２Ｔスペースのときの２Ｔマークについて、Ｔｔｏｐ５０３では２Ｔスペースの直前のマークが２Ｔマークの場合と、３Ｔマークの場合と、４Ｔ以上のマークの場合について異なる値の設定を可能にしている。
【０２５７】
また、Ｔｌｐ４０４にて設定した、４Ｔ以上のマークについて、Ｔｌｐ５０４では直後のスペースが２Ｔスペースの場合と、３Ｔスペースの場合と、４Ｔ以上のスペースの場合について異なる値の設定を可能にしている。
【０２５８】
また、ｄＴｓ４０５にて設定した、２Ｔマーク、３Ｔマーク、４Ｔ以上のマークのそれぞれについて、ｄＴｓ５０５では直後のスペースが２Ｔスペースの場合と、３Ｔスペースの場合と、４Ｔ以上のスペースの場合について異なる値の設定を可能にしている。
【０２５９】
さらに直後のスペースが２Ｔスペースの場合について、２Ｔスペースの直後のマークが２Ｔマークの場合と３Ｔマーク以上のマークの場合について異なる値を設定を可能にしている。
【０２６０】
なお本実施形態では、ｄＴｃ４０１にて設定した、３Ｔマーク、４Ｔマーク、５Ｔ以上のマークのそれぞれについて、ｄＴｃ５０１では直後のスペースが２Ｔスペースの場合と、３Ｔスペースの場合と、４Ｔ以上のスペースの場合について異なる値の設定を可能にしているがこれに限らなくとも良い。
【０２６１】
同様にｄＴｔｏｐ４０２にて設定した、直前のスペースが２Ｔスペースのときの２Ｔマークについて、ｄＴｔｏｐ５０２では２Ｔスペースの直前のマークが２Ｔマークの場合と、３Ｔマークの場合と、４Ｔ以上のマークの場合について異なる値の設定を可能にしているがこれに限らなくとも良い。
【０２６２】
同様にＴｔｏｐ４０３にて設定した、直前のスペースが２Ｔスペースのときの２Ｔマークについて、Ｔｔｏｐ５０３では２Ｔスペースの直前のマークが２Ｔマークの場合と、３Ｔマークの場合と、４Ｔ以上のマークの場合について異なる値の設定を可能にしているがこれに限らなくとも良い。
【０２６３】
同様にＴｌｐ４０４にて設定した、４Ｔ以上のマークについて、Ｔｌｐ５０４では直後のスペースが２Ｔスペースの場合と、３Ｔスペースの場合と、４Ｔ以上のスペースの場合について異なる値の設定を可能にしているがこれに限らなくとも良い。
【０２６４】
同様にｄＴｓ４０５にて設定した、２Ｔマーク、３Ｔマーク、４Ｔ以上のマークのそれぞれについて、ｄＴｓ５０５では直後のスペースが２Ｔスペースの場合と、３Ｔスペースの場合と、４Ｔ以上のスペースの場合について異なる値の設定を可能にしているがこれに限らなくとも良い。さらに直後のスペースが２Ｔスペースの場合について、２Ｔスペースの直後のマークが２Ｔマークの場合と３Ｔマーク以上のマークの場合について異なる値の設定を可能にしているがこれに限らなくとも良い。
【０２６５】
本実施形態において、ＤＩ２０１−１は従来の密度での記録時に分類する必要のあるパラメータであり、ＤＩ２０２−２は高密度での記録時に分類する必要のあるパラメータである。すなわち高密度化により、マーク間の熱干渉の影響が、マークの前または後ろに位置するスペースの長さや、特にスペースの長さが２Ｔの場合にはさらにそのスペースに隣接するマークの長さの熱干渉の影響を受けて記録マークのエッジ位置がずれることをＤＩ２０２−２のパラメータにより防止している。
【０２６６】
なお本実施形態において、ｄＴｔｏｐ４０２、Ｔｔｏｐ４０３についてはＤＩ２０１−１においてスペースの長さに応じた設定を行っているが、従来の密度における記録時の熱干渉の影響が小さい場合には、スペースの長さに応じた設定は全てＤＩ２０２−２に配置しても良い。
【０２６７】
なお本実施形態では、ＤＩ２０２−２にて追加したのは記録パルス情報部のみであるが、例えば記録マークが２Ｔのときだけライトパワーを変更する等、パワー情報部についても高密度記録用の追加を行っても良い。
【０２６８】
なお本実施形態では、完結判定情報２１８は完結していないことを示し、完結判定情報２２２は完結していることを示しているが、これらの情報以外にも例えば完結判定情報２１８はパワー情報、記録パルス情報のどの情報が完結していないのかを示しても良い。どの情報が完結していないのかを示すことにより、その情報のみを再生すれば良いことになり余分なＤＩを再生する時間を短縮することができる。
【０２６９】
なお本実施形態ではＤＩ２０２は従来のパラメータと追加したパラメータの２つのＤＩに分離しているが、分離するＤＩの数は２つに限らず３つ以上でも良い。また全部のＤＩ数や現在のＤＩが何番目であるかを示す情報が完結判定情報に示されていても良い。これにより、より確実に追加されたＤＩを再生することができる。
【０２７０】
なお本実施形態ではパワー情報部については追加設定を行っておらず、パワー情報部２０６とパワー情報部２１２には共通の値が記録されているが、追加設定を行わないときにはパワー情報部２１２にはダミーデータが記録されていても良いし、例えば“０”のような特定のデータが記録されていても良い。ダミーデータや特定のデータが記録されていることにより、記録装置は高密度用の追加設定がないことを確実に把握することができる。
【０２７１】
なお本実施形態ではパワー情報部については追加設定を行っておらず、パワー情報部２０６とパワー情報部２１２には共通の値が記録されているが、追加設定を行わないときにはパワー情報部自体を削除しても良い。削除することにより、余分なＤＩを再生する時間を短縮することができる。
【０２７２】
本実施形態の様に、ＤＩ２０２−１を従来の密度での記録時に分類する必要のあるパラメータとすることで、従来の密度で記録を行う情報記録媒体のＤＩを再生する際の、記録装置側の再生アルゴリズムを変更する必要がなくなり、高密度の情報記録媒体のＤＩを再生する際のアルゴリズムとの差異を最小限にすることができる。すなわち記録装置は、従来の密度で記録を行う情報記録媒体が装着されたときには、ＤＩ２０２−１に相当する従来のＤＩを再生し、高密度で記録を行う情報記録媒体が装着されたときには、ＤＩ２０２−１を従来の再生アルゴリズムで再生し、続いてＤＩ２０２−２を再生することにより、ＤＩ２０２−２の再生アルゴリズムだけを追加すれば良い。
【０２７３】
例えば従来の密度で記録を行う情報記録媒体のＤＩを再生し、ＤＩの所定のバイトを記録装置の所定の領域に書き込むシーケンスがある場合には、本シーケンスは高密度で記録を行う情報記録媒体に対しても同様に使用することができ、ＤＩの追加の情報に対してのみ新しいシーケンスを用いて、ＤＩの再生、記録装置の所定の領域への書き込みを実施すれば良い。
【０２７４】
また本実施形態の様に、ＤＩ２０２−１に従来の密度での記録時に分類する必要のあるパラメータを配置し、ＤＩ２０２−２に高密度での記録時にさらに細かく分類する必要のあるパラメータを配置することで、将来光学系の開発により光スポットサイズが小さくなった場合にはＤＩ２０２−１のパラメータのみを再生することにより高密度での記録を行うことが可能になり、余分なＤＩを再生する時間を短縮することができる。
【０２７５】
なお本実施形態では、従来密度での記録に必要なパラメータと高密度での記録に必要な追加パラメータという分類で２つのＤＩに分離を行ったが、分離の方法はこれに限らなくとも良い。
【０２７６】
なお本実施形態のＤＩ情報の全てまたは一部を記録装置が情報記録媒体の所定の領域に記録しても良い。その場合にはＤＩ情報を基に記録装置の特性ばらつきを加味して変更された値を記録しても良い。これにより次回所定の領域に記録されたＤＩ情報を再生することにより速やかにデータの記録を行うことができる。
【０２７７】
なお本実施形態のＤＩ情報の全てまたは一部を記録装置の所定のメモリに記憶しても良い。その場合にはＤＩ情報を基に記録装置の特性ばらつきを加味して変更された値を記憶しても良い。これにより次回所定のメモリに記憶されたＤＩ情報を再生することにより速やかにデータの記録を行うことができる。
【０２７８】
また本実施形態の様に、ＤＩ２０２−１に従来の密度での記録時に分類する必要のあるパラメータを配置し、ＤＩ２０２−２に高密度での記録時にさらに細かく分類する必要のあるパラメータを配置することで、ＤＩの記録密度が従来の情報記録媒体と同じ場合には、従来の情報記録媒体に記録を行う従来の記録装置でもＤＩを再生することができ、速やかに高密度記録を行う情報記録媒体であることを認識することができる。
【０２７９】
なお本実施形態では、従来密度での記録に必要なパラメータと高密度での記録に必要な追加パラメータという分類で２つのＤＩに分離を行ったが、分離の方法はこれに限らなくとも良い。以下図２７を参照する。図２７はＤＩの分離パターンの説明図である。
【０２８０】
（１）は上記の実施形態で説明した場合であり、１番目のＤＩに従来の密度での記録時に分類する必要のあるパラメータを格納し、２番目のＤＩに高密度での記録時に分類する必要のあるパラメータを格納する。
【０２８１】
（１）の様な格納パターンにすることにより、従来の密度で記録を行う情報記録媒体のＤＩを再生する際の、記録装置側の再生アルゴリズムを変更する必要がなくなり、高密度の情報記録媒体のＤＩを再生する際のアルゴリズムとの差異を最小限にすることができる。
【０２８２】
さらに（１）の様な格納パターンにすることにより、将来光学系の開発により光スポットサイズが小さくなった場合には２番目のＤＩのみを再生することにより高密度での記録を行うことが可能になり、余分なＤＩを再生する時間を短縮することができる。
【０２８３】
さらに（１）の様な格納パターンにすることにより、従来の情報記録媒体に記録を行う従来の記録装置でもＤＩを再生することができ、速やかに高密度記録を行う情報記録媒体であることを認識することができる。
【０２８４】
（２）は従来の密度で記録を行う情報記録媒体のＤＩとパラメータの並びを共通にした場合である。従来の密度で記録を行う情報記録媒体のＤＩの一例を図２８に示す。また高密度記録を行う情報記録媒体の１番目のＤＩの一例を図２９に、２番目のＤＩの一例を図３０に示す。
【０２８５】
（２）の様な格納パターンにすることにより、例えばｄＴｔｏｐ等のパラメータが分散されることがなくなり、情報記録媒体のスタンパをカッティングする際の情報の入力ミスを低減することができる。
【０２８６】
また、ｄＴｔｏｐ等の１つのパラメータを１番目と２番目に分断しないことにより、記録装置でのＤＩの再生時の読み取りエラーを低減することができる。
【０２８７】
（３）はマーク始端に関するパラメータとマーク終端に関するパラメータを分けた場合であり、１番目のＤＩの一例を図３１に、２番目のＤＩの一例を図３２に示す。図３１、図３２に示す様に、１番目のＤＩにマーク始端に関するパラメータを格納し、２番目のＤＩにマーク終端に関するパラメータを格納する。
【０２８８】
（３）の様な格納パターンにすることにより、一般に熱干渉はマーク始端部に影響することから記録に影響を与える方のパラメータを先行して配置することにより、２番目のＤＩが再生できなくなった場合でもデータの最低限の記録を行うことができる確率を高めることができる。
【０２８９】
（４）はバイト数が多いパラメータを１番目のＤＩに格納した場合であり、１番目のＤＩの例を図３３に、２番目のＤＩの例を図３４に示す。図３３において、ｄＴｔｏｐは１１バイト、Ｔｔｏｐは１１バイトであり、図３４において、ｄＴｃは９バイト、Ｔｌｐは３バイト、ｄＴｓは１０バイトである。
【０２９０】
バイト数が多いパラメータは一般に制御の精度が要求されるパラメータであり、（４）の様な格納パターンにすることにより、２番目のＤＩが再生できなくなった場合でもデータの最低限の記録を行うことができる確率を高めることができる。
【０２９１】
なお本実施形態では図３４において、ｄＴｃ、Ｔｌｐ、ｄＴｓの順番に格納しているが、バイト数の大きいｄＴｓ、ｄＴｃ、Ｔｌｐの順番に格納しても良い。
【０２９２】
なお図２７に示す形態以外にも、１番目のＤＩと２番目のＤＩを通して、マークにもスペースにも依存しないパラメータ、マークにだけ依存するパラメータ、マークとスペースの両方に依存するパラメータの順に格納しても良い。このような格納方法にすることにより、単純なパラメータから複雑なパラメータに徐々に移行していくことで、情報記録媒体のスタンパをカッティングする際の情報の入力するときに、整然と並んでいることで入力ミスを低減することができる。なお複雑なパラメータから単純なパラメータに移行していく場合も同様である。
【０２９３】
なお、１番目のＤＩと２番目のＤＩを通して、マークにもスペースにも依存しないパラメータ、マークにだけ依存するパラメータ、マークとスペースの両方に依存するパラメータの順に格納する際に、各区分においては時間の早い順番に格納しても良い。例えば同じ区分にｄＴｔｏｐとＴｔｏｐが存在するときにはｄＴｔｏｐが先に格納され、ＴｌｐとｄＴｓが存在するときにはＴｌｐが先に格納される。時間の早い順番に格納することにより、同一区分内でパラメータが時間順に整然と並ぶことで、情報記録媒体のスタンパをカッティングする際の情報の入力ミスを低減することができる。
【０２９４】
なお上記の様な区分に分けることなくパラメータを時間順に並べた場合でも、パラメータが時間順に整然と並ぶことで、情報記録媒体のスタンパをカッティングする際の情報の入力ミスを低減することができる。
【０２９５】
次に図３５を参照する。図３５は制御情報領域のフォーマットの一例である。図３５において、制御情報領域１０１は、ＤＩ２０１および２０２と、ヘッダ情報２０３と、第１の記録再生制御情報２０４と、第１のディスク情報部２０５と、第１のパワー情報部２０６と、第１の記録パルス情報部２０７と、フッタ情報２０８と、ヘッダ情報２０９と、第２の記録再生制御情報２１０と、第２のディスク情報部２１１と、第２のパワー情報部２１２と、第２の記録パルス情報部２１３と、フッタ情報２１４とを有している。
【０２９６】
なおＤＩ２０１とＤＩ２０２の内容は同じであり、繰り返して記録されていることにより、ＤＩ２０１が傷等により劣化していてもＤＩ２０２を再生することで記録再生制御情報を取得することができる。
【０２９７】
ここでＤＩ２０１、ＤＩ２０２はキャッスル型ライトストラテジのＤＩであるが、ＤＩはキャッスル型ライトストラテジに限らなくとも良い。ＤＩ２０１とＤＩ２０２の間の領域には例えば図２３に示す様なタイプのＤＩが記録されていても良いし、層の異なるキャッスル型ライトストラテジのＤＩや、記録倍速の異なるキャッスル型ライトストラテジのＤＩが記録されていても良い。
【０２９８】
なおヘッダ情報２０３とヘッダ情報２０９には同じ情報が記録されており、ヘッダ情報を見つけることで直後に記録再生制御情報があることを認識することができる。同様にフッタ情報２０８とフッタ情報２１４には同じ情報が記録されており、フッタ情報を見つけることで直前に記録再生制御情報があることを認識することができる。
【０２９９】
ディスク情報部２０５、ディスク情報部２１１にはディスク容量や、記録可能な記録層の層数や、トラッキングサーボの極性等と共にＤＩが完結しているかどうかの完結判定情報が記録されている。従って本実施形態ではディスク情報部２０５の完結判定情報は完結していないことを示し、ディスク情報部２１１の完結判定情報は完結していることを示す。
【０３００】
なおこれらの情報以外にも、どの層に記録するのかを示す層情報や、どの倍速で記録するのかを示す倍速情報や、ＤＩの総数を示すＤＩ個数情報や、現在再生しているＤＩが全体の何番目のＤＩであるかを示す情報が記録されていても良い。
【０３０１】
またディスク情報部２０５には、さらに不足ＤＩ有無情報が記録されていても良い。不足ＤＩ情報２２３と不足ＤＩ情報２２４には同じ情報が記録されており、ＤＩ２０１とＤＩ２０２の間の領域に、必要な全てのＤＩが記録されているときには、不足ＤＩ有無情報２２３、不足ＤＩ有無情報２２４には、不足しているＤＩ情報がないというフラグが記録されている。
【０３０２】
一方でＤＩ２０１とＤＩ２０２の間に領域に記録されているＤＩ以外にもＤＩ情報が存在する場合には、不足ＤＩ有無情報２２４には、制御情報領域１０１には不足しているＤＩ情報が存在するというフラグや、不足しているＤＩの個数情報や、不足しているＤＩの記録先の情報が記録されている。不足ＤＩ有無情報２２３の構成例を図３６に示す。図３６において２１０１は不足ＤＩ有無フラグ、２１０２は不足ＤＩ記録先情報、２１０３は不足ＤＩ個数情報である。
【０３０３】
図２１に示すようにリードイン領域にはＮ個のＤＩを記録することができるが、ディスク作成技術の進化によりディスクの層数が増える、あるいはモータ技術の進化により回転数が高くなることで記録倍速が上がることにより、ＤＩ数が不足する可能性がある。一方でＤＩの領域を確保したにも関わらず使用されていない場所はダミーデータや“０”の様な特定のデータが記録されることから、データ領域の増やす観点ではＤＩのための領域は必要最低限であることが望ましい。そこで本実施形態では、不足ＤＩ有無情報２２３、不足ＤＩ有無情報２２４に、制御情報領域１０１に不足しているＤＩが存在するというフラグを記録したときには、制御情報領域１０１に記録されていないＤＩを制御情報領域１０１とは異なる領域、例えばトラックのウォブルに重畳して記録する。なお本実施形態では不足ＤＩの情報の記録するための領域はディスク情報部２０５、ディスク情報部２１１の両方に設けられているが、いずれか一方であっても良い。
【０３０４】
また本実施形態では、制御情報領域１０１に記録できなかったＤＩを異なる領域に記録しているが、制御情報領域１０１に記録されているＤＩと制御情報領域１０１に記録されていない不足分のＤＩの両方のＤＩを異なる領域に記録しても良い。
【０３０５】
また本実施形態では、制御情報領域１０１に記録できないＤＩを異なる制御情報領域やトラックのウォブル情報に重畳して記録しているが、制御情報領域１０１よりも内側に設けられているＢＣＡ（Ｂｕｒｓｔ  Ｃｕｔｔｉｎｇ  Ａｒｅａ）領域や、それ以外の領域に記録しても良い。
【０３０６】
なお本実施形態では、不足ＤＩ有無情報は制御情報領域に記録されているが、不足ＤＩ情報はそれ以外の領域に記録されていても良く、例えばＢＣＡ領域に記録されていても良い。ＢＣＡ領域はフォーカスサーボのみが入っている状態で再生することができ、より高い精度で、またより早い段階で不足ＤＩの有無情報を把握することができる。
【０３０７】
なお制御情報領域に記録できないＤＩを異なる領域に記録する際には、不足ＤＩ記録先情報２１０２で指定された領域においても、ＤＩのための領域を確保することになるが、その場合にも、使用されていない領域が発生した場合には、ダミーデータや“０”の様な特定のデータを記録することにより、元々の領域を有効に使用できない可能性がある。
【０３０８】
そこでＤＩを記録する制御情報領域とは異なる領域において、不足ＤＩが存在しない場合でも不足ＤＩのための領域を確保するフォーマットと、不足ＤＩが存在しない場合には不足ＤＩのための領域を確保しないフォーマットを選択できることが望ましく、どちらを選択するかを指定するフラグが不足ＤＩ有無情報に記録されていても良い。
【０３０９】
本実施形態の様に、不足ＤＩ有無情報が記録されていることにより、所定の制御情報領域内だけではＤＩが不足しているときに、速やかにＤＩが不足していることを把握して、異なる領域に記録されているＤＩを取得することができる。
【０３１０】
なお本実施形態の様に不足ＤＩ有無情報を設け不足分を異なる領域に記録する方式は、制御情報領域の消費が増大する、１つの記録条件を複数のＤＩに分けて記載する場合に特に効果を奏する。
【０３１１】
以上の様に、本発明によれば将来の情報記録媒体の高密度化により記録パルス情報が拡張されて記録再生制御情報の情報量が増大した場合や、情報記録媒体の層数が増えることにより記録再生制御情報の総情報量が増大した場合や、モータの回転数の増加により情報記録媒体の記録倍速パターンが増えることにより記録再生制御情報の総情報量が増大した場合でも、適切に記録再生制御情報を読み出し、読み出した記録再生制御情報を基にユーザデータを正しく記録することができる。
【０３１２】
本実施形態にかかる情報記録媒体は複数のトラックを有しており、トラックへのレーザ光のパルス照射により、情報が記録される。そして当該情報記録媒体は、情報を記録するための情報記録領域と、記録再生を行うための制御情報領域とを有している。制御情報領域は第１の制御情報と第２の制御情報とを有し、第１の制御情報、もしくは第１の制御情報と第２の制御情報の両方の制御情報を基に情報の記録が行われる。
【０３１３】
これにより、従来密度の情報記録媒体の記録再生制御情報を再生する場合と、高密度の情報記録媒体の記録再生制御情報を再生する場合とで、再生アルゴリズムの変更を最小限にすることができる。
【０３１４】
また、本実施形態による情報記録媒体は、情報を記録するための情報記録領域と、記録再生を行うための制御情報が記録された制御情報領域とを有している。情報は、情報記録媒体への少なくとも２セットのレーザ光のパルス照射条件で記録される。このパルス照射条件は制御情報領域に記載されている。この制御情報領域は、情報の記録が可能なレーザ光のパルス照射条件のセット数が、制御情報領域に記載されているパルス照射条件のセット数よりも多いとき、制御情報領域内に全てのパルス照射条件が記載されていないことを示すフラグを有している。
【０３１５】
上述の情報記録媒体によれば、将来の情報記録媒体の高密度化により記録パルス情報が拡張されて記録再生制御情報の情報量が増大した場合や、情報記録媒体の層数が増えることにより記録再生制御情報の総情報量が増大した場合や、モータの回転数の増加により情報記録媒体の記録倍速パターンが増えることにより記録再生制御情報の総情報量が増大した場合でも、適切に記録再生制御情報を読み出し、読み出した記録再生制御情報を基にユーザデータを正しく記録することができる。
【０３１６】
（実施形態５）
本発明が適用可能な記録媒体の一例として、ブルーレイディスク（ＢＤ）や他の規格の光ディスクがある。上述の実施形態１〜４においてはＢＤを例に挙げて説明しているため、以下、ＢＤの構成を概略的に説明する。
【０３１７】
＜主要パラメータ＞
ＢＤには、記録膜の特性に応じて、再生専用型であるＢＤ−ＲＯＭ，追記記録型・ライトワンス型であるＢＤ−Ｒ，書換記録型であるＢＤ−ＲＥなどのタイプがあり、本発明は、ＢＤや他の規格の光ディスクにおけるＲ(追記型・ライトワンス型)，ＲＥ(書換型)のいずれのタイプの記録媒体にも適用可能である。ブルーレイディスクの主な光学定数と物理フォーマットについては、「ブルーレイディスク読本」（オーム社出版）やブルーレイアソシエーションのホームページ（http://www.blu-raydisc.com/）に掲載されているホワイトペーパに開示されている。
【０３１８】
ＢＤでは、波長が略４０５ｎｍ（標準値４０５ｎｍに対して誤差範囲の許容値を±５ｎｍとすれば、４００〜４１０ｎｍ）のレーザ光および開口数（ＮＡ：Numerical Aperture）が略０．８５（標準値０．８５に対して誤差範囲の許容値を±０．０１とすれば、０．８４〜０．８６）の対物レンズを用いる。ＢＤのトラックピッチは略０．３２μｍ（標準値０．３２０μｍに対して誤差範囲の許容値を±０．０１０μｍとすれば、０．３１０〜０．３３０μｍ）であり、記録層が１層または２層設けられている。記録層の記録面がレーザ入射側から片面１層あるいは片面２層の構成であり、ＢＤの保護層の表面から記録面まで距離は７５μｍ〜１００μｍである。
【０３１９】
記録信号の変調方式は１７ＰＰ変調を利用し、記録されるマークの最短マーク（２Ｔマーク：Ｔは基準クロックの周期（所定の変調則によってマークを記録する場合における、変調の基準周期））のマーク長は０．１４９μｍ（又は０．１３８μｍ）（チャネルビット長：Ｔが７４．５０ｎｍ（又は６９．００ｎｍ））である。記録容量は片面単層２５ＧＢ（又は２７ＧＢ）（より詳細には、２５．０２５ＧＢ（又は２７．０２０ＧＢ））、または、片面２層５０ＧＢ（又は５４ＧＢ）（より詳細には、５０．０５０ＧＢ（又は５４．０４０ＧＢ））である。
【０３２０】
チャネルクロック周波数は、標準速度（ＢＤ１ｘ）の転送レートでは６６ＭＨｚ（チャネルビットレート６６．０００Ｍｂｉｔ／ｓ）であり、４倍速（ＢＤ４ｘ）の転送レートでは２６４ＭＨｚ（チャネルビットレート２６４．０００Ｍｂｉｔ／ｓ）、６倍速（ＢＤ６ｘ）の転送レートでは３９６ＭＨｚ（チャネルビットレート３９６．０００Ｍｂｉｔ／ｓ）、８倍速（ＢＤ８ｘ）の転送レートでは５２８ＭＨｚ（チャネルビットレート５２８．０００Ｍｂｉｔ／ｓ）である。
【０３２１】
標準線速度（基準線速度、１ｘ）は４．９１７ｍ／ｓｅｃ（又は、４．５５４ｍ／ｓｅｃ）である。２倍（２ｘ）、４倍（４ｘ）、６倍（６ｘ）および８倍（８ｘ）の線速度は、それぞれ、９．８３４ｍ／ｓｅｃ、１９．６６８ｍ／ｓｅｃ、２９．５０２ｍ／ｓｅｃおよび３９．３３６ｍ／ｓｅｃである。標準線速度よりも高い線速度は一般的には、標準線速度の正の整数倍であるが、整数に限られず、正の実数倍であってもよい。また、０．５倍（０．５ｘ）など、標準線速度よりも遅い線速度も定義し得る。
【０３２２】
なお、上記は既に商品化が進んでいる、主に１層当たり約２５ＧＢ（又は約２７ＧＢ）の１層又は２層のＢＤに関するものであるが、更なる大容量化として、１層あたりの記録容量を略３２ＧＢ又は略３３．４ＧＢとした高密度なＢＤや、層数を３層又は４層としたＢＤも検討されており、以降では、それらに関しても説明する。
【０３２３】
＜多層について＞
レーザ光を保護層の側から入射して情報が再生及び／又は記録される片面ディスクとすると、記録層を二層以上にする場合、基板と保護層の間には複数の記録層が設けられることになるが、その場合における多層ディスクの一般的な構成例を図３７に示す。図示された光ディスクは、（ｎ＋１）層の情報記録層２２０２で構成されている（ｎは０以上の整数）。その構成を具体的に説明すると、光ディスクには、レーザ光２２０５が入射する側の表面から順に、カバー層２２０１、（ｎ＋１）枚の情報記録層（Ｌｎ〜Ｌ０層）２２０２、そして基板２２００が積層されている。また、（ｎ＋１）枚の情報記録層２２０２の層間には、光学的緩衝材として働く中間層２２０３が挿入されている。つまり、光入射面から所定の距離を隔てた最も奥側の位置（光源から最も遠い位置）に基準層（Ｌ０）を設け、基準層（Ｌ０）から光入射面側に層を増やすように記録層を積層（Ｌ１，Ｌ２，・・・，Ｌｎ）している。
【０３２４】
ここで、単層ディスクと比較した場合、多層ディスクにおける光入射面から基準層Ｌ０までの距離を、単層ディスクにおける光入射面から記録層までの距離とほぼ同じ（例えば０．１ｍｍ程度）にしてもよい。このように層の数に関わらず最奥層（最遠層）までの距離を一定にする（すなわち、単層ディスクにおける場合とほぼ同じ距離にする）ことで、単層か多層かに関わらず基準層へのアクセスに関する互換性を保つことができる。また、層数の増加に伴うチルト影響の増加を抑えることが可能となる。チルト影響の増加を抑えることが可能になるのは、最奥層が最もチルトの影響を受けるが、最奥層までの距離を、単層ディスクとほぼ同じ距離とすることで、層数が増加しても最奥層までの距離が増加することがなくなるからである。
【０３２５】
また、スポットの進行方向（あるいは、トラック方向，スパイラル方向とも言う）に関しては、パラレル・パスとしても、オポジット・パスとしてもよい。
【０３２６】
パラレル・パスでは、全ての層において、再生方向が同一である。つまり、スポットの進行方向は、全層にて内周から外周の方向へ、又は全層にて外周から内周の方向へ進行する。
【０３２７】
一方、オポジット・パスでは、ある層とその層に隣接する層とで、再生方向が逆になる。つまり、基準層（Ｌ０）における再生方向が、内周から外周へ向かう方向である場合、記録層Ｌ１における再生方向は外周から内周へ向かう方向であり、記録層Ｌ２では内周から外周へ向かう方向である。すなわち、再生方向は、記録層Ｌｍ（ｍは０及び偶数）では内周から外周へ向かう方向であって、記録層Ｌｍ＋１では外周から内周へ向かう方向である。あるいは、記録層Ｌｍ（ｍは０及び偶数）では外周から内周へ向かう方向であって、記録層Ｌｍ＋１では内周から外周へ向かう方向である。
【０３２８】
保護層（カバー層）の厚さは、開口数ＮＡが上がることで、焦点距離が短くなるのに伴って、またチルトによるスポット歪みの影響を抑えられるよう、より薄く設定される。開口数ＮＡは、ＣＤでは０．４５，ＤＶＤでは０．６５に対して、ＢＤでは略０．８５に設定される。例えば記録媒体の総厚さ１．２ｍｍ程度のうち、保護層の厚さを１０〜２００μｍとしてもよい。より具体的には、１．１ｍｍ程度の基板に、単層ディスクならば０．１ｍｍ程度の透明保護層、二層ディスクならば０．０７５ｍｍ程度の保護層に０．０２５ｍｍ程度の中間層（Ｓｐａｃｅｒ Ｌａｙｅｒ）が設けられてもよい。三層以上のディスクならば、保護層及び／又は中間層の厚さはさらに薄くしてもよい。
【０３２９】
＜１層から４層の各構成例＞
ここで、単層ディスクの構成例を図３８に、二層ディスクの構成例を図３９に、三層ディスクの構成例を図４０に、四層ディスクの構成例を図４１に示す。前述のように、光照射面から基準層Ｌ０までの距離を一定にする場合、図３９から図４１のいずれにおいても、ディスクの総厚さは略１．２ｍｍ（レーベル印刷なども含んだ場合、１．４０ｍｍ以下にするのが好ましい）、基板２２００の厚さは略１．１ｍｍ、光照射面から基準層Ｌ０までの距離は略０．１ｍｍとなる。図３８の単層ディスク（図３７においてｎ＝０の場合）においては、カバー層２２０１１の厚さは略０．１ｍｍ、また、図３９の二層ディスク（図３７においてｎ＝１の場合）においては、カバー層２２０１２の厚さは略０．０７５ｍｍ、中間層２２０３２の厚さは略０．０２５ｍｍ、また、図４０の三層ディスク（図３７においてｎ＝２の場合）や図４１の四層ディスク（図３７においてｎ＝３の場合）においては、カバー層２２０１３，２２０１４の厚さ、及び／又は、中間層２２０３３，２２０３４の厚さは、更に薄くなる。
【０３３０】
＜光ディスクの製造方法＞
これらの単層又は多層のディスク（ｋ層の記録層を有するディスク，ｋは１以上の整数）は、以下のような工程により製造することができる。
【０３３１】
つまり、厚さが略１．１ｍｍの基板上に、開口数が０．８４以上、０．８６以下の対物レンズを介して、波長が４００ｎｍ以上、４１０ｎｍ以下のレーザを照射することにより情報が再生可能なｋ個の記録層が形成される。
【０３３２】
次に、記録層と記録層との間にはｋ−１個の中間層が形成される。なお、単層ディスクの場合、ｋ＝１となるので、ｋ−１＝０となり中間層は形成されない。
【０３３３】
次に、基板側から数えてｋ番目の記録層（多層ディスクの場合は、基板から最も遠い記録層）の上に、厚さが０．１ｍｍ以下の保護層が形成される。
【０３３４】
そして、記録層を形成する工程において、基板側から数えてｉ番目（ｉは１以上、ｋ以下の奇数）の記録層が形成される際には、再生方向がディスクの内周側から外周側の方向となるように同心円状又はスパイラル状のトラックが形成される。また、基板側から数えてｊ番目（ｊは１以上、ｋ以下の偶数）の記録層が形成される際には、再生方向がディスクの外周側から内周側の方向となるように同心円状又はスパイラル状のトラックが形成される。なお、単層ディスクの場合、ｋ＝１となるので、ｋ＝１における１以上、ｋ以下を満たす奇数であるｉは“１”しか存在しないため、ｉ番目の記録層としては１つの記録層しか形成されず、また、ｋ＝１における１以上、ｋ以下を満たす偶数であるｊは存在しないため、ｊ番目の記録層は形成されないことになる。
【０３３５】
そして、記録層におけるトラックには、各種の領域が割り当て可能となる。
【０３３６】
本発明では、特に実施形態１〜４で述べた制御情報に含まれる記録パルス情報を制御情報領域へ記録するための記録方法としては、以下の製造方法によっても実行可能である。
【０３３７】
つまり、マークとスペースとを組み合わせたデータ列が記録可能な情報記録媒体を製造する方法であって、
基板と、前記基板上に情報記録層と、前記情報記録層上に透明保護層とを積層するステップと、
前記情報記録層に、情報を記録するための情報記録領域を形成するステップと、
前記情報記録層に記録再生を行うため情報である制御情報を記録するための制御情報領域を形成するステップと、
前記制御情報領域に前記制御情報を記録するステップと、を有する情報記録媒体の製造方法としても実行可能である。
【０３３８】
そして、前記制御情報は、基準値で情報が格納された第１の記録パルス情報とオフセット値で情報が格納された第２の記録パルス情報を有しており、前記オフセット値の情報量は、前記基準値の情報量の２分の１以上となる。
【０３３９】
及び／又は、前記制御情報は、基準値で情報が格納された第１の記録パルス情報とオフセット値で情報が格納された第２の記録パルス情報を有しており、前記オフセット値の情報量は、記録パルスのパルス幅やパルス位置を、１Ｔ（Ｔ：チャネルクロック）のｎ分の１（ｎ：正の整数）の精度で定義可能なとき、少なくともｎ分の２の範囲を定義可能な情報量となる。
【０３４０】
＜光ディスクの再生装置／方法＞
このような単層又は多層のディスク（ｋ層の記録層を有するディスク，ｋは１以上の整数）の再生は、以下のような構成を有する再生装置によって行われる。
【０３４１】
ディスクの構成としては、厚さが略１．１ｍｍの基板と、前記基板上にｋ個の記録層と、記録層と記録層との間にはｋ−１個の中間層と（なお、単層ディスクの場合、ｋ＝１となるので、ｋ−１＝０となり中間層は存在しない）、基板側から数えてｋ番目の記録層（多層ディスクの場合は、基板から最も遠い記録層）の上に、厚さが０．１ｍｍ以下の保護層と、を有する。ｋ個の記録層のそれぞれにはトラックが形成され、そのうちの少なくとも１つのトラックには、各種の領域が割り当て可能である。  そして、前記保護層の表面側から、開口数が０．８４以上、０．８６以下の対物レンズを介して、波長が４００ｎｍ以上、４１０ｎｍ以下のレーザを照射する光ヘッドによりｋ個の記録層のそれぞれから情報の再生が可能となる。
【０３４２】
そして、基板側から数えてｉ番目（ｉは１以上、ｋ以下の奇数）の記録層では、同心円上又はスパイラル状のトラックが形成されており、ディスクの内周側から外周側の方向に再生する制御部により、再生方向を制御することで、ｉ番目の記録層から情報を再生することができる。
【０３４３】
また、基板側から数えてｊ番目（ｊは１以上、ｋ以下の奇数）の記録層では、同心円上又はスパイラル状のトラックが形成されており、ディスクの外周側から内周側の方向に再生する制御部により、再生方向を制御することで、ｊ番目の記録層から情報を再生することができる。
【０３４４】
本発明の場合、実施形態１〜４で述べた記録パルス情報を格納した情報記録媒体の再生方法、又は、前述の製造方法によって製造された情報記録媒体の再生方法としては、
前記情報記録領域へレーザを照射するステップと、
前記制御情報に含まれる前記第１の記録パルス情報と前記第２の記録パルス情報に基づいて調整された記録波形によって、前記情報記録領域へ記録されたデータ列を再生するステップと、を含む。
【０３４５】
＜変調＞
次に、記録信号の変調方式を説明する。データ（オリジナルのソースデータ／変調前のバイナリデータ）を記録媒体に記録する場合、所定のサイズに分割され、さらに所定のサイズに分割されたデータは所定の長さのフレームに分割され、フレーム毎に所定のシンクコード／同期符号系列が挿入される（フレームシンク領域）。フレームに分割されたデータは、記録媒体の記録再生信号特性に合致した所定の変調則に従って変調されたデータ符号系列として記録される（フレームデータ領域）。
【０３４６】
ここで変調則としては、マーク長が制限されるＲＬＬ（ＲｕｎＬｅｎｇｔｈＬｉｍｉｔｅｄ）符号化方式などでもよく、ＲＬＬ（ｄ，ｋ）と表記した場合、１と１の間に出現する０が最小ｄ個，最大ｋ個であることを意味する（ｄおよびｋは、ｄ＜ｋを満たす自然数である）。例えばｄ＝１，ｋ＝７の場合、Ｔを変調の基準周期とすると、最短が２Ｔ、最長が８Ｔの記録マーク及びスペースとなる。またＲＬＬ（１，７）変調に更に次の［１］［２］の特徴を加味した１−７ＰＰ変調としてもよい。１−７ＰＰの“ＰＰ”とは、Parity preserve／Prohibit Repeated Minimum Transition Lengthの略で、［１］最初のＰであるParity preserveは、変調前のソースデータビットの“１”の個数の奇偶（すなわちParity）と、それに対応する変調後ビットパターンの“１”の個数の奇偶が一致していることを意味し、［２］後ろの方のＰであるProhibit Repeated Minimum Transition Lengthは、変調後の記録波形の上での最短マーク及びスペースの繰り返し回数を制限（具体的には、２Ｔの繰り返し回数を最大６回までに制限）する仕組みを意味する。
【０３４７】
なお、以上の各種のフォーマットや方式によれば、記録密度が向上すると、複数の記録密度が存在する可能性が生じることになる。しかしながら、記録密度の違いにより、その一部を採用し、一部を採用せずに別のフォーマットや方式を採用してもよい。
【０３４８】
（実施形態６）
図４２は、本実施形態による光ディスク１の物理的構成を示す。円盤状の光ディスク１には、たとえば同心円状またはスパイラル状に多数のトラック２が形成されており、各トラック２には細かく分けられた多数のセクタが形成されている。なお、後述するように、各トラック２には予め定められたサイズのブロック３を単位としてデータが記録される。
【０３４９】
本実施形態による光ディスク１は、従来の光ディスク（たとえば２５ＧＢのＢＤ）よりも情報記録層１層あたりの記録容量が拡張されている。記録容量の拡張は、記録線密度を向上させることによって実現されており、たとえば光ディスクに記録される記録マークのマーク長をより短くすることによって実現される。ここで「記録線密度を向上させる」とは、チャネルビット長を短くすることを意味する。このチャネルビットとは、基準クロックの周期Ｔ（所定の変調則によってマークを記録する場合における、変調の基準周期Ｔ）に相当する長さをいう。なお、光ディスク１は多層化されていてもよい。ただし、以下では説明の便宜のため、１つの情報記録層にのみ言及する。また、複数の情報記録層が設けられている場合において、各情報記録層に設けられたトラックの幅が同一であるときでも、層ごとにマーク長が異なり、同一層中ではマーク長が一様であることで、層ごとに記録線密度を異ならせてもよい。
【０３５０】
トラック２は、データの記録単位６４ｋＢ（キロバイト）毎にブロックに分けられて、順にブロックアドレス値が割り振られている。ブロックは、所定の長さのサブブロックに分割され、３個のサブブロックで１ブロックを構成している。サブブロックは、前から順に０から２までのサブブロック番号が割り振られている。
【０３５１】
＜記録密度について＞
次に、記録密度について、図４３、図４４および図４５を用いて説明する。
【０３５２】
図４３（Ａ）は２５ＧＢのＢＤの例を示す。ＢＤでは、レーザ１２３の波長は４０５ｎｍ、対物レンズ２２０の開口数（Ｎｕｍｅｒｉｃａｌ  Ａｐｅｒｔｕｒｅ；ＮＡ）は０．８５である。
【０３５３】
ＤＶＤ同様、ＢＤにおいても、記録データは光ディスクのトラック２上に物理変化のマーク列２３２０、２３２１として、記録される。このマーク列の中で最も長さの短いものを「最短マーク」という。図では、マーク２３２１が最短マークである。
【０３５４】
２５ＧＢ記録容量の場合、最短マーク２３２１の物理的長さは０．１４９ｕｍとなっている。これは、ＤＶＤの約１／２．７に相当し、光学系の波長パラメータ（４０５ｎｍ）とＮＡパラメータ(０．８５)を変えて、レーザの分解能を上げても、光ビームが記録マークを識別できる限界である光学的な分解能の限界に近づいている。
【０３５５】
図４４は、トラック上に記録されたマーク列に光ビームを照射させている様子を示す。ＢＤでは、上記光学系パラメータにより光スポット２３３０は、約０．３９ｕｍ程度となる。光学系の構造は変えないで記録線密度向上させる場合、光スポット２３３０のスポット径に対して記録マークが相対的に小さくなるため、再生の分解能は悪くなる。
【０３５６】
たとえば図４３（Ｂ）は、２５ＧＢのＢＤよりも高記録密度の光ディスクの例を示す。このディスクでも、レーザ２３２３の波長は４０５ｎｍ、対物レンズ２４２０の開口数（Ｎｕｍｅｒｉｃａｌ  Ａｐｅｒｔｕｒｅ；ＮＡ）は０．８５である。このディスクのマーク列２３２５、２３２４のうち、最短マーク２３２５の物理的長さは０．１１１５ｕｍとなっている。図４３（Ａ）と比較すると、スポット径は同じ約０．３９ｕｍである一方、記録マークが相対的に小さくなり、かつ、マーク間隔も狭くなるため、再生の分解能は悪くなる。
【０３５７】
光ビームで記録マークを再生した際の再生信号の振幅は記録マークが短くなるに従って低下し、光学的な分解能の限界でゼロとなる。この記録マークの周期の逆数を空間周波数といい、空間周波数と信号振幅の関係をＯＴＦ（Ｏｐｔｉｃａｌ Ｔｒａｎｓｆｅｒ Ｆｕｎｃｔｉｏｎ)という。信号振幅は、空間周波数が高くになるに従ってほぼ直線的に低下する。信号振幅がゼロとなる再生の限界周波数を、ＯＴＦカットオフ（ｃｕｔｏｆｆ）という。
【０３５８】
図４５は、２５ＧＢ記録容量の場合のＯＴＦと最短記録マークとの関係を示すグラフである。ＢＤの最短マークの空間周波数は、ＯＴＦカットオフに対して８０％程度であり、ＯＴＦカットオフに近い。また、最短マークの再生信号の振幅も、検出可能な最大振幅の約１０％程度と非常に小さくなっているこが分かる。ＢＤの最短マークの空間周波数が、ＯＴＦカットオフに非常に近い場合、すなわち、再生振幅がほとんど出ない場合の記録容量は、ＢＤでは、約３１ＧＢに相当する。最短マークの再生信号の周波数が、ＯＴＦカットオフ周波数付近である、または、それを超える周波数であると、レーザの分解能の限界、もしくは超えていることもあり、再生信号の再生振幅が小さくなり、ＳＮ比が急激に劣化する領域となる。
【０３５９】
そのため、図４３（Ｂ）の高記録密度光ディスクの記録線密度は、再生信号の最短マークの周波数が、ＯＴＦカットオフ周波数付近の場合（ＯＴＦカットオフ周波数以下だがＯＴＦカットオフ周波数を大きく下回らない場合も含む）からＯＴＦカットオフ周波数以上の場合が想定できる。
【０３６０】
図４６は、最短マーク（２Ｔ）の空間周波数がＯＴＦカットオフ周波数よりも高く、かつ、２Ｔの再生信号の振幅が０であるときの、信号振幅と空間周波数との関係の一例を示したグラフである。図４６において、最短マーク長の２Ｔの空間周波数は、ＯＴＦカットオフ周波数の１．１２倍である。
【０３６１】
＜波長と開口数とマーク長との関係＞
また、高記録密度のディスクＢにおける波長と開口数とマーク長／スペース長との関係は以下の通りである。
【０３６２】
最短マーク長をＴＭｎｍ、最短スペース長をＴＳｎｍとしたとき、（最短マーク長＋最短スペース長）を“Ｐ”で表すと、Ｐは、（ＴＭ＋ＴＳ）ｎｍである。１７変調の場合、Ｐ＝２Ｔ＋２Ｔ＝４Ｔとなる。レーザ波長λ（４０５ｎｍ±５ｎｍ、すなわち４００〜４１０ｎｍ）、開口数ＮＡ（０．８５±０．０１すなわち０．８４〜０．８６）、最短マーク＋最短スペース長Ｐ（１７変調の場合、最短長は２Ｔとなるため、Ｐ＝２Ｔ＋２Ｔ＝４Ｔ）の３つのパラメータを用いると、
Ｐ  ≦  λ／２ＮＡ
となるまで基準Ｔが小さくなると、最短マークの空間周波数は、ＯＴＦカットオフ周波数を超えることになる。
【０３６３】
ＮＡ＝０．８５，λ＝４０５としたときの、ＯＴＦカットオフ周波数に相当する基準Ｔは、
Ｔ  ＝  ４０５／（２ｘ０．８５）／４  ＝  ５９．５５８ｎｍ
となる（なお、逆に、Ｐ  ＞  λ／２ＮＡ  である場合は、最短マークの空間周波数はＯＴＦカットオフ周波数より低い）。
【０３６４】
このように、記録線密度を上げるだけでも、光学的な分解能の限界によりＳＮ比が劣化する。よって、情報記録層の多層化によるＳＮ比劣化は、システムマージンの観点で、許容できない場合がある。特に、上述のように、最短記録マークの周波数が、ＯＴＦカットオフ周波数を越える辺りから、ＳＮ比劣化が顕著になる。
【０３６５】
なお、以上では、最短マークの再生信号の周波数とＯＴＦカットオフ周波数を比較して記録密度に関して述べたものであるが、更に高密度化が進んだ場合には、次最短マーク（更には次々最短マーク（更には次最短マーク以上の記録マーク））の再生信号の周波数とＯＴＦカットオフ周波数との関係により、以上と同様の原理に基づき、それぞれに対応した記録密度（記録線密度，記録容量）を設定してもよい。
【０３６６】
＜記録密度及び層数＞
ここで、波長４０５ｎｍ，開口数０．８５等のスペックを有するＢＤにおける１層あたりの具体的な記録容量としては、最短マークの空間周波数がＯＴＦカットオフ周波数付近である場合においては、例えば、略２９ＧＢ（例えば、２９．０ＧＢ±０．５ＧＢ，あるいは２９ＧＢ±１ＧＢなど）若しくはそれ以上、又は略３０ＧＢ（例えば、３０．０ＧＢ±０．５ＧＢ，あるいは３０ＧＢ±１ＧＢなど）若しくはそれ以上、又は略３１ＧＢ（例えば、３１．０ＧＢ±０．５ＧＢ，又は３１ＧＢ±１ＧＢなど）若しくはそれ以上、又は略３２ＧＢ（例えば、３２．０ＧＢ±０．５ＧＢ，あるいは３２ＧＢ±１ＧＢなど）若しくはそれ以上、などを想定することが可能である。
【０３６７】
また、最短マークの空間周波数がＯＴＦカットオフ周波数以上における、１層あたりの記録容量としては、例えば、略３２ＧＢ（例えば、３２．０ＧＢ±０．５ＧＢ，あるいは３２ＧＢ±１ＧＢなど）若しくはそれ以上、又は略３３ＧＢ（例えば、３３．０ＧＢ±０．５ＧＢ，あるいは３３ＧＢ±１ＧＢなど）若しくはそれ以上、又は略３３．３ＧＢ（例えば、３３．３ＧＢ±０．５ＧＢ，あるいは３３．３ＧＢ±１ＧＢなど）若しくはそれ以上、又は略３３．４ＧＢ（例えば、３３．４ＧＢ±０．５ＧＢ，あるいは３３．４ＧＢ±１ＧＢなど）若しくはそれ以上、又は略３４ＧＢ（例えば、３４．０ＧＢ±０．５ＧＢ，あるいは３４ＧＢ±１ＧＢなど）若しくはそれ以上、又は略３５ＧＢ（例えば、３５．０ＧＢ±０．５ＧＢ，あるいは３５ＧＢ±１ＧＢなど）若しくはそれ以上、などを想定することが可能である。
【０３６８】
特に、記録密度が略３３．３ＧＢである場合、３層で約１００ＧＢ（９９．９ＧＢ）の記録容量が実現でき、略３３．４ＧＢとすると３層で１００ＧＢ以上（１００．２ＧＢ）の記録容量が実現できる。これは、２５ＧＢのＢＤを４層にした場合の記録容量とほぼ同じになる。例えば、記録密度を３３ＧＢとした場合、３３ｘ３＝９９ＧＢで１００ＧＢとの差は１ＧＢ（１ＧＢ以下）、３４ＧＢとした場合、３４ｘ３＝１０２ＧＢで１００ＧＢとの差は２ＧＢ（２ＧＢ以下）、３３．３ＧＢとした場合、３３．３ｘ３＝９９．９ＧＢで１００ＧＢとの差は０．１ＧＢ（０．１ＧＢ以下）、３３．４ＧＢとした場合、３３．４ｘ３＝１００．２ＧＢで１００ＧＢとの差は０．２ＧＢ（０．２ＧＢ以下）となる。
【０３６９】
なお、記録密度が大幅に拡張されると、先に述べたように、最短マークの再生特性の影響により、精密な再生が困難になる。そこで、記録密度の大幅な拡張を抑えつつ、かつ１００ＧＢ以上を実現する記録密度としては、略３３．４ＧＢが現実的である。
【０３７０】
ここで、ディスクの構成を、１層あたり２５ＧＢの４層構造とするか、１層あたり３３〜３４ＧＢの３層構造とするか、の選択肢が生じる。多層化には、各記録層における再生信号振幅の低下（ＳＮ比の劣化）や、多層迷光（隣接する記録層からの信号）の影響などが伴う。そのため、２５ＧＢの４層ディスクではなく、３３〜３４ＧＢの３層ディスクとすることにより、そのような迷光の影響を極力抑えつつ、即ち、より少ない層数（４層ではなく３層）で、約１００ＧＢを実現することが可能となる。そのため、多層化を極力避けつつ約１００ＧＢを実現したいディスクの製造者は、３３〜３４ＧＢの３層化を選択することが可能となる。一方、従来のフォーマット（記録密度２５ＧＢ）のまま約１００ＧＢを実現したいディスク製造者は、２５ＧＢの４層化を選択することが可能となる。このように、異なる目的を有する製造者は、それぞれ異なる構成をによって、それぞれの目的を実現することが可能となり、ディスク設計の自由度を与えることができる。
【０３７１】
また、１層あたりの記録密度を３０〜３２ＧＢ程度とすると、３層ディスクでは１００ＧＢに届かないものの（９０〜９６ＧＢ程度）、４層ディスクでは１２０ＧＢ以上が実現できる。そのうち、記録密度を略３２ＧＢとすると、４層ディスクでは約１２８ＧＢの記録容量が実現できる。この１２８という数字はコンピュータで処理するのに便利な２のべき乗（２の７乗）に整合した数値でもある。そして、３層ディスクで約１００ＧＢを実現する記録密度のものと比べると、最短マークに対する再生特性はこちらの方が厳しくない。
【０３７２】
このことから、記録密度の拡張にあたっては、記録密度を複数種類設けることで（例えば略３２ＧＢと略３３．４ＧＢなど）、複数種類の記録密度と層数との組み合わせにより、ディスクの製造者に対して設計の自由度を与えることが可能となる。例えば、多層化を影響を抑えつつ大容量化を図りたい製造者に対しては３３〜３４ＧＢの３層化による約１００ＧＢの３層ディスクを製造するという選択肢を与え、再生特性を影響を抑えつつ大容量化を図りたい製造者に対しては、３０〜３２ＧＢの４層化による約１２０ＧＢ以上の４層ディスクを製造するという選択肢を与えることが可能となる。
【０３７３】
なお、これまで説明した記録波形は一例である。上述した本発明にかかる実施形態１〜５に適用される、つまり、本発明を適用可能な記録波形はこれに限られない。なお、ここでは、前述の３つの記録波形（Ｎ−１型、Ｎ／２型、キャッスル型ライトストラテジ）を補足的に説明する。
【０３７４】
光ディスクへの記録は、所定の変調則に従って、記録するデータ（ソースデータ）を変調して複数の記録変調符号を生成し、パルス状の光ビームを照射し、前記複数の記録変調符号にそれぞれ対応する長さを有する複数の記録マーク、およびスペース（記録マークと記録マーク間のスペース）を形成することによって行われる。ここで、どのような記録波形に基づいてパルス状の光ビームを発光するかについて、以下で３つのライトストラテジの例を説明する。図４７から図４９のいずれにおいても、説明の便宜上、最短マークが２Ｔ（Ｔは基準クロック、変調の基準周期）の場合を用いるが、これに限るものではない。
【０３７５】
＜Ｎ−１型ライトストラテジ＞
図４７は、第１の記録波形を示した図である。この第１の記録波形は、マルチパルス型のストラテジ、つまり、複数のパルスを含み（マルチパルス）、複数のパルスのうち、先頭に配置されるファーストパルス（幅Ｔｔｏｐ）と、最後尾に配置されるラストパルス（幅Ｔｌｐ）と、ファーストパルスとラストパルスの間に配置される中間パルス（幅Ｔｍｐ）で構成される。なお、記録パワーに関するパラメータとして、Ｐｗは記録パワー、Ｐｂｗはボトムパワー、Ｐｃはクーリングパワー（冷却パワー）、Ｐｓ及びＰｅはバイアスパワー（追記型：Ｐｓはスペースパワー，書換型：Ｐｅは消去パワー）を示す。
【０３７６】
最短マーク（２Ｔ）を記録するための記録波形には、ラストパルスと中間パルスは含まれず、次最短マーク（３Ｔ）を記録するための記録波形には、中間パルスは含まれない。中間パルスは次々最短マーク（４Ｔ）を記録するための記録波形から含まれ、１Ｔ増加する毎に、中間パルスのパルス数も１つ増える。この第１の記録波形の特徴の一つは、ｎＴマーク（ｎは自然数）を記録するための記録波形に含まれるパルス数は（ｎ−１）個となる点である。
【０３７７】
ここで各種パラメータであるが、次のように、記録マークや隣接するスペースの長さに応じて分類して設定してもよい。
【０３７８】
まず、ファーストパルスの立ち上がり位置であるｄＴｔｏｐや幅であるＴｔｏｐは、例えば、記録マークの長さが「２Ｔ」，「３Ｔ」，「４Ｔ以上」の３つに分類して、又は／更に、隣接する先行スペースの長さが「２Ｔ」，「３Ｔ」，「４Ｔ」，「５Ｔ以上」の４つに分類して、設定してもよい。
【０３７９】
また、ラストパルスの幅であるＴｌｐは、例えば、記録マークの長さが「３Ｔ」，「４Ｔ以上」の２つに分類して設定してもよい。
【０３８０】
また、冷却パワーレベルＰｃを設定する終了位置（バイアスパワーレベル：Ｐｓ及びＰｅを設定する開始位置）であるｄＴｓは、例えば、記録マークの長さが「２Ｔ」，「３Ｔ」，「４Ｔ以上」の３つに分類して、設定してもよい。
【０３８１】
＜Ｎ／２型ライトストラテジ＞
図４８は、第２の記録波形を示した図である。この第２の記録波形もマルチパルス型のストラテジである。そして、最短マーク（２Ｔ）及び次最短マーク（３Ｔ）を記録するための記録波形には、ラストパルスと中間パルスは含まれず、次々最短マーク（４Ｔ）及び次々々最短マーク（５Ｔ）を記録するための記録波形には、中間パルスは含まれない。中間パルスは５番目に短いマーク（６Ｔ）を記録するための記録波形から含まれ、２Ｔ増加する毎に、中間パルスのパルス数が１つ増える。この第２の記録波形の特徴の一つは、ｍＴマーク（ｍは自然数）を記録するための記録波形に含まれるパルス数は（ｍ÷２）の商の数となる点である。
【０３８２】
ここで各種パラメータであるが、次のように、記録マークの長さに応じて分類して設定してもよい。
【０３８３】
まず、ファーストパルスの立ち上がり位置であるｄＴｔｏｐや幅であるＴｔｏｐは、例えば、記録マークの長さが「２Ｔ」，「３Ｔ」，「４Ｔ，６Ｔ，８Ｔ」，「５Ｔ，７Ｔ，９Ｔ」の４つに分類して、設定してもよい。
【０３８４】
また、中間パルスの立ち上がり位置であるｄＴｍｐは、例えば、記録マークの長さが「６Ｔ，８Ｔ」、「７Ｔ，９Ｔ」の２つに分類して設定してもよい。また更に、例えば、前者の分類では基準クロック位置と一致させ、後者の分類では基準クロック位置からＴ／２ずらしてもよい。
【０３８５】
また、ラストパルスの立ち上がり位置であるｄＴｌｐや幅であるＴｌｐは、例えば、記録マークの長さが「４Ｔ，６Ｔ，８Ｔ」、「５Ｔ，７Ｔ，９Ｔ」の２つに分類して設定してもよい。また更に、ｄＴｌｐに関して、例えば、前者の分類では基準クロック位置と一致させ、後者の分類では基準クロック位置からＴ／２ずらしてもよい。
【０３８６】
また、冷却パワーレベルＰｃを設定する終了位置（バイアスパワーレベル：Ｐｓ及びＰｅを設定する開始位置）であるｄＴｓは、例えば、記録マークの長さが「２Ｔ」，「３Ｔ」，「４Ｔ，６Ｔ，８Ｔ」、「５Ｔ，７Ｔ，９Ｔ」の４つに分類して、設定してもよい。
【０３８７】
＜キャッスル型ライトストラテジ＞
図４９は、第３の記録波形を示した図である。この第３の記録波形は、マルチパルス型のストラテジである第１・２の記録波形とは異なり、記録パワーＰｗが設定されるパルス間のパワーレベルをボトムパワーＰｂｗまで低下させずに、一定の中間パワーＰｍをとる形状となっている（キャッスル型ライトストラテジ）。先頭に配置されるファーストパルス（幅Ｔｔｏｐ）と、最後尾に配置されるラストパルス（幅Ｔｌｐ）と、ファーストパルスとラストパルスの間に配置される中間パルスで構成される。なお、記録パワーに関するパラメータとして、Ｐｗは記録パワー、Ｐｍは中間パワー、Ｐｃはクーリングパワー（冷却パワー）、Ｐｓ及びＰｅはバイアスパワー（追記型：Ｐｓはスペースパワー，書換型：Ｐｅは消去パワー）を示す。
【０３８８】
最短マーク（２Ｔ）を記録するための記録波形には、ラストパルスと中間パルスは含まれず、次最短マーク（３Ｔ）を記録するための記録波形には、ラストパルスは含まれず、次々最短マーク（４Ｔ）以上の記録マークを記録するための記録波形から、ラストパルスと中間パルスがともに含まれる。また、（３Ｔ以上の記録マークを記録するための記録波形における）ファーストパルスの終了位置と中間パルスの開始位置は一致し、（４Ｔ以上の記録マークを記録するための記録波形における）中間パルスの終了位置とラストパルスの開始位置は一致している。
【０３８９】
なお、キャッスル型のストラテジにはいくつかの形状がある。
【０３９０】
その１つは、いわゆるキャッスル形状（castle-shape）である。「キャッスル形状」とは、記録マークを形成するための記録パルスが１つのパルスで構成され、前記記録パルスの開始位置から第一のパワーレベル（記録パワーＰｗ）が設定される第一の区間と、前記第一の区間の終了位置から前記第一のパワーレベルより低い第二のパワーレベル（中間パワーＰｍ）が設定される第二の区間と、前記第二の区間の終了位置から前記第二のパワーレベルよりも高く、かつ、前記第一のパワーレベルと同じパワーレベル（記録パワーＰｗ）又は低いパワーレベルが設定される第三の区間を含んだ形状を有する記録波形である。または、第三の区間のパワーレベルを第二の区間のパワーレベルと同じにした形状を有する記録波形であるＬ形状（L-shape）も知られている。さらには、第一の区間と第二の区間と第三の区間のパワーレベルを全て同じにした形状を有する記録波形である単一パルス形状（Mono pulse-shape）も知られている。
【０３９１】
また、図４９では説明の便宜上複雑にならないよう、第一の区間のパワーレベルと第三の区間のパワーレベルを一致させているが、異なるレベルを設定しても構わない。先の説明では、第一の区間のパワーレベルが設定されたパルスをファーストパルスと表現し、第二の区間のパワーレベルが設定されたパルスを中間パルスと表現し、第三の区間のパワーレベルが設定されたパルスをラストパルスと表現したものであり、以降の説明においても、先の説明（ファーストパルス，中間パルス，ラストパルス）の表現を用いることとする。
【０３９２】
ここで各種パラメータであるが、次のように、記録マークや隣接するスペースの長さに応じて分類して設定してもよい。
【０３９３】
まず、ファーストパルスの立ち上がり位置であるｄＴｔｏｐや幅であるＴｔｏｐは、例えば、記録マークの長さが「２Ｔ」，「３Ｔ」，「４Ｔ以上」の３つに分類して、又は／更に、例えば、隣接する先行スペースの長さが「２Ｔ」，「３Ｔ」，「４Ｔ以上」の３つに分類して、設定してもよい。
【０３９４】
また、ラストパルスの幅であるＴｌｐは、例えば、記録マークの長さが「４Ｔ以上」の１つに分類して設定（ラストパルスを含む４Ｔ以上すべてにおいて同じ幅を設定）してもよい。
【０３９５】
また、冷却パワーレベルＰｃを設定する開始位置であるｄＴｃは、例えば、記録マークの長さが「３Ｔ」，「４Ｔ」，「５Ｔ以上」の３つに分類して、設定してもよい。
【０３９６】
また、冷却パワーレベルＰｃを設定する終了位置（バイアスパワーレベル：Ｐｓ及びＰｅを設定する開始位置）であるｄＴｓは、例えば、記録マークの長さが「２Ｔ」，「３Ｔ」，「４Ｔ以上」の３つに分類して、設定してもよい。
【０３９７】
なお、以上では、各分類の設定は、説明の便宜上、本発明の分類例とは異なる例を用いて説明した。例えば、記録マークの長さのみによる分類や、記録マークの長さとそれに隣接する一方のスペースのみの長さとの組み合わせによる分類の例である。しかし、当然の事ながら、本発明の各分類例に従って分類しても構わない。
【０３９８】
また、記録密度（１層あたり２５ＧＢ と、１層あたり３２ＧＢ及び／又は３３．４ＧＢ）や記録媒体の種別（再生専用型，追記記録型，書換記録型など）によって、この分類のさせ方を異ならせてもよい。
【０３９９】
また、各パルスの設定や各パワーレベルの設定の際に、その位置や幅は、第１〜３の記録波形いずれにおいても、Ｔ／１６を単位として調整してもよい。あるいは、更に細かくＴ／３２を単位としてもよい。また、記録密度（１層あたり２５ＧＢと、１層あたり３２ＧＢ及び／又は３３．４ＧＢ）や記録媒体の種別（追記記録型，書換記録型など）によって、この調整単位を異ならせてもよい。
【０４００】
ここで、各記録波形と記録速度との関係については、第１の記録波形よりも第２の記録波形の方が高速な記録に適し、第２の記録波形よりも第３の記録波形の方がより高速な記録に適していることが言える。なぜなら、第３の記録波形よりも第２の記録波形の方が、また第２の記録波形よりも第１の記録波形の方が、記録パワーＰｗの発光回数が多くなり、つまり、パルスの立ち上がり時間と立ち下がり時間に要する累積が多くなり、高速処理に影響を及ぼすためである。この点を考慮して、光ディスクに記録条件を格納する場合に、次のようにしてもよい。
【０４０１】
まず、記録速度：１ｘに対応する記録条件を格納する場合、例えば、第１の記録波形に関するパラメータの格納を必須とし、第２の記録波形に関するパラメータの格納をオプションとしてもよい。また更に、記録速度：１ｘの場合は、例えば、第３の記録波形は適用させないようにしてもよい。
【０４０２】
また、記録速度：２ｘに対応する記録条件を格納する場合、例えば、第１の記録波形に関するパラメータの格納をオプションとし、第２の記録波形に関するパラメータの格納をオプションとし、第３の記録波形に関するパラメータの格納をオプションとしてもよい。また更に、例えば、第１の記録波形に関するパラメータと第２の記録波形に関するパラメータの少なくとも一方の格納を必須とするようにしてもよい。
【０４０３】
また、記録速度：４ｘに対応する記録条件を格納する場合、例えば、第３の記録波形に関するパラメータの格納を必須としてもよい。また更に、記録速度：４ｘの場合は、例えば、第１及び２の記録波形は適用させないようにしてもよい。
【０４０４】
また、記録速度：６ｘに対応する記録条件を格納する場合、例えば、第３の記録波形に関するパラメータの格納を必須としてもよい。また更に、記録速度：６ｘの場合は、例えば、第１及び２の記録波形は適用させないようにしてもよい。
【０４０５】
また、記録速度：８ｘ以上に対応する記録条件を格納する場合、例えば、記録速度：４ｘ及び６ｘと同じ条件、つまり、第３の記録波形に関するパラメータの格納を必須としてもよく、また更に、記録速度：６ｘの場合は、例えば、第１及び２の記録波形は適用させないようにしてもよい。
【０４０６】
また、上記の記録条件の格納に関して、ＨＴＬ（High to Low：記録部の反射率が未記録部の反射率よりも低い）の場合と、ＬＴＨ（Low to High：記録部の反射率が未記録部の反射率よりも高い）の場合とで、同じ内容を格納しても、異なる内容を格納しても、構わない。
【産業上の利用可能性】
【０４０７】
本発明は、情報記録媒体に高密度の記録を行う技術分野において特に有用である。【０４０８】
また、本発明によると、記録密度の高密度化や記録媒体の多層化に伴って記録再生制御情報が増大した場合でも、適切に記録再生制御情報を読み出すことができるため、ディスクフォーマットの変更リスクを低減することで、汎用的な高密度情報記録媒体の実現に貢献することができる。【０４０９】
また、本発明によると、従来密度で記録を行う情報記録媒体と、高密度で記録を行う情報記録媒体が混在した場合でも、ＤＩの再生アルゴリズムの差異を最小限にすることができるため、高密度の情報記録媒体の実現に有用である。
【符号の説明】
【０４１０】
９０１  拡張したキャッスル型ライトストラテジの記録パルス情報部のクーリングパルス開始位置拡張ｄＴｃ
９０２  拡張したキャッスル型ライトストラテジの記録パルス情報部のトップパルス開始位置拡張ｄＴｔｏｐ
９０３  拡張したキャッスル型ライトストラテジの記録パルス情報部のトップパルス幅拡張Ｔｔｏｐ
９０４  拡張したキャッスル型ライトストラテジの記録パルス情報部のラストパルス幅拡張Ｔｌｐ
９０５  拡張したキャッスル型ライトストラテジの記録パルス情報部のクーリングパルス終了位置拡張ｄＴｓ
９０６  拡張したキャッスル型ライトストラテジの記録パルス情報部の空き情報
９１４  拡張したキャッスル型ライトストラテジの記録再生制御情報のディスク制御部
９１５  拡張したキャッスル型ライトストラテジの記録再生制御情報のパワー情報部
９１６  拡張したキャッスル型ライトストラテジの記録再生制御情報の記録パルス情報部
９１７  拡張したキャッスル型ライトストラテジの記録再生制御情報の記録パルス情報の基本部
９１８  拡張したキャッスル型ライトストラテジの記録再生制御情報の記録パルス情報の拡張部
１０００  光ディスク装置
１００１  情報記録媒体
１００２  光ヘッド部
１００３  レーザ制御部
１００４  記録パルス生成部
１００５  再生信号処理部
１００６  データ処理部
１００７  コントローラ部
１００８  メモリ部
【図１】
2010103770.tif 000003
【図２】
2010103770.tif 000004
【図３】
2010103770.tif 000005
【図４】
2010103770.tif 000006
【図５】
2010103770.tif 000007
【図６】
2010103770.tif 000008
【図７】
2010103770.tif 000009
【図８】
2010103770.tif 000010
【図９】
2010103770.tif 000011
【図１０】
2010103770.tif 000012
【図１１】
2010103770.tif 000013
【図１２】
2010103770.tif 000014
【図１３】
2010103770.tif 000015
【図１４】
2010103770.tif 000016
【図１５】
2010103770.tif 000017
【図１６】
2010103770.tif 000018
【図１７】
2010103770.tif 000019
【図１８】
2010103770.tif 000020
【図１９】
2010103770.tif 000021
【図２０】
2010103770.tif 000022
【図２１】
2010103770.tif 000023
【図２２】
2010103770.tif 000024
【図２３】
2010103770.tif 000025
【図２４】
2010103770.tif 000026
【図２５】
2010103770.tif 000027
【図２６】
2010103770.tif 000028
【図２７】
2010103770.tif 000029
【図２８】
2010103770.tif 000030
【図２９】
2010103770.tif 000031
【図３０】
2010103770.tif 000032
【図３１】
2010103770.tif 000033
【図３２】
2010103770.tif 000034
【図３３】
2010103770.tif 000035
【図３４】
2010103770.tif 000036
【図３５】
2010103770.tif 000037
【図３６】
2010103770.tif 000038
【図３７】
2010103770.tif 000039
【図３８】
2010103770.tif 000040
【図３９】
2010103770.tif 000041
【図４０】
2010103770.tif 000042
【図４１】
2010103770.tif 000043
【図４２】
2010103770.tif 000044
【図４３】
2010103770.tif 000045
【図４４】
2010103770.tif 000046
【図４５】
2010103770.tif 000047
【図４６】
2010103770.tif 000048
【図４７】
2010103770.tif 000049
【図４８】
2010103770.tif 000050
【図４９】
2010103770.tif 000051
【手続補正書】
【提出日】平成22年12月20日(2010.12.20)
【手続補正１】
【補正対象書類名】明細書
【補正対象項目名】全文
【補正方法】変更
【補正の内容】
【発明の詳細な説明】
【技術分野】
【０００１】
本発明は、情報記録媒体に対して情報を記録する際に、記録パルスを制御するための情報（記録再生制御情報）を格納するための技術に関する。
【背景技術】
【０００２】
従来、情報記録媒体には、記録を行う際の記録再生制御情報が、情報記録媒体に記載されている。
【０００３】
例えば、光ディスクにおいては、特許文献１に記載されているように、Ｂｌｕ−ｒａｙＤｉｓｃ（「ブルーレイディスク」；以下、「ＢＤ」と略す。）の場合、「ディスク情報（以下、ＤＩと略す）」と呼ばれる記録再生制御情報が含まれる情報が記載されている。
【０００４】
また、ＤＶＤ−ＲＡＭ、ＤＶＤ−ＲＷ、ＤＶＤ＋ＲＷ、ＤＶＤ−Ｒ、ＤＶＤ＋Ｒの場合、「物理的フォーマット情報（以下、ＰＦＩと略す）」が上記ＤＩに相当する。
【０００５】
また、記録再生制御情報が媒体に記載されている場合でも、上記ＤＩやＰＦＩと同一の形式、または準ずる形式で、情報記録媒体内の許可された領域に、情報記録媒体の記録再生装置によって記録され、または、記録再生装置の内部メモリなどに保持される場合がある。
【０００６】
ここでＢＤのＤＩを例に挙げて、記録再生制御情報を説明する。
【０００７】
図１にＢＤの構造の模式的な図を示す。
【０００８】
情報を記録する層を１つしか持たない単層メディアの場合は、１つしかない記録層が図１の構造となっており、情報記録層が２つ以上の多層メディアの場合は、各層に図１の構造を持つか、または少なくとも１つ以上の層が図１の構造になっている。
【０００９】
特許文献１によると、ＤＩは、図１に示すＢＤ構造図内の、リードイン領域１１と呼ばれる領域に少なくとも１つ以上記載されている。
【００１０】
特許文献１によると、ＤＩは１１２バイトであり、１つのＤＩには、１つの層、１つの倍速に対応した、１つの記録パルス形状が記載されている。
【００１１】
ＤＩの模式図を図２に示す。
【００１２】
ＤＩは、ヘッダ情報２１、記録再生制御情報２２、フッタ情報２３から構成されている。また、記録再生制御情報は、ディスク種別やディスク構造に関する情報が記載されたディスク制御部２４、記録時や再生時のパワーを制御するパワー情報部２５、記録時の記録パルス形状を制御する記録パルス情報部２６からなる。
【００１３】
光ディスクにおいて、記録マークを形成するための記録パルスは、各パルスのパワーレベルを示すパワー情報と、各パルスの位置やパルス幅を示す記録パルス情報から成り立つ。
【００１４】
上記、記録パルスのことをライトストラテジ（Ｗｒｉｔｅ  Ｓｔｒａｔｅｇｙ；「ＷＳ」と記述されることもある。）と呼ぶ。
【００１５】
ライトストラテジのパワー情報はパワー情報部２５、記録パルス情報は記録パルス情報部２６にそれぞれ記載されている。
【００１６】
図３に示す記録パルス形状の一例を用いて、パワー情報と記録パルス情報を説明する。
【００１７】
図３は、チャネルクロックＴに対して、Ｔの８倍の長さ（＝８Ｔ）となるマークを形成するための記録パルス形状の一例を示している。
【００１８】
図３の場合、パワー情報は、ピークパワーＰｗ３１、スペースパワーＰｓ３２、クーリングパワーＰｃ３３、ボトムパワーＰｂ３４のような、記録パルスの振幅方向のパラメータに関する情報を含む。
【００１９】
記録パルス情報は、トップパルス幅Ｔｔｏｐ３５、トップパルス開始位置ｄＴｔｏｐ３６、マルチパルス幅Ｔｍｐ３７、ラストパルス幅３８、クーリングパルス終了位置ｄＴｓ３９のような、記録パルスの時間軸方向のパラメータに関する情報を含む。
【００２０】
これらのパラメータが、例えば図４のような形式でＤＩに格納されている。また、このような記録再生制御情報は、図４と同一の形式、または準ずる形式で、情報記録媒体の記録再生装置によって、情報記録媒体内の許可された領域に記録されることもある。
【００２１】
他にも、情報記録媒体の記録再生装置が、記録再生制御情報を、内部メモリなどに保持している場合もある。
【００２２】
上記の記録再生制御情報に加えて、記録の高倍速化や高密度化などにより、マーク間の熱干渉の影響が、マークの前または後ろに位置するスペースの長さに依存するようになる。
【００２３】
上記のような現象が見られるとき、全ての前または後ろスペース長さに対して同じ記録パルス情報で記録を行うと、記録マークの前または後ろに位置するスペースの長さによって、記録マーク長さが変わってしまう。
【００２４】
そのため、各マーク長さのみでなく、マークの前または後ろに位置するスペース長さとの関係によって、各々の記録パルス情報が定義されることもある。
【先行技術文献】
【特許文献】
【００２５】
【特許文献１】特開２００６−３１３６２１号公報
【非特許文献】
【００２６】
【非特許文献１】図解  ブルーレイディスク読本  オーム社
【発明の概要】
【発明が解決しようとする課題】
【００２７】
近年、情報記録媒体の高密度化により、記録マークの最短マーク長が検出系に依存する分解能の限界に近づいている。
【００２８】
例えば、情報記録媒体が光ディスク媒体である場合では、検出系に依存する分解能とはレーザ光を集光した光スポットの大きさによる光学的な分解能を指す。
【００２９】
その分解能の限界のため、符号間干渉の増大およびＳＮＲ（Ｓｉｇｎａｌ  Ｎｏｉｓｅ  Ｒａｔｉｏ）の劣化がより顕著となる。
【００３０】
以下に、例えば、４０５ｎｍの波長を有する青色レーザを用いた１２ｃｍの光ディスク媒体で説明する。
【００３１】
非特許文献１によれば、青色レーザを用いた光ディスク媒体で、レーザ光を集光させた光スポットサイズは３９０ｎｍであり、記録符号にＲＬＬ（１，７）を用いた記録層１層当たりの記録容量が２５ＧＢの場合、最短マークの長さは１４９ｎｍとなる。
【００３２】
また、この光ディスク媒体で、１層当たりの記録容量を３３．３ＧＢとした場合、最短マークの長さは１１２ｎｍとなる。更なる高密度化を測ろうとすれば、さらに最短マークの長さは短くなる。
【００３３】
同じ検出系を使用した場合、図５（ａ）に示すように、記録容量２５ＧＢでは、光スポット５１の中に最短マーク２．６個分が入る大きさであったものが、図５（ｂ）に示すように、記録容量３３．３ＧＢでは、光スポット５１の中に最短マーク３．５個分入る大きさとなり、光ディスク媒体の検出系となる光スポットサイズに対してのマークの長さが短くなる。
【００３４】
このため、光スポットサイズに入ってくるマークとスペースの組み合わせが、マークと前または後ろに位置するスペースが１つずつのパターンだけでなく、複数のマークとスペースを有するパターンとなるものもある。
【００３５】
以下、現在時刻ｉのマークについて、複数のマークまたはスペースを含むパターンとの関係の一例を図６に示す。
【００３６】
図６（ａ）は、現在時刻ｉのマークと、時刻ｉ−１の前スペース、時刻ｉ＋１の後ろスペースとの組み合わせを示している。
【００３７】
図６（ｂ）は、現在時刻ｉのマークと、時刻ｉ−２の前マーク、時刻ｉ−１の前スペースとの組み合わせを示している。
【００３８】
図６（ｃ）は、現在時刻ｉのマークと、時刻ｉ＋１の後ろスペース、時刻ｉ＋２の後ろマークとの組み合わせを示している。
【００３９】
図６（ｄ）は、現在時刻ｉのマークと、時刻ｉ−１の前スペース、時刻ｉ＋１の後ろスペース、時刻ｉ＋２の後ろマークとの組み合わせを示している。
【００４０】
図６（ｅ）は、現在時刻ｉのマークと、時刻ｉ−２の前マーク、時刻ｉ−１の前スペース、時刻ｉ＋１の後ろスペースとの組み合わせを示している。
【００４１】
故に、記録密度が高密度化された場合、記録パルス情報がマークと前または後ろスペースの組み合わせによって定義されるだけでなく、図６に示したような前後スペース、前マークと前スペース、後ろマークと後ろスペース、前後スペースと前マーク、前後スペースと後ろマークとの組み合わせによっても定義されることが考えられる。
【００４２】
さらに、高密度記録を行うには、記録パルス情報の分解能を上げることで、記録性能を確保することも考えられる。
【００４３】
上記のように、高密度化することにより、記録パルス情報が拡張され、記録再生制御情報の情報量が増えることが想定される。
【００４４】
情報量が増えることにより、ＤＩやＰＦＩのような、情報量が定められた記録再生制御情報格納部に収まらなくなるという課題が起こる。
【００４５】
上記課題に対して、記録再生制御情報格納部の形式を変更することが考えられるが、形式を変更することで、下位互換や過去互換がなくなってしまう。
【００４６】
また、２つ以上の記録再生制御情報格納部に分けて、増えた情報を格納することも考えられる。しかし、２つ以上にわけることで、情報の読み出しが遅くなってしまうことや、ＤＩやＰＦＩの数が増えることで、リードイン領域の容量を圧迫する課題が発生してしまう。
【００４７】
本発明は上記従来の課題を解決するためになされたものであり、その目的は、高密度化した情報記録媒体の記録再生制御情報が増えた場合に、記録再生制御情報を下位互換、過去互換のある形式で、定められた情報量に収めることを可能とする、情報記録媒体の記録再生制御情報構成方法、および、情報記録媒体記録再生装置を提供することにある。
【課題を解決するための手段】
【００４８】
本発明による情報記録媒体は、マークとスペースとを組み合わせたデータ列が記録可能な情報記録媒体であって、前記情報記録媒体は少なくとも１つの情報記録層を有し、前記少なくとも１つの情報記録層は、情報を記録するための情報記録領域と、前記少なくとも１つの情報記録層に記録再生を行うための制御情報領域とを有し、前記制御情報領域は、少なくとも１つの制御情報を有し、前記少なくとも１つの制御情報は、基準値として使用される情報が格納された第１の記録パルス情報と、オフセット値として使用される情報が格納された第２の記録パルス情報とを有しており、前記オフセット値の情報量は、前記基準値の情報量の２分の１以上である。
【００４９】
前記第１の記録パルス情報は、前または後ろのスペースの長さが、５Ｔ以上（Ｔ：チャネルクロック）のときの記録パルスに関して基準値として使用される情報を有していてもよい。
【００５０】
前記第１の記録パルス情報には、ｎＴ以下（ｎ：整数）のマーク長さまで、各マーク長さにおいて、少なくとも１つの基準値として使用される情報が定義されていてもよい。
【００５１】
前記第２の記録パルス情報には、最短となるマークについてのみ、前スペースかつ後スペースで分類された、オフセット値として使用される情報が定義されていてもよい。
【００５２】
本発明による方法は、上述の情報記録媒体へ情報を記録する方法であって、前記制御情報領域から前記制御情報を読み出すステップと、読み出された前記制御情報に含まれる前記第１の記録パルス情報と前記第２の記録パルス情報とに基づいて、前記情報記録領域へ記録するための記録波形を調整するステップと、調整された前記記録波形に基づいて、前記情報記録領域へデータ列を記録するステップと、を含む。
【００５３】
本発明による方法は、上述の情報記録媒体から情報を再生する方法であって、前記情報記録領域へレーザを照射するステップと、前記制御情報に含まれる前記第１の記録パルス情報と前記第２の記録パルス情報とに基づいて調整された記録波形によって、前記情報記録領域へ記録されたデータ列を再生するステップと、を含む。
【００５４】
本発明による方法は、マークとスペースとを組み合わせたデータ列が記録可能な情報記録媒体を製造するための方法であって、基板上に情報記録層を積層し、前記情報記録層上に透明保護層を積層するステップと、前記情報記録層に、情報を記録するための情報記録領域を形成するステップと、前記情報記録層に記録再生を行うための情報である制御情報を記録するための制御情報領域を形成するステップと、前記制御情報領域に前記制御情報を記録するステップと、を有し、前記制御情報は、基準値として用いられる情報が格納された第１の記録パルス情報と、オフセット値として用いられる情報が格納された第２の記録パルス情報とを有しており、前記オフセット値の情報量は、前記基準値の情報量の２分の１以上である。
【００５５】
本発明による方法は、上述の製造方法によって製造された情報記録媒体へ情報を記録する方法であって、前記制御情報領域から前記制御情報を読み出すステップと、読み出された前記制御情報に含まれる前記第１の記録パルス情報と前記第２の記録パルス情報とに基づいて、前記情報記録領域へ記録するための記録波形を調整するステップと、調整された前記記録波形に基づいて、前記情報記録領域へデータ列を記録するステップと、を含む、記録方法。
【００５６】
本発明による方法は、上述の製造方法によって製造された情報記録媒体から情報を再生する方法であって、前記情報記録領域へレーザを照射するステップと、前記制御情報に含まれる前記第１の記録パルス情報と前記第２の記録パルス情報とに基づいて調整された記録波形によって、前記情報記録領域へ記録されたデータ列を再生するステップと、を含む。
【００５７】
本発明による情報記録媒体は、マークとスペースとを組み合わせたデータ列が記録可能な情報記録媒体であって、前記情報記録媒体は少なくとも１つの情報記録層を有し、前記少なくとも１つの情報記録層は、情報を記録するための情報記録領域と、前記少なくとも１つの情報記録層に記録再生を行うための制御情報領域とを有し、前記制御情報領域は、少なくとも１つの制御情報を有し、前記少なくとも１つの制御情報は、基準値として使用される情報が格納された第１の記録パルス情報と、オフセット値として使用される情報が格納された第２の記録パルス情報とを有しており、前記オフセット値の情報量は、記録パルスのパルス幅またはパルス位置を、１Ｔ（Ｔ：チャネルクロック）のｎ分の１（ｎ：正の整数）の精度で定義可能なとき、少なくとも２分のｎの範囲を定義可能な情報量である。
【００５８】
前記第１の記録パルス情報は、前または後ろのスペースの長さが、５Ｔ以上（Ｔ：チャネルクロック）のときの記録パルスに関して基準値として使用される情報を有していてもよい。
【００５９】
前記第１の記録パルス情報には、ｎＴ以下（ｎ：整数）のマーク長さまで、各マーク長さにおいて、少なくとも１つの基準値として使用される情報が定義されていてもよい。
【００６０】
前記第２の記録パルス情報には、最短となるマークについてのみ、前スペースかつ後スペースで分類されたオフセット値として使用される情報が定義されていてもよい。
【００６１】
本発明による方法は、上述の情報記録媒体へ情報を記録する方法であって、前記制御情報領域から前記制御情報を読み出すステップと、読み出された前記制御情報に含まれる前記第１の記録パルス情報と前記第２の記録パルス情報とに基づいて、前記情報記録領域へ記録するための記録波形を調整するステップと、調整された前記記録波形に基づいて、前記情報記録領域へデータ列を記録するステップと、を含む。
【００６２】
本発明による方法は、上述の情報記録媒体から情報を再生する方法であって、前記情報記録領域へレーザを照射するステップと、前記制御情報に含まれる前記第１の記録パルス情報と前記第２の記録パルス情報とに基づいて調整された記録波形によって、前記情報記録領域へ記録されたデータ列を再生するステップと、を含む。
【００６３】
本発明による方法は、マークとスペースとを組み合わせたデータ列が記録可能な情報記録媒体を製造するための方法であって、基板上に情報記録層を積層し、前記情報記録層上に透明保護層を積層するステップと、前記情報記録層に、情報を記録するための情報記録領域を形成するステップと、前記情報記録層に記録再生を行うための情報である制御情報を記録するための制御情報領域を形成するステップと、前記制御情報領域に前記制御情報を記録するステップと、を有し、前記制御情報は、基準値として用いられる情報が格納された第１の記録パルス情報と、オフセット値として用いられる情報が格納された第２の記録パルス情報とを有しており、前記オフセット値の情報量は、記録パルスのパルス幅またはパルス位置を、１Ｔ（Ｔ：チャネルクロック）のｎ分の１（ｎ：正の整数）の精度で定義可能なとき、少なくとも２分のｎの範囲を定義可能な情報量である。
【００６４】
本発明による方法は、上述の製造方法によって製造された情報記録媒体へ情報を記録する方法であって、前記制御情報領域から前記制御情報を読み出すステップと、読み出された前記制御情報に含まれる前記第１の記録パルス情報と前記第２の記録パルス情報とに基づいて、前記情報記録領域へ記録するための記録波形を調整するステップと、調整された前記記録波形に基づいて、前記情報記録領域へデータ列を記録するステップと、を含む。
【００６５】
本発明による方法は、上述の製造方法によって製造された情報記録媒体から情報を再生する方法であって、前記情報記録領域へレーザを照射するステップと、前記制御情報に含まれる前記第１の記録パルス情報と前記第２の記録パルス情報とに基づいて調整された記録波形によって、前記情報記録領域に記録されたデータ列を再生するステップと、を含む。
【発明の効果】
【００６６】
本発明によれば、複数のトラックを有し、前記トラックへのレーザ光のパルス照射によりマークを形成し、情報をマークとスペースが交互に並べられたデータ列として記録される情報記録媒体において、前記情報記録媒体は少なくとも１つの情報を記録するための情報記録層を有し、前記情報記録層は、情報を記録するための情報記録領域を有し、少なくとも１つの前記情報記録層に記録再生を行うための制御情報領域を有し、前記制御情報領域には、少なくとも１つの制御情報を有し、１つの前記制御情報は、第１の記録パルス情報と第２の記録パルス情報を有し、前記第１の記録パルス情報のみ、もしくは前記第１の記録パルス情報と前記第２の記録パルス情報の両方を基に情報の記録を行うことが可能であり、前記第１の記録パルス情報のみを用いれば、拡張された記録パルスに対応していない情報記録再生装置においても記録を行うことが可能であり、拡張された記録パルスに対応している情報記録再生装置では、高密度記録においても、符号間干渉や熱干渉の影響を考慮し、拡張された記録パルスによって、よりＳＮＲが良い記録品質を得ることが可能となる。
【図面の簡単な説明】
【００６７】
【図１】ＢＤの構造模式図である。
【図２】ＢＤのＤＩ情報の模式図である。
【図３】記録パルス形状の一例を示す図である。
【図４】ＤＩ情報の一例である。
【図５】（ａ）および（ｂ）は、記録容量の異なる光ディスクにおける、光スポットサイズとマーク長さとの関係の一例を示す図である。
【図６】（ａ）〜（ｅ）は、光スポットサイズと複数のマークまたはスペースを含むパターンとの関係の一例を示す図である。
【図７】キャッスル型ライトストラテジの一例を示す図である。
【図８】ヘッダ情報部８１１と、記録再生制御情報部８１２と、フッタ情報部８１３とを有するディスク情報を示す図である。
【図９】（ａ）〜（ｃ）は、拡張したキャッスル型ライトストラテジの記録再生制御情報の構成の一例を示す図である。
【図１０】実施形態１による光ディスク装置１０００を示す図である。
【図１１】Ｎ−１型ライトストラテジの一例を示す図である。
【図１２】ヘッダ情報部８１１、記録再生制御情報部８１２とフッタ情報部８１３を有するディスク情報を示す図である。
【図１３】（ａ）〜（ｃ）は、拡張したＮ−１型ライトストラテジの記録再生制御情報の構成の一例を示す図である。
【図１４】Ｎ／２型ライトストラテジの一例を示す図である。
【図１５】Ｎ／２型ライトストラテジの記録再生制御情報の構成の一例を示す図である。
【図１６】実施形態４における情報記録媒体の平面図である。
【図１７】制御情報領域のフォーマットの一例を示す図である。
【図１８】キャッスル型ライトストラテジの記録パルス形状の一例を示す図である。
【図１９】ＤＩ２０１におけるＤＩ２０１−１の各情報の配置例を示す図である。
【図２０】ＤＩ２０１におけるＤＩ２０１−２の各情報の配置例を示す図である。
【図２１】ＢＤの領域構造の模式図である。
【図２２】ＢＤのＤＩの模式図である。
【図２３】記録パルス形状の一例を示す図である。
【図２４】ＤＩにおける格納形式の一例を示す図である。
【図２５】（ａ）および（ｂ）は、記録容量の異なる光ディスクにおける、光スポットサイズとマーク長さとの関係の一例を示す図である。
【図２６】光スポット２００１のサイズと複数のマークまたはスペースを含むパターンとの関係の一例を示す図である。
【図２７】ＤＩの分離パターンの説明図である。
【図２８】従来の密度で記録を行う情報記録媒体のＤＩの一例を示す図である。
【図２９】高密度記録を行う情報記録媒体の１番目のＤＩの一例を示す図である。
【図３０】高密度記録を行う情報記録媒体の２番目のＤＩの一例を示す図である。
【図３１】マーク始端に関するパラメータを１番目のＤＩに格納したときの格納例を示す図である。
【図３２】マーク終端に関するパラメータを２番目のＤＩに格納したときの格納例を示す図である。
【図３３】バイト数が多いパラメータを１番目のＤＩに格納したときの１番目のＤＩの格納例を示す図である。
【図３４】バイト数が多いパラメータを１番目のＤＩに格納したときの２番目のＤＩの格納例を示す図である。
【図３５】制御情報領域のフォーマットの一例を示す図である。
【図３６】不足ＤＩ有無情報２２３の構成例を示す図である。
【図３７】多層ディスクの一般的な構成例を示す図である。
【図３８】単層ディスクの構成例を示す図である。
【図３９】二層ディスクの構成例を示す図である。
【図４０】三層ディスクの構成例を示す図である。
【図４１】四層ディスクの構成例を示す図である。
【図４２】実施形態６による光ディスク１の物理的構成を示す図である。
【図４３】（Ａ）は２５ＧＢのＢＤの例を示す図であり、（Ｂ）は、２５ＧＢのＢＤよりも高記録密度の光ディスクの例を示す図である。
【図４４】トラック上に記録されたマーク列に光ビームを照射させている様子を示す図である。
【図４５】２５ＧＢ記録容量の場合のＯＴＦと最短記録マークとの関係を示すグラフである。
【図４６】最短マーク（２Ｔ）の空間周波数がＯＴＦカットオフ周波数よりも高く、かつ、２Ｔの再生信号の振幅が０であるときの、信号振幅と空間周波数との関係の一例を示したグラフである。
【図４７】マルチパルス型のストラテジの第１の記録波形を示した図である。
【図４８】マルチパルス型のストラテジの第２の記録波形を示した図である。
【図４９】マルチパルス型のストラテジの第３の記録波形を示した図である。
【発明を実施するための形態】
【００６８】
以下、添付の図面を参照しながら、本発明の実施形態を説明する。同様の構成要素には同様の参照符号を付し、同様の説明の繰り返しは省略する。
【００６９】
以下の実施形態１、２および４においては、本願発明の説明に関連して種々のライトストラテジを説明している。それらに加え、実施形態６においてもライトストラテジの詳細を説明している。
【００７０】
（実施形態１）
はじめに、第１の実施形態にかかる情報記録媒体の記録再生制御情報の構成方法を説明する。
【００７１】
図１０は、本実施形態による光ディスク装置１０００を示す図である。
【００７２】
光ディスク装置１０００は、搭載された情報記録媒体１００１から情報の再生を行い、または、情報記録媒体１００１へ情報の記録を行う。
【００７３】
情報記録媒体１００１は、例えば光ディスクである。
【００７４】
光ディスク装置１０００は、光ヘッド部１００２と、レーザ制御部１００３と、記録パルス生成部１００４と、再生信号処理部１００５と、データ処理部１００６と、コントローラ部１００７と、メモリ部１００８とを備える。
【００７５】
まず、光ディスク装置１０００の再生動作を説明する。
【００７６】
光ヘッド部１００２は、対物レンズを通過したレーザ光を情報記録媒体１００１の記録層に収束させ、その反射光を受光して、情報記録媒体１００１に記録された情報を示すアナログ再生信号を生成する。
【００７７】
情報記録媒体１００１から再生されたアナログ再生信号は、再生信号処理部１００５にて信号処理される。再生信号処理部１００５は、２値化信号をデータ処理部１００６に渡す。
【００７８】
データ処理部１００６は、受け取った２値化信号から再生データを生成してコントローラ部１００７に渡す。
【００７９】
次に、光ディスク装置１０００の記録動作を説明する。
【００８０】
コントローラ部１００７は、記録データと記録再生制御情報とを記録パルス生成部１００４に渡す。
【００８１】
この記録再生制御情報は、情報記録媒体１００１に記録されている。
【００８２】
記録パルス生成部１００４は、受け取った記録データと記録条件に基づいて、記録信号を生成する。記録パルス生成部１００４は記録信号をレーザ制御部１００３に渡す。
【００８３】
生成された記録信号を受け取ったレーザ制御部１００３は、記録信号をもとに、光ヘッド部に搭載されたレーザの発光を制御して、情報記録媒体１００１にマークを形成する。これによりデータが記録される。
【００８４】
次に、記録時の記録パルス形状の一例を説明する。
【００８５】
図７は、キャッスル（Ｃａｓｔｌｅ）型と呼ばれるライトストラテジを示す。一例として、記録符号にＲＬＬ（１，７）を用いたとき、最短マークとなる２Ｔマーク（Ｔはチャネルクロック）から８Ｔマークまでと、データ開始位置などのタイミングを検出するためのＳｙｎｃパターンに用いる９Ｔマークを加えた記録マークを形成する際の記録パルス形状が示されている。
【００８６】
図７に示すキャッスル型ライトストラテジの２Ｔマークは、２Ｔ−ｄＴｔｏｐ７０６の時点を開始時間として、２Ｔ−Ｔｏｐ７０５で定義される時間を、ピークパワーＰｗ７０１でレーザ発光するトップパルスと、当該トップパルスの立ち下り時間から、２Ｔ−ｄＴｓ７０７で定義されるクーリングパワーＰｃ７０４からスペースパワーＰｓ７０３への立ち上がり時間までの間、クーリングパワーＰｃ７０４でレーザ発光するクーリングパルスとを有する。
【００８７】
図７に示すキャッスル型ライトストラテジの３Ｔマークは、３Ｔ−ｄＴｔｏｐ７０９の時点を開始時間とし、３Ｔ−Ｔｏｐ７０８で定義される時間を、ピークパワーＰｗ７０１でレーザ発光するトップパルスと、当該トップパルスの立ち下り時間から、２Ｔ−ｄＴｓ７０７で定義されるクーリングパワーＰｃ７０４からスペースパワーＰｓ７０３への立ち上がり時間までの間、Ｐｃ７０４でレーザ発光するクーリングパルスとを有する。
【００８８】
図７に示すキャッスル型ライトストラテジのｎＴマーク（ここでのｎは４以上９以下の整数を表す）は、ｎＴ−ｄＴｔｏｐ７１３の時点を開始時間とし、ｎＴ−Ｔｏｐ７１２で定義される時間を、ピークパワーＰｗ７０１でレーザ発光するトップパルスと、ｎＴ−ｄＴｃ７１５の時点を終了時間とし、ｎＴ−Ｔｌｐ７１２で定義される時間を、ピークパワーＰｗ７０１でレーザ発光するラストパルスと、当該トップパルスの立ち下り時間から、ラストパルスの立ち上がり時間までの間を、ミドルパワーＰｍ７０２でレーザ発光するミドルパルスと、当該ラストパルス立ち下り時間から、ｎＴ−ｄＴｓ７１６で定義されるクーリングパワーＰｃ７０４からスペースパワーＰｓ７０３への立ち上がり時間までの間、Ｐｃ７０４でレーザ発光するクーリングパルスとを有する。
【００８９】
なお、ｎＴマークを形成する各パラメータは、ｎが４から９までそれぞれで異なる値でも、ｎがある数以上は同じ値としてもよい。
【００９０】
続いて、図８を用いて、図７に説明したキャッスル型ライトストラテジの記録再生制御情報を有するディスク情報の構成の一例を説明する。
【００９１】
図８は、ヘッダ情報部８１１と、記録再生制御情報部８１２と、フッタ情報部８１３とを有するディスク情報を示す。ディスク情報は、１１２Ｂｙｔｅｓを１つの単位として構成されている。
【００９２】
また、記録再生制御情報部８１２は、ディスク制御部８１４と、パワー情報部８１５と、記録パルス情報部８１６とを有している。
【００９３】
図８の記録パルス情報部８１６が有するパラメータのうち、記録マークの前スペース側に関するパラメータｄＴｔｏｐ８０２およびＴｔｏｐ８０３は、前スペースの長さに対して、記録パルス調整を可能として構成されている。
【００９４】
記録パルス情報部８１６の詳細を以下に説明する。
【００９５】
図８の記録パルス情報部８１６に含まれる全てのパラメータは、それぞれ１Ｂｙｔｅの情報量を有している。
【００９６】
キャッスル型ライトストラテジのｄＴｃ８０１は、３Ｔマーク、４Ｔマーク、５Ｔマーク以上の３つに分類されており、全部で３Ｂｙｔｅｓの情報量を有する。
【００９７】
キャッスル型ライトストラテジのｄＴｔｏｐ８０２は、２Ｔマーク、３Ｔマーク、４Ｔマーク以上に分類されている。分類された各記録マークは、それぞれ前２Ｔスペース、前３Ｔスペース、前４Ｔスペース以上の３つに分類されており、全部で９Ｂｙｔｅｓの情報量を有する。
【００９８】
キャッスル型ライトストラテジのＴｔｏｐ８０３は、２Ｔマーク、３Ｔマーク、４Ｔマーク以上に分類されている。分類された各記録マークは、それぞれ前２Ｔスペース、前３Ｔスペース、前４Ｔスペース以上の３つに分類されており、全部で９Ｂｙｔｅｓの情報量を有する。
【００９９】
キャッスル型ライトストラテジのＴｌｐ８０４は、４Ｔマーク以上のみで定義され、１Ｂｙｔｅの情報量を有する。
【０１００】
キャッスル型ライトストラテジのｄＴｃ８０１は、３Ｔマーク、４Ｔマーク、５Ｔマーク以上に分類されている。分類された各記録マークは、全部で３Ｂｙｔｅｓの情報量を有する。  また、記録パルス情報部８１６は１９Ｂｙｔｅｓの空き情報８０６を有する。
【０１０１】
なお、空き情報８０６は、全てのビットを０または１として表現されてもよいし、空き情報８０６に代えて他の情報を格納してもよい。
【０１０２】
図５（ａ）は、２５ＧＢの記録容量を確保したときの最短マーク（２Ｔマーク）と光スポット５１のサイズとの関係を示し、図５（ｂ）は、３３．３ＧＢの記録容量を確保したときの最短マーク（２Ｔマーク）と光スポット５１のサイズとの関係を示す。いずれも本実施形態にかかる情報記録媒体１００１に２Ｔマークを記録したときの一例である。２５ＧＢでの記録マークと、３３．３ＧＢという高密度記録での記録マークとを比較すると、後者の記録マークの物理的な長さは、前者のそれのおよそ７５％となる。例えば、図５（ａ）および（ｂ）に示す２Ｔマークの例では、２５ＧＢ記録時の記録マークの長さは１４９ｎｍであるのに対して、３３．３ＧＢ記録時の記録マークの長さは１１２ｎｍとなる。
【０１０３】
そこで、本実施形態の情報記録媒体１００１に高密度記録を行うため、図７および図８で説明したキャッスル型ライトストラテジの記録再生制御情報を、以下の考慮を踏まえて構成する。
【０１０４】
１つ目は、記録マークの物理的な長さが短くなったため、記録マーク形成時に、前のマーク形成時や、後ろのマーク形成時に情報記録媒体１００１に照射されるレーザ光により与えられる熱の影響を受ける熱干渉という現象が、より長いチャネルクロックのマークにまで影響を与えてしまうことを考慮する。
【０１０５】
そこで、各パラメータの分類を、記録マークの長さが２Ｔマーク、３Ｔマーク、４Ｔマーク、５Ｔマーク以上へと拡張する。
【０１０６】
２つ目は、高密度化により、本実施形態の装置の検出系、つまりレーザ光の光スポットサイズに対する記録マークの物理的な長さが相対的に小さくなったため、再生信号検出時の符号間干渉が前のスペースのみでなく、他のスペースおよびマークの組み合わせに応じても異なることを考慮する。他のスペースおよびマークの組み合わせとは、前後スペース、前マークと前スペース、後ろマークと後ろスペース、前後スペースと前マーク、前後スペースと後ろマークである。特に、短いマークほど、符号間干渉の影響が顕著となる。
【０１０７】
そこで、記録パルスのパラメータ分類を、前スペースのみから、前スペース、前後スペース、前マークと前スペース、後ろマークと後ろスペース、前後スペースと前マーク、前後スペースと後ろマークとの組み合わせによる分類へ拡張する。
【０１０８】
この拡張は、最短となる２Ｔマークに関して行われる。また、前後のマークやスペースが２Ｔマークと３Ｔ以上マークでの分類、及び２Ｔスペースと３Ｔ以上スペースでの分類までにとどめることで、パラメータ情報量の過度な増大を軽減する。
【０１０９】
図９は、上記の拡張や分類を行ったディスク情報への構成方法を示す。
【０１１０】
以下、図９を詳細に説明する。
【０１１１】
まず、高密度化前後でのディスク情報構成に互換性を持たせるために、ヘッダ情報部８１１、記録再生制御情報部８１２、および、フッタ情報部８１３の構成、および、それぞれのＢｙｔｅ数は固定されているとする。
【０１１２】
前述の記録パルス情報の拡張により、必要となる記録パルス情報の情報量が増大する。
【０１１３】
そこで、記録再生制御情報部８１２内のディスク制御部９１４、パワー情報部９１５に確保されている領域を削減するか、それらが保持している情報を圧縮または削減することで、拡張され情報量が増えた記録パルス情報部９１６の領域を確保する。
【０１１４】
ディスク制御部９１４及びパワー情報部９１５の領域の削減とは、例えば、それぞれの情報部の未使用領域を削減することである。
【０１１５】
また、ディスク制御部９１４、パワー情報部９１５が保持している情報の圧縮または削減とは、設定値の分解能を下げることで使用ｂｉｔ数を減らし情報量を少なくすることや、複数のパラメータを保持している内容を少なくとも１つ減らすことである。後者は例えば、再生時のレーザ発光パワーが異なる再生速度ごとに設けられているときに、そのうちの少なくとも１つを減らすことが挙げられる。他の例として、発光方法の違い（ＤＣ発光と高周波重畳発光）に応じて異なる発光パワーの情報が設けられているときに、そのうちの少なくとも１つを減らすことである。
【０１１６】
以下、図９（ａ）の記録パルス制御部９１６の各パラメータの分類を詳細に説明する。図９（ａ）〜（ｃ）では、全てのパラメータが、それぞれ１Ｂｙｔｅの情報量を有するとしている。
【０１１７】
本実施形態による、高密度記録対応のため拡張された記録パルス制御部９１６は、基本部９１７と拡張部９１８を有している。
【０１１８】
図９（ｂ）は、基本部９１７の詳細なパラメータ分類を示す。基本部９１７は、基本ｄＴｃ９２１、基本ｄＴｔｏｐ９２２、基本Ｔｔｏｐ９２３、基本Ｔｌｐ９２４、基本ｄＴｓ９２５を有している。
【０１１９】
基本部９１７には、記録マークの前後のスペースや前後のマーク長さに依存しないパラメータが保持されている。基本部９１７の記録パルス情報のみを基に、拡張されていないキャッスル型ライトストラテジを生成することが可能となる。
【０１２０】
つまり、基本部９１７のみに基づくキャッスル型ライトストラテジによる記録は、拡張されたキャッスル型ライトストラテジによる記録に比べ、熱干渉や符号間干渉によるＳＮＲ悪化の可能性はある。しかしながら、基本部９１７のみに基づくキャッスル型ライトストラテジによれば、過去の情報記録再生装置や下位の情報記録再生装置のような、拡張されたキャッスル型ライトストラテジを生成することに対応していない装置が、高密度記録可能な情報記録媒体へ情報を記録することを可能としている。
【０１２１】
図９（ｃ）は、拡張部９１８の詳細なパラメータ分類を示す。拡張部９１８は、以下のように構成されている。
【０１２２】
キャッスル型ライトストラテジの拡張ｄＴｃ９０１は、３Ｔマーク、４Ｔマーク、５Ｔマーク以上において、それぞれの記録マークに対して、後ろ２Ｔスペースの場合に拡張しており、全部で３Ｂｙｔｅｓの情報量を有する。
【０１２３】
キャッスル型ライトストラテジの拡張ｄＴｔｏｐ９０２と拡張Ｔｔｏｐ９０３は以下のように構成されている。
【０１２４】
３Ｔマーク、４Ｔマーク、５Ｔマーク以上のそれぞれの記録マークに対して、前２Ｔスペースの場合にライトストラテジが拡張されている。それぞれの記録マークに対して拡張ｄＴｔｏｐ９０２と拡張Ｔｔｏｐ９０３では３Ｂｙｔｅｓの情報量が割り当てられている。
【０１２５】
２Ｔマークに関するパラメータ分類は、複数のマークおよびスペースの組み合わせによって規定されている。すなわち、前２Ｔマーク−前２Ｔスペース、前３Ｔマーク以上−前２Ｔスペース、前３Ｔスペース以上という分類と、後ろ２Ｔスペース−後ろ２Ｔマーク、後ろ２Ｔスペース−後ろ３Ｔマーク以上、後ろ３Ｔスペース以上という分類との組み合わせで、パラメータ分類が規定されている。なお、図９（ｃ）では、「前３Ｔマーク以上」を「前≧３Ｔマーク」などと記載している。これらの記録マークに関する拡張ｄＴｔｏｐ９０２と拡張Ｔｔｏｐ９０３のパラメータ分類には、それぞれ８Ｂｙｔｅｓずつの情報量が割り当てられている。ただし、前３Ｔスペース以上と後ろ３Ｔスペース以上の組み合わせの場合は、基本ｄＴｔｏｐ９２２および基本Ｔｔｏｐ９２３と同じ設定値が適用される。
【０１２６】
キャッスル型ライトストラテジの拡張Ｔｌｐ９０４は、４Ｔマーク、５Ｔマーク以上のそれぞれの記録マークに対して、後ろ２Ｔスペースの場合にライトストラテジが拡張されている。これらの記録マークに関するパラメータ分類には、全部で２Ｂｙｔｅｓの情報量が割り当てられている。
【０１２７】
キャッスル型ライトストラテジの拡張ｄＴｓ９０５は、３Ｔマーク、４Ｔマーク、５Ｔマーク以上のそれぞれの記録マークに対して、後ろ２Ｔスペースの場合にライトストラテジが拡張されている。これらの記録マークに関するパラメータ分類には、全部で３Ｂｙｔｅｓの情報量が割り当てられている。
【０１２８】
２Ｔマークに関するパラメータ分類は、拡張ｄＴｔｏｐ９０２などと同様、複数のマークおよびスペースの組み合わせによって規定されている。すなわち、前２Ｔスペース、前３Ｔスペース以上という分類と、後ろ２Ｔスペース−後ろ２Ｔマーク、後ろ２Ｔスペース−後ろ３Ｔマーク以上、後ろ３Ｔスペース以上という分類との組み合わせで、パラメータ分類が規定されている。２Ｔマークに関するパラメータ分類には、全部で５Ｂｙｔｅｓの情報量が割り当てられている。ただし、前３Ｔスペース以上と後ろ３Ｔスペース以上との組み合わせの場合は、基本ｄＴｓ９２５の設定値が適用される。
【０１２９】
これにより、高密度化記録を行うための拡張した記録パルス情報に対応しつつ、ディスク制御部９１４、パワー情報部９１５と記録パルス情報部９１６の情報量の合計を一定に保つことができる。
【０１３０】
以上のように、本実施形態によれば、情報記録媒体に高密度記録を行う際に、拡張された記録パルスに非対応の情報記録再生装置でも記録再生制御情報を基に記録を行うことが可能である。さらに、拡張された記録パルスに対応した情報記録再生装置は、再生信号のＳＮＲ悪化要因となりうる熱干渉や符号間干渉の影響を考慮した上で、高密度記録のために拡張された記録再生制御情報を、固定された情報量内に収める。これにより、情報量の圧縮を実現しつつ、下位や過去の情報記録再生装置および下位や過去の情報記録媒体と互換性を保った構成とすることが可能となる。
【０１３１】
なお、本実施形態では、記録符号にＲＬＬ（１，７）を用いているが、本発明はこれに限定されるものではない。
【０１３２】
なお、本実施形態では、図９に示す記録パルス情報部９１６、基本部９１７、拡張部９１８内の各パラメータの順番は、これに限定されるものではない。
【０１３３】
なお、本実施形態では、記録再生制御情報が情報記録媒体に記載されているとしているが、必ずしも情報記録媒体に記載されていなくても良い。例えば、光ディスク装置１０００内のメモリ部１００８が記録再生制御情報を保持していてもよい。また、メモリ部１００８に保持されている記録再生制御情報は、図９（ａ）に記載されたディスク制御部、パワー情報部、記録パルス情報部の全てを保持していなくてもよく、その一部を保持していてもよい。
【０１３４】
なお、本実施形態では、キャッスル型ライトストラテジを説明したが、本発明はキャッスル型ライトストラテジに限定されるものではない。例えば、図１１と図１２に示すＮ−１型のライトストラテジや、図１４と図１５に示すＮ／２型と呼ばれるライトストラテジにも適用可能である。
【０１３５】
なお、本実施形態では、具体的な数値を持ってマーク長さやスペース長さの分類を説明したが、本発明はこれに限定されるものではない。例えば、２Ｔから９Ｔまでの記録マークを形成する際に、２Ｔ、３Ｔ、４Ｔ、５Ｔ、６Ｔ以上という分類にしてもよい。
【０１３６】
なお、本実施形態では、記録パルス情報の基本部を、より長い前後のスペースや前後のマークにより分類されているパラメータを選択しているが、本発明は、これに限定されるものではない。例えば、３Ｔマークを形成する記録パルス情報のｄＴｃにおいて、基本部が後ろスペース２Ｔの場合のパラメータとして、拡張部が後ろ３Ｔスペース以上の場合のパラメータとしてもよい。
【０１３７】
（実施形態２）
次に、本実施形態にかかる光ディスク装置を説明する。
【０１３８】
本実施形態にかかる光ディスク装置の構成は、図１０に示す光ディスク装置１０００の構成と同じである。したがって、本実施形態による光ディスク装置を説明するに当たっては、図１０を引き続き参照する。
【０１３９】
本実施形態にかかる光ディスク装置は、その処理の一部において、図１０に示す光ディスク装置１０００と異なっている。以下、その異なる処理を説明する。なお、実施形態１に関連して説明した光ディスク装置の処理手順のうち、本実施形態においても同様に適用される処理手順の説明は省略する。
【０１４０】
図１０は、本発明の実施形態２による光ディスク装置１０００を示す図である。
【０１４１】
図１１は、Ｎ−１型と呼ばれるライトストラテジを示す。一例として、記録符号にＲＬＬ（１，７）を用いたとき、最短マークとなる２Ｔマーク（Ｔはチャネルクロック）から８Ｔマークまでと、データ開始位置などのタイミングを検出するためのＳｙｎｃパターンに用いる９Ｔマークを加えた記録マークを形成する際の記録パルス形状が示されている。
【０１４２】
図１１に示すＮ−１型ライトストラテジの２Ｔマークは、２Ｔ−ｄＴｔｏｐ１１０６の時点を開始時間とし、２Ｔ−Ｔｏｐ１１０５で定義される時間を、ピークパワーＰｗ１１０１でレーザ発光するトップパルスと、トップパルスの立ち下り時間から、２Ｔ−ｄＴｓ１１０７で定義されるクーリングパワーＰｃ１１０３からスペースパワーＰｓ１１０２への立ち上がり時間までの間、クーリングパワーＰｃ１１０３でレーザ発光するクーリングパルスとを有する。
【０１４３】
図１１に示すＮ−１型ライトストラテジの３Ｔマークは、３Ｔ−ｄＴｔｏｐ１１０９の時点を開始時間とし、３Ｔ−Ｔｏｐ１１０８で定義される時間を、ピークパワーＰｗ１１０１でレーザ発光するトップパルスと、ＮＲＺＩの２Ｔ後を開始時間とし、３Ｔ−Ｔｌｐ１１１０で定義される時間をピークパワーＰｗ１１０１でレーザ発光するラストパルスと、トップパルスの立ち下り時間から、ラストパルスの立ち上がり時間までの間を、ボトムパワーＰｂ１１０４でレーザ発光するボトムパルスと、ラストパルス立ち下り時間から、３Ｔ−ｄＴｓ１１１１で定義されるクーリングパワーＰｃ１１０３からスペースパワーＰｓ１１０２への立ち上がり時間までの間、Ｐｃ１１０３でレーザ発光するクーリングパルスとを有する。
【０１４４】
図１１に示すＮ−１型ライトストラテジのｎＴマーク（ここでのｎは４以上９以下の整数を表す）は、ｎＴ−ｄＴｔｏｐ１１１３の時点を開始時間とし、ｎＴ−Ｔｏｐ１１１２で定義される時間を、ピークパワーＰｗ１１０１でレーザ発光するトップパルスと、ＮＲＺＩの２Ｔ後からＮＲＺＩの（ｎ−１）Ｔまで、ＮＲＺＩのチャネルクロックに同期した時間を開始時間とし、Ｔｍｐ１１１６で定義される時間をピークパワーＰｗ１１０１で、次のピークパワーＰｗでの発光までの間をボトムパワーＰｂ１１０４で、レーザ発光するマルチパルスと、ＮＲＺＩの（ｎ−１）Ｔ後を開始時間とし、ｎＴ−Ｔｌｐ１１１４で定義される時間をピークパワーＰｗ１１０１でレーザ発光するラストパルスと、ラストパルス立ち下り時間から、ｎＴ−ｄＴｓ１１１５で定義されるクーリングパワーＰｃ１１０３からスペースパワーＰｓ１１０２への立ち上がり時間までの間、Ｐｃ１１０３でレーザ発光するクーリングパルスとを有する。なお、ｎＴマークを形成する各パラメータは、ｎが４から９までそれぞれで異なる値でも、ｎがある数以上は同じ値としてもよい。
【０１４５】
なお、図１１では、ボトムパワーＰｂ１１０４＜クーリングパワーＰｃ１１０３となっているが、本発明はこれに限定されない。例えば、Ｐｂ＝ＰｃやＰｂ＞Ｐｃとなってもよい。
【０１４６】
続いて、図１２を用いて、図１１に説明したＮ−１型ライトストラテジの記録再生制御情報の構成の一例を示す。
【０１４７】
図１２は、ヘッダ情報部８１１、記録再生制御情報部８１２とフッタ情報部８１３を有するディスク情報であり、１１２Ｂｙｔｅｓを１つの単位としている。
【０１４８】
また、記録再生制御情報部１２１２は、ディスク制御部１２１４と、パワー情報部１２１５と、記録パルス情報部１２１６とを有している。
【０１４９】
図１２の記録パルス情報部１２１６のパラメータのうちの、記録マークの前スペース側に関するパラメータｄＴｔｏｐ１２０２およびＴｔｏｐ１２０３は、前スペースの長さに対して、記録パルスの調整が可能である。
【０１５０】
また、マルチパルス幅を表すＴｍｐ１２０１、トップパルス幅を表すＴｔｏｐ１２０３、ラストパルス幅を表すＴｌｐ１２０４は、パルス幅をチャネルクロックＴの分周クロックで定義されるパルス幅と、固定クロックによって定義されるパルス幅の両方のパラメータを保持している。ただし、上記、分周クロックによるパルス幅と固定クロックによるパルス幅はどちらか一方を使用すればよい。
【０１５１】
図１２では、分周クロックは、チャネルクロックの１６分の１で定義した際の情報量とする。
【０１５２】
記録パルス情報部１２１６の詳細を以下に説明する。
【０１５３】
Ｎ−１型ライトストラテジのＴｍｐ１２０１は、２Ｔマークおよび３Ｔマークに関しては設けられず、４Ｔ以上のマークに関してのみ設けられている。これは、４Ｔ以上のマークのみがマルチパルスを用いて形成されることを意味する。Ｔｍｐ１２０１には、トップパルスとラストパルスとの間に位置するマルチパルスの一つのパルスの幅を示す値が記述される。その値は、４Ｔ以上のマークに関して共通に用いられる。ただし、Ｔｍｐ１２０１には、分周クロックによるパルス幅を示す値と、固定クロックによるパルス幅を示す値とが記述される。それぞれの値は４ｂｉｔの情報量で保持され、全部で１Ｂｙｔｅの情報量となる。
【０１５４】
Ｎ−１型ライトストラテジのｄＴｔｏｐ１２０２は、２Ｔマーク、３Ｔマーク、４Ｔマーク以上に分類されている。それぞれの記録マークは、前２Ｔスペース、前３Ｔスペース、前４Ｔスペース、前５Ｔスペース以上に分類されており、全部で１２Ｂｙｔｅｓの情報量を有する。
【０１５５】
Ｎ−１型ライトストラテジのＴｔｏｐ１２０３は、２Ｔマーク、３Ｔマーク、４Ｔマーク以上に分類されている。そして、その分類の各々について、分周クロックによるパルス幅に関するパラメータを記述するための情報部と、固定クロックによるパルス幅に関するパラメータを記述するための情報部とが確保されている。これにより、Ｔｔｏｐ１２０３は大きく分けて６通りに分類されていることになる。
【０１５６】
これらの６通りの分類の各々は、さらに、前２Ｔスペース、前３Ｔスペース、前４Ｔスペース、前５Ｔスペース以上の記録マークによって分類されている。各記録マークに関して割り当てられた情報量は１Ｂｙｔｅであり、Ｔｔｏｐ１２０３は、全部で２４Ｂｙｔｅｓの情報量を有する。
【０１５７】
Ｎ−１型ライトストラテジのＴｌｐ１２０４は、３Ｔマーク、４Ｔマーク以上で分類されている。各記録マークに関しては、分周クロックによるパルス幅と、固定クロックによるパルス幅とをそれぞれ４ｂｉｔの情報量が割り当てられており、Ｔｌｐ１２０４は全部で２Ｂｙｔｅｓの情報量を有する。
【０１５８】
Ｎ−１型ライトストラテジのｄＴｓ１２０５は、２Ｔマーク、３Ｔマーク、４Ｔマーク以上に分類されており、全部で３Ｂｙｔｅｓの情報量を有する。
【０１５９】
また、記録パルス情報部１２１６は２Ｂｙｔｅｓの空き情報１２０６を有する。
【０１６０】
なお、空き情報１２０６は、全てのビットを０または１として表現されてもよいし、空き情報８０６に代えて他の情報を格納してもよい。
【０１６１】
図５（ａ）は、２５ＧＢの記録容量を確保したときの最短マーク（２Ｔマーク）と光スポット５１のサイズとの関係を示し、図５（ｂ）は、３３．３ＧＢの記録容量を確保したときの最短マーク（２Ｔマーク）と光スポット５１のサイズとの関係を示す。いずれも本実施形態にかかる情報記録媒体１００１に２Ｔマークを記録したときの一例である。２５ＧＢでの記録マークと、３３．３ＧＢという高密度記録での記録マークとを比較すると、後者の記録マークの物理的な長さは、前者のそれのおよそ７５％となる。例えば、図５（ａ）および（ｂ）に示す２Ｔマークの例では、２５ＧＢ記録時の記録マークの長さは１４９ｎｍであるのに対して、３３．３ＧＢ記録時の記録マークの長さは１１２ｎｍとなる。
【０１６２】
そこで、本実施形態の情報記録媒体１００１に高密度記録を行うため、図１１および図１２で説明したＮ−１型ライトストラテジの記録再生制御情報を、以下の考慮を踏まえて構成する。
【０１６３】
１つ目は、記録マークの物理的な長さが短くなったため、記録マーク形成時に、前のマーク形成時や、後ろのマーク形成時に情報記録媒体１００１に照射されるレーザ光により与えられる熱量の影響を受ける熱干渉という現象が、より長いチャネルクロックのマークにまで影響を与えてしまうことを考慮する。
【０１６４】
そこで、各パラメータの分類を、記録マークの長さが２Ｔマーク、３Ｔマーク、４Ｔマーク、５Ｔマーク以上へと拡張する。
【０１６５】
２つ目は、高密度化により、本実施形態の装置の検出系、つまりレーザ光の光スポットサイズに対する記録マークの物理的な長さが相対的に小さくなったため、再生信号検出時の符号間干渉が前のスペースのみでなく、他のスペースおよびマークの組み合わせに応じても異なることを考慮する。他のスペースおよびマークの組み合わせとは、前後スペース、前マークと前スペース、後ろマークと後ろスペース、前後スペースと前マーク、前後スペースと後ろマークである。特に、短いマークほど、符号間干渉の影響が顕著となる。
【０１６６】
そこで、記録パルスのパラメータ分類を、前スペースのみから、前スペース、前後スペース、前マークと前スペース、後ろマークと後ろスペース、前後スペースと前マーク、前後スペースと後ろマークとの組み合わせによる分類へ拡張する。
【０１６７】
ここで、記録マークを再生した際の信号のＳＮＲを最適化するため、パラメータの設定値に対するＳＮＲ悪化の感度が最も高い、２Ｔマークに前述した記録パルス情報の拡張を行う。また、パルス幅に関するパラメータＴｍｐ、Ｔｔｏｐ、Ｔｌｐは分周クロックと固定クロックによる２種類のパラメータを持っているが、実際に使用されるのは、どちらか一方であるため、分周クロックのみにすることで、パラメータ情報量を圧縮する。
【０１６８】
さらに、以下のように情報量を圧縮する。
【０１６９】
前後のスペースや前後のマークに対して、同じマーク長さを形成する各パラメータ（ｄＴｔｏｐ、Ｔｔｏｐ、Ｔｌｐ、ｄＴｓ）が同じ情報量で定義されている。
【０１７０】
そこで、各パラメータの代表値を基準値とし、前後のスペースや前後のマークに対してのパラメータの値を、基準値からのオフセット値という形で設ける。
【０１７１】
ここで、「基準値」とは、パルスのチャネルクロックからの遅延量や、トップパルス、ラストパルス、クーリングパルスなどの各パルスの幅を示す値を意味する。また「オフセット値」とは、パルスの幅や遅延量の基準値に対する差分の値である。
【０１７２】
なお、「基準値」は正負または０の値を取り得る。たとえば、記録パルス幅の場合には正の値と０しかとらないが、記録パルス位置（立ち上がりまたは立ち下がり）は正の値と０だけでなく、負の値も含む。
【０１７３】
基準値は１Ｂｙｔｅで表されるのに対して、オフセット値は、例えば半分の４ｂｉｔ（００００ｂ〜１１１１ｂ）で表される。分周クロックがチャネルクロックの１６分の１の場合、符号なし（全てが正の数）の場合は０から１５まで、符号つき（最上位ｂｉｔが１のときにマイナスとする）の場合は−８から７まで表すことが可能であり、１Ｔ分のオフセットを定義することが可能である。また、分周クロックがチャネルクロックの３２分の１の場合は、０．５Ｔ分のオフセットを定義することが可能である。
【０１７４】
本実施形態では、記録マークの長さが２Ｔから９Ｔまで、１Ｔごとで定義されているため、０．５Ｔ以上記録パルスをずらすと１Ｔ長いマーク、または１Ｔ短いマークと誤認識される可能性が非常に高いと考えられる。そのため、前後のスペースや前後のマークに対してのパラメータの値を、４ｂｉｔという情報量へ縮小し、基準値からのオフセット値として保持しても、記録マークの再生時のＳＮＲを大きく悪化させる要因になるとは考えにくい。
【０１７５】
図１３（ａ）〜（ｃ）は上記の拡張や分類を行ったディスク情報への構成方法を示す。
【０１７６】
以下、図１３を詳細に説明する。
【０１７７】
まず、高密度化前後でのディスク情報構成に互換性を持たせるために、ヘッダ情報部８１１、記録再生制御情報部８１２、および、フッタ情報部８１３の構成と、それぞれのＢｙｔｅ数は固定されているとする。
【０１７８】
前述の記録パルス情報の拡張により、記録パルス情報の情報量が増大する。
【０１７９】
そこで、記録再生制御情報部８１２内のディスク制御部１２１４、パワー情報部１２１５に確保されている領域を削減するか、それらが保持している情報の圧縮または削減をすることで、拡張され情報量が増えた記録パルス情報部１２１６の領域を確保する。
【０１８０】
ディスク制御部１２１４及びパワー情報部１２１５の領域の削減とは、例えば、それぞれの情報部の未使用領域を削減することである。
【０１８１】
また、ディスク制御部１２１４、パワー情報部１２１５で保持している情報の圧縮または削減とは、設定値の分解能を下げることで、使用ｂｉｔ数を減らし情報量を少なくすることや、複数のパラメータを保持している内容を少なくとも１つ減らすことである。後者は例えば、再生時のレーザ発光パワーが異なる再生速度ごとに設けられているときに、そのうちの少なくとも１つを減らすことが挙げられる。他の例として、発光方法の違い（ＤＣ発光と高周波重畳発光）に応じて異なる発光パワーの情報が設けられているときに、そのうちの少なくとも１つを減らすことである。
【０１８２】
以下、図１３（ａ）の記録パルス制御部１３１６の各パラメータの分類を詳細に説明する。
【０１８３】
本実施形態による、高密度記録対応のため拡張された記録パルス制御部１３１６は、基本部１３１７と拡張部１３１８を有している。
【０１８４】
図１３（ａ）〜（ｃ）では、全てのパラメータにおいて、基本部１３１７に保持している１つの基準値を１Ｂｙｔｅの情報量、拡張部１３１８に保持している１つのオフセット値を０．５Ｂｙｔｅ（４ｂｉｔ）としている。
【０１８５】
基本部１３１７は、Ｔｍｐ１３０１、基本ｄＴｔｏｐ１３２１、基本Ｔｔｏｐ１３２２、基本Ｔｌｐ１３２３、基本ｄＴｓ１３２４を有している。
【０１８６】
基本部１３１７には、記録マークの前後のスペースや前後のマーク長さに依存しないパラメータが保持されている。基本部１３１７の記録パルス情報のみを基に、拡張されていないＮ−１型ライトストラテジを生成することが可能となる。
【０１８７】
つまり、基本部１３１７のみに基づくキャッスル型ライトストラテジによる記録は、拡張されたＮ−１型ライトストラテジによる記録に比べ、熱干渉や符号間干渉によるＳＮＲ悪化の可能性はある。しかしながら、基本部１３１７のみに基づくキャッスル型ライトストラテジによれば、過去の情報記録再生装置や下位の情報記録再生装置のような、拡張されたＮ−１型ライトストラテジを生成することに対応していない装置が、高密度記録可能な情報記録媒体へ情報を記録することを可能としている。
【０１８８】
図１３（ｃ）は、拡張部１３１８の詳細なパラメータ分類を示す。拡張部１３１８は、以下のように構成されている。Ｎ−１型ライトストラテジのＴｍｐ１３０１は、基本部１３１７の設定値と共通となっているため、拡張部への記載はない。
【０１８９】
Ｎ−１型ライトストラテジの拡張ｄＴｔｏｐ１３０２と拡張Ｔｔｏｐ１３０３は、２Ｔマーク、３Ｔマーク、４Ｔマーク、５Ｔマーク以上に分類されている。そのうちの３Ｔマーク、４Ｔマーク、５Ｔマーク以上のそれぞれの記録マークが、前２Ｔスペース、前３Ｔスペース、前４Ｔスペースの場合にパラメータ分類が拡張される。前５Ｔスペース以上の場合は、基本ｄＴｔｏｐ１３２１または基本Ｔｔｏｐ１３２２の設定値を適用する。そして、その他の場合には基本ｄＴｔｏｐ１３２１または基本Ｔｔｏｐ１３２２からのオフセット値で表す。拡張ｄＴｔｏｐ１３０２と拡張Ｔｔｏｐ１３０３でそれぞれ４．５Ｂｙｔｅｓずつの情報量を有している。
【０１９０】
２Ｔマークに関するパラメータ分類は、拡張ｄＴｔｏｐ１３０２などと同様、複数のマークおよびスペースの組み合わせによって規定されている。すなわち、前２Ｔマーク−前２Ｔスペース、前３Ｔマーク以上−前２Ｔスペース、前３Ｔスペース、前４Ｔスペース、前５Ｔスペース以上という分類と、後ろ２Ｔスペース−後ろ２Ｔマーク、後ろ２Ｔスペース−後ろ３Ｔマーク以上、後ろ３Ｔスペース以上という分類との組み合わせで、パラメータ分類が規定されている。そして、前５Ｔスペース以上−後ろ３Ｔスペース以上の組み合わせの場合は、基本ｄＴｔｏｐ１３２１または基本Ｔｔｏｐ１３２２の設定値が適用され、その他の場合には基本ｄＴｔｏｐ１３２１または基本Ｔｔｏｐ１３２２からのオフセット値が適用される。拡張ｄＴｔｏｐ１３０２および拡張Ｔｔｏｐ１３０３はそれぞれ７Ｂｙｔｅｓの情報量を有する。
【０１９１】
Ｎ−１型ライトストラテジの拡張Ｔｌｐ１３０４は、３Ｔマーク、４Ｔマーク、５Ｔマーク以上に分類されている。それぞれの記録マークは、後ろ２Ｔスペース、後ろ３Ｔスペース、後ろ４Ｔスペース、後ろ５Ｔスペース以上に分類される。後ろ５Ｔスペース以上の場合は基本Ｔｌｐ１３２３が適用され、その他の場合には基本Ｔｌｐ１３２３からのオフセット値が適用される。拡張Ｔｌｐ１３０４は全部で４．５Ｂｙｔｅｓの情報量を有する。
【０１９２】
Ｎ−１型ライトストラテジの拡張したｄＴｓ１３０５は、２Ｔマーク、３Ｔマーク、４Ｔマーク、５Ｔマーク以上に分類されている。そのうちの３Ｔマーク、４Ｔマーク、５Ｔマーク以上のそれぞれの記録マークが、後ろ２Ｔスペース、後ろ３Ｔスペース、後ろ４Ｔスペース、後ろ５Ｔスペース以上に分類される。ただし後ろ５Ｔスペース以上の場合は基本ｄＴｓ１３２４が適用され、その他の場合には基本ｄＴｓ１３２４からのオフセット値が適用される。ｄＴｓ１３０５の３Ｔマーク、４Ｔマーク、５Ｔマーク以上のパラメータ分類には、全部で４．５Ｂｙｔｅｓの情報量が割り当てられる。
【０１９３】
２Ｔマークに関するパラメータ分類は、複数のマークおよびスペースの組み合わせによって規定されている。すなわち、前２Ｔスペース、前３Ｔスペース以上という分類と、後ろ２Ｔスペース−後ろ２Ｔマーク、後ろ２Ｔスペース−後ろ３Ｔマーク以上、後ろ３Ｔスペース以上という分類との組み合わせで、パラメータ分類が規定されている前３Ｔスペース以上−後ろ３Ｔスペース以上での組み合わせの場合は基本ｄＴｓ１３２４が適用され、その他の場合には基本ｄＴｓ１３２４からのオフセット値が適用される。ｄＴｓ１３０５の２Ｔマークのパラメータ分類には、全部で２．５Ｂｙｔｅｓの情報量を有する。
【０１９４】
これにより、高密度化記録を行うための拡張した記録パルス情報に対応しつつ、ディスク制御部１３１４、パワー情報部１３１５と記録パルス情報部１３１６の情報量の合計を一定に保つことができる。
【０１９５】
以上のように、実施形態２によれば、情報記録媒体に高密度記録を行う際に、拡張された記録パルスに非対応の情報記録再生装置でも記録再生制御情報を基に記録を行うことが可能であり、さらに、拡張された記録パルスに対応した情報記録再生装置は、再生信号のＳＮＲ悪化要因となりうる熱干渉や符号間干渉の影響を考慮した上で、高密度記録のために拡張された記録再生制御情報を、固定された情報量内に収める。これにより、情報量の圧縮を実現しつつ、下位や過去の情報記録再生装置および下位や過去の情報記録媒体と互換性を保った構成とすることが可能となる。
【０１９６】
なお、本実施形態では、記録符号にＲＬＬ（１，７）を用いているが、本発明はこれに限定されるものではない。
【０１９７】
なお、本実施形態では、図１３に示す記録パルス情報部１３１６、基本部１３１７、各兆部１３１８内の各パラメータの順番は、これに限定されるものではない。
【０１９８】
なお、本実施形態では、記録再生制御情報が情報記録媒体に記載されているとしているが、必ずしも情報記録媒体に記載されていなくても良い。例えば、光ディスク装置１０００内のメモリ部１００８に保持していてもよい。また、メモリ部１００８に保持されている記録再生制御情報は、ディスク制御部、パワー情報部、記録パルス情報部の全てを保持しておらず、その一部を保持していてもよい。
【０１９９】
なお、本実施形態では、分周クロックをチャネルクロックの１６分の１として定義したが、本発明はこれに限定されない。例えば、８分の１や２０分の１としてもよい。
【０２００】
なお、本実施形態では、Ｎ−１型ライトストラテジを説明したが、Ｎ−１型ライトストラテジに限定されるものではない。例えば、図７と図８に示すキャッスル型ライトストラテジや、図１４と図１５に示すＮ／２型と呼ばれるライトストラテジにも適用可能である。
【０２０１】
なお、本実施形態では、具体的な数値を示してマーク長さやスペース長さの分類を説明したが、本発明はこれに限定されるものではない。例えば、２Ｔから９Ｔまでの記録マークを形成する際に、２Ｔ、３Ｔ、４Ｔ、５Ｔ、６Ｔ以上という分類にしてもよい。
【０２０２】
（実施形態３）
本実施形態では、実施形態２にかかる光ディスク装置とは異なる光ディスク装置を説明する。
【０２０３】
まず、本実施形態にかかる光ディスク装置の構成は、図１０に示す光ディスク装置１０００の構成と同じである。したがって、本実施形態による光ディスク装置を説明するに当たっては、図１０を引き続き参照する。
【０２０４】
本実施形態にかかる光ディスク装置は、その処理の一部において、実施形態１および２にかかる光ディスク装置と異なっている。以下、その異なる処理を説明する。なお、実施形態１に関連して説明した光ディスク装置の処理手順のうち、本実施形態においても同様に適用される処理手順の説明は省略する。
【０２０５】
図１０は、本実施形態による光ディスク装置１０００を示す図である。
【０２０６】
情報記録媒体１００１から読み取ったディスク情報に記載されている拡張された記録パルス情報の各パラメータが、１つのパラメータにつき１Ｂｙｔｅの情報を持っているとする。また、２つのディスク情報に記録再生制御情報が分離されていたとする。
【０２０７】
このとき、コントローラ部１００７は、図１３に示すような基本部１３１７と拡張部１３１８の構成に分類する。そして、拡張部１３１８のパラメータについては、コントローラ部１００７は、基本部１３１７の基準値からのオフセット値を計算し、基本部１３１７に保持するよりも少ない情報量、例えば４ｂｉｔｓとする。
【０２０８】
メモリ部１００８は、コントローラ部１００７で計算された基本部１３１７と拡張部１３１８のパラメータを保持する。または、基本部１３１７と拡張部１３１８のパラメータは、情報記録媒体１００１内の許可された領域に記録される。
【０２０９】
以上のように、本実施形態によれば、高密度記録のために拡張された記録再生制御情報を、固定された情報量内に収めることで、情報量の圧縮を実現しつつ、下位や過去の情報記録再生装置および下位や過去の情報記録媒体と互換性を保った構成とすることが可能となる。
【０２１０】
上述のとおり、実施形態１〜３によれば、複数のトラックを有し、各トラックへのレーザ光のパルス照射によりマークを形成し、情報がマークとスペースが交互に並べられたデータ列として記録される情報記録媒体を得ることができる。より具体的には、情報記録媒体は、少なくとも１つの情報を記録するための情報記録層を有している。この情報記録層は、情報を記録するための情報記録領域を有し、少なくとも１つの情報記録層に記録再生を行うための制御情報領域を有している。この制御情報領域は、少なくとも１つの制御情報を有している。当該少なくとも１つの制御情報は、第１の記録パルス情報と第２の記録パルス情報とを有する。第１の記録パルス情報のみ、もしくは、第１の記録パルス情報と第２の記録パルス情報の両方に基づいて、情報が記録される。
【０２１１】
（実施形態４）
本実施形態は、レーザ光を照射することで情報の記録を行うための情報記録媒体に関しており、特に情報記録媒体に予め記録されている、記録再生を行うための制御情報の配置に関している。
【０２１２】
まず本実施形態の説明に入る前に、記録再生制御情報を改めて説明する。以下ではＢＤのＤＩを例に挙げて説明する。
【０２１３】
図２１はＢＤの構造模式図であり、特許文献１ではリードイン領域６０１と呼ばれる領域に少なくとも１つ以上のＤＩが記載されている。特許文献１では、ＤＩは１１２バイトであり、１つのＤＩには、１つの層、１つの倍速に対応した、１つの記録パルス形状が記載されている。
【０２１４】
次にＢＤのＤＩの模式図を図２２に示す。図２２において、ＤＩはヘッダ情報１６０１、記録再生制御情報１６０２、フッタ情報１６０３から構成されており、記録再生制御情報１６０２は、ディスク種別やディスク構造に関する情報が記載されたディスク情報部１６０４、記録時や再生時のパワーを制御するパワー情報部１６０５、記録時の記録パルス形状を制御する記録パルス情報部１６０６から構成されている。
【０２１５】
光ディスクにおいては、記録マークを形成するための記録パルスは、各パルスのパワーレベルを示すパワー情報と、各パルスの位置やパルス幅を示す記録パルス情報から成り立っている。上述のように、パワー情報と記録パルス情報をまとめてライトストラテジと呼ぶ。
【０２１６】
次に図２３を用いてパワー情報と記録パルス情報を説明する。図２３は記録パルス形状の一例であり、チャネルクロックＴに対して、Ｔの８倍の長さ（＝８Ｔ）となるマークを形成するための記録パルス形状の一例を示している。
【０２１７】
図２３の場合、パワー情報として、ピークパワーＰｗ１７０１、スペースパワーＰｓ１７０２、クーリングパワーＰｃ１７０３、ボトムパワーＰｂ１７０４のような、記録パルスの振幅方向のパラメータに関する情報を含む。また記録パルス情報として、トップパルス幅Ｔｔｏｐ１７０５、トップパルス幅開始位置ｄＴｔｏｐ１７０６、マルチパルス幅Ｔｍｐ１７０７、ラストパルス幅１７０８、クーリングパルス終了位置ｄＴｓ１７０９のような、記録パルスの時間軸方向のパラメータに関する情報を含む。
【０２１８】
これらのパラメータが、例えば図２４のような形式でＤＩに格納されている。なおこれらの記録再生制御情報は、図２４と同一の形式、または準ずる形式で、情報記録媒体内の所定の領域に情報記録媒体の記録再生装置によって記録される場合や、記録再生装置の内部メモリなどに保持される場合がある。
【０２１９】
さらに上記の記録再生制御情報に加えて、記録の高倍速化や高密度化などにより、マーク間の熱干渉の影響が、マークの前または後ろに位置するスペースの長さに依存するようになる。上記のような現象が見られるとき、全ての前または後ろスペース長さに対して同じ記録パルス情報で記録を行うと、記録マークの前または後ろに位置するスペースの長さによって、記録マーク長さが変わってしまう。
【０２２０】
そのため、各マーク長さのみでなく、マークの前または後ろに位置するスペース長さとの関係によって、各々の記録パルス情報が定義されることもある。
【０２２１】
近年、情報記録媒体の高密度化により、記録マークの最短マーク長が検出系に依存する分解能の限界に近づいている。例えば情報記録媒体が光ディスク媒体である場合には、検出系に依存する分解能とはレーザ光を集光した光スポットの大きさによる光学的な分解能を指すが、分解能の限界のため、符号間干渉の増大およびＳＮＲ（Ｓｉｇｎａｌ  Ｎｏｉｓｅ  Ｒａｔｉｏ）の劣化がより顕著となっている。
【０２２２】
以下４０５ｎｍの波長を有する青色レーザを用いた１２ｃｍの光ディスク媒体で説明する。非特許文献１によれば、青色レーザを用いた光ディスク媒体で、レーザ光を集光させた光スポットサイズは３９０ｎｍであり、記録符号にＲＬＬ（１，７）を用いた記録層１層当たりの記録容量が２５ＧＢの場合、最短マークの長さは１４９ｎｍとなる。また、この光ディスク媒体で、１層当たりの記録容量を３３．３ＧＢとした場合、最短マークの長さは１１２ｎｍとなる。更なる高密度化を測ろうとすれば、さらに最短マークの長さは短くなる。
【０２２３】
同じ検出系を使用した場合、図２５（ａ）に示すように、記録容量２５ＧＢでは、光スポット１９０１の中に最短マーク／スペースが２．６個分が入る大きさであったものが、図２５（ｂ）に示すように、記録容量３３．３ＧＢでは、光スポット１９０１の中に最短マーク／スペースが３．５個分入る大きさとなり、光ディスク媒体の検出系となる光スポットサイズに対してのマークの長さが短くなる。
【０２２４】
このため、光スポットサイズに入ってくるマークとスペースの組み合わせが、マークと前または後ろに位置するスペースが１つずつのパターンだけでなく、複数のマークとスペースを有するパターンとなるものもある。
【０２２５】
以下図２６を用いて説明する。図２６は光スポット２００１のサイズと複数のマークまたはスペースを含むパターンとの関係の一例を示す図であり、現在時刻ｉのマークについて、複数のマークまたはスペースを含むパターンとの関係を示しており、図２６（ａ）は、現在時刻ｉのマークと、時刻ｉ−１の前スペース、時刻ｉ＋１の後ろスペースとの組み合わせを示している。図２６（ｂ）は、現在時刻ｉのマークと、時刻ｉ−２の前マーク、時刻ｉ−１の前スペースとの組み合わせを示している。図２６（ｃ）は、現在時刻ｉのマークと、時刻ｉ＋１の後ろスペース、時刻ｉ＋２の後ろマークとの組み合わせを示している。
【０２２６】
図２６（ｄ）は、現在時刻ｉのマークと、時刻ｉ−１の前スペース、時刻ｉ＋１の後ろスペース、時刻ｉ＋２の後ろマークとの組み合わせを示している。図２６（ｅ）は、現在時刻ｉのマークと、時刻ｉ−２の前マーク、時刻ｉ−１の前スペース、時刻ｉ＋１の後ろスペースとの組み合わせを示している。
【０２２７】
このように記録密度が高密度化された場合、記録パルス情報がマークと前または後ろスペースの組み合わせによって定義されるだけでなく、図２６に示すような前後スペース、前マークと前スペース、後ろマークと後ろスペース、前後スペースと前マーク、前後スペースと後ろマークとの組み合わせによって各々記録条件を定義する必要があり、またこれらの記録条件の分解能を上げて細かく記録条件を設定する必要がある。
【０２２８】
以上の様な細かい記録条件の設定を回避するためには、レーザの波長を短くする等により、光スポットサイズを小さくすることが考えられるが、それには新たな光学系の開発が必要となり、特に波長の異なるレーザを使用する場合には初期特性だけでなく、温度特性、経年特性、歩留まり向上等の多くの課題を克服する必要があり相当の時間を要することが予測される。さらに、新しい光学系における従来密度の情報記録媒体に対する記録再生互換性の確認も必要になる。
【０２２９】
一方で従来の光学系を使用する場合には、従来密度の情報記録媒体に対する記録再生互換性の確認が不要になるが、記録密度の高密度化に伴って増大する記録再生制御情報の情報記録媒体への格納方法が明確になっていない。
【０２３０】
そこで、本実施形態においては、記録密度の高密度化や記録媒体の多層化に伴って記録再生制御情報が増大した場合でも、適切に記録再生制御情報を読み出し、読み出した記録再生制御情報を基にユーザデータを正しく記録することを可能にする情報記録媒体等を説明する。また、従来密度の情報記録媒体の記録再生制御情報を再生する場合と、高密度の情報記録媒体の記録再生制御情報を再生する場合とで、再生アルゴリズムの変更を最小限にすることができるように記録再生制御情報が格納された情報記録媒体を説明する。
【０２３１】
以下、図面を参照しながら本実施形態による情報記録媒体を説明する。図１６は本実施形態における情報記録媒体の平面図である。図１６において、情報記録媒体は制御情報領域１０１と、情報記録領域１０２とを有している。
【０２３２】
図１７は制御情報領域のフォーマットの一例である。図１７において、制御情報領域１０１はＤＩ２０１および２０２と、ヘッダ情報２０３と、第１の記録再生制御情報２０４と、第１のディスク情報部２０５と、第１のパワー情報部２０６と、第１の記録パルス情報部２０７と、フッタ情報２０８と、ヘッダ情報２０９と、第２の記録再生制御情報２１０と、第２のディスク情報部２１１と、第２のパワー情報部２１２と、第２の記録パルス情報部２１３と、フッタ情報２１４とを有している。
【０２３３】
なおＤＩ２０１とＤＩ２０２の内容は同じであり、繰り返して記録されていることにより、ＤＩ２０１が傷等により劣化していてもＤＩ２０２を再生することで記録再生制御情報を取得することができる。
【０２３４】
なお本実施形態ではＤＩ２０１、ＤＩ２０２はキャッスル型ライトストラテジのＤＩであるが、ＤＩはキャッスル型ライトストラテジに限らなくとも良い。ＤＩ２０１とＤＩ２０２の間の領域には例えばＮ−１型ライトストラテジのＤＩが記録されていても良いし、ダミーデータが記録されていても良いし、例えば“０”のような特定のデータが記録されていても良い。
【０２３５】
なおヘッダ情報２０３とヘッダ情報２０９には同じ情報が記録されており、ヘッダ情報を見つけることで直後に記録再生制御情報があることを認識することができる。同様にフッタ情報２０８とフッタ情報２１４には同じ情報が記録されており、フッタ情報を見つけることで直前に記録再生制御情報があることを認識することができる。
【０２３６】
ディスク情報部２０５、ディスク情報部２１１にはディスク容量や、記録可能な記録層の層数や、トラッキングサーボの極性等と共にＤＩが完結しているかどうかの完結判定情報が記録されている。従って本実施形態ではディスク情報部２０５の完結判定情報は完結していないことを示し、ディスク情報部２１１の完結判定情報は完結していることを示す。
【０２３７】
なおこれらの情報以外にも、どの層に記録するのかを示す層情報や、どの倍速で記録するのかを示す倍速情報や、ＤＩの総数を示すＤＩ個数情報や、現在再生しているＤＩが全体の何番目のＤＩであるかを示す情報が記録されていても良い。
【０２３８】
パワー情報部２０６、パワー情報部２１２にはキャッスル型ライトストラテジのパワー情報が記録されており、記録パルス情報部２０７、記録パルス情報部２１３にはキャッスル型ライトストラテジの記録パルス情報が記録されている。
【０２３９】
以下図１８を用いて説明する。図１８はキャッスル型ライトストラテジの記録パルス形状の一例であり、チャネルクロックＴに対して、Ｔの２倍の長さ（＝２Ｔ）となるマーク、Ｔの３倍の長さ（＝３Ｔ）となるマーク、Ｔの８倍の長さ（＝８Ｔ）となるマークを形成するための記録パルス形状である。
【０２４０】
パワー情報としては、ライトパワーＰｗ３０１、ミドルパワーＰｍ３０２、スペースパワーＰｓ３０３、クーリングパワーＰｃ３０４がある。記録パルス情報としては、２Ｔマークを記録する際のライトパワーの開始位置を規定する２Ｔ−ｄＴｔｏｐ３０６、ライトパワーの発光時間を規定する２Ｔ−Ｔｔｏｐ３０５、クーリングパワーの終了位置を規定する２Ｔ−ｄＴｓ３０７、３Ｔマークを記録する際のライトパワーの開始位置を規定する３Ｔ−ｄＴｔｏｐ３０９、ライトパワーの発光時間を規定する３Ｔ−Ｔｔｏｐ３０８、ミドルパワーの終了位置を規定する３Ｔ−ｄＴｃ３１０、クーリングパワーの終了位置を規定する３Ｔ−ｄＴｓ３１１、８Ｔマークを記録する際の先頭パルスのライトパワーの開始位置を規定する８Ｔ−ｄＴｔｏｐ３１３、先頭パルスのライトパワーの発光時間を規定する８Ｔ−Ｔｔｏｐ３１２、最後尾のパルスのライトパワーの発光時間を規定する８Ｔ−Ｔｌｐ３１４、最後尾のパルスのライトパワーの終了位置を規定する８Ｔ−ｄＴｃ３１５、クーリングパワーの終了位置を規定する８Ｔ−ｄＴｓ３１６がある。
【０２４１】
なお本実施形態ではマークの長さは２Ｔから８Ｔまでとしているがこれに限らなくとも良い。また本実施形態では２Ｔはライトパワーのみの発光、３Ｔはライトパワーとミドルパワーでの発光、４Ｔから８Ｔは先頭のライトパワーでの発光とそれに続くミドルパワーでの発光とそれに続くライトパワーでの発光により記録しているがこれに限らなくとも良い。
【０２４２】
次に図１９を参照する。図１９はＤＩ２０１におけるＤＩ２０１−１の各情報の配置例であり、図１８に示す各パラメータの値が所定の配置に従って記録されている。本実施形態では、ｄＴｃ４０１について４Ｔマークと５Ｔ以上のマークで異なる値の設定を可能にし、５Ｔ以上のマークで共通の値を設定している。
【０２４３】
また、ｄＴｔｏｐ４０２について４Ｔ以上のマークで共通の値を設定し、Ｔｔｏｐ４０３について４Ｔ以上のマークで共通の値を設定している。
【０２４４】
また、Ｔｌｐ４０４について４Ｔ以上のマークで共通の値を設定し、ｄＴｓ４０５について４Ｔ以上のマークで共通の値を設定している。
【０２４５】
また、ｄＴｔｏｐ４０２について４Ｔ以上のマーク、３Ｔマーク、２Ｔマークのそれぞれについて、直前のスペースが２Ｔスペースの場合と、３Ｔスペースの場合と、４Ｔスペース以上の場合について異なる値の設定を可能にしている。
【０２４６】
また、Ｔｔｏｐ４０３について４Ｔ以上のマーク、３Ｔマーク、２Ｔマークのそれぞれについて、直前のスペースが２Ｔスペースの場合と、３Ｔスペースの場合と、４Ｔスペース以上の場合について異なる値の設定を可能にしている。
【０２４７】
なお本実施形態では、ｄＴｃ４０１について４Ｔマークと５Ｔ以上のマークで異なる値の設定を可能にし、５Ｔ以上のマークで共通の値を設定しているがこれに限らなくとも良い。
【０２４８】
同様にｄＴｔｏｐ４０２について４Ｔ以上のマークで共通の値を設定し、Ｔｔｏｐ４０３について４Ｔ以上のマークで共通の値を設定しているがこれに限らなくとも良い。
【０２４９】
同様にＴｌｐ４０４について４Ｔ以上のマークで共通の値を設定し、ｄＴｓ４０５について４Ｔ以上のマークで共通の値を設定しているがこれに限らなくとも良い。
【０２５０】
またｄＴｔｏｐ４０２について４Ｔ以上のマーク、３Ｔマーク、２Ｔマークのそれぞれについて、直前のスペースが２Ｔスペースの場合と、３Ｔスペースの場合と、４Ｔスペース以上の場合について異なる値の設定を可能にしているがこれに限らなくとも良い。
【０２５１】
同様にＴｔｏｐ４０３について４Ｔ以上のマーク、３Ｔマーク、２Ｔマークのそれぞれについて、直前のスペースが２Ｔスペースの場合と、３Ｔスペースの場合と、４Ｔスペース以上の場合について異なる値の設定を可能にしているがこれに限らなくとも良い。
【０２５２】
次に図２０を参照する。図２０はＤＩ２０１におけるＤＩ２０１−２の各情報の配置例であり、図１８に示す各パラメータの値が所定の配置に従って記録されている。ＤＩ２０１−２ではＤＩ２０１−１で共通の値を設定していた箇所について、直前直後のスペースに応じて異なる設定を可能にしている。なお例えば５Ｔマークを６Ｔ以上のマークとは異なる値の設定を行う等、本実施形態以外の追加設定であっても良い。また本実施形態ではパワー情報部の追加設定は行っておらず、従ってパワー情報部２０６とパワー情報部２１２には共通の値が記録されている。
【０２５３】
本実施形態では、ｄＴｃ４０１にて設定した、３Ｔマーク、４Ｔマーク、５Ｔ以上のマークのそれぞれについて、ｄＴｃ５０１では直後のスペースが２Ｔスペースの場合と、３Ｔスペースの場合と、４Ｔ以上のスペースの場合について異なる値の設定を可能にしている。
【０２５４】
なおｄＴｃ５０１において、例えば３Ｔマークの直後のスペースが２Ｔスペースの場合と、３Ｔスペースの場合と、４Ｔ以上スペースの場合とで異なる値の設定を可能にしているが、ｄＴｃ４０１における３Ｔマークの値を、ｄＴｃ５０１における３つの中の１つ、例えば４Ｔ以上スペースの値と共通にしても良いし、ｄＴｃ５０１の３Ｔマークの値をｄＴｃ４０１の値からの差分としても良い。なお以下のパラメータも同様に扱うものとする。
【０２５５】
また、ｄＴｔｏｐ４０２にて設定した、直前のスペースが２Ｔスペースのときの２Ｔマークについて、ｄＴｔｏｐ５０２では２Ｔスペースの直前のマークが２Ｔマークの場合と、３Ｔマークの場合と、４Ｔ以上のマークの場合について異なる値の設定を可能にしている。
【０２５６】
また、Ｔｔｏｐ４０３にて設定した、直前のスペースが２Ｔスペースのときの２Ｔマークについて、Ｔｔｏｐ５０３では２Ｔスペースの直前のマークが２Ｔマークの場合と、３Ｔマークの場合と、４Ｔ以上のマークの場合について異なる値の設定を可能にしている。
【０２５７】
また、Ｔｌｐ４０４にて設定した、４Ｔ以上のマークについて、Ｔｌｐ５０４では直後のスペースが２Ｔスペースの場合と、３Ｔスペースの場合と、４Ｔ以上のスペースの場合について異なる値の設定を可能にしている。
【０２５８】
また、ｄＴｓ４０５にて設定した、２Ｔマーク、３Ｔマーク、４Ｔ以上のマークのそれぞれについて、ｄＴｓ５０５では直後のスペースが２Ｔスペースの場合と、３Ｔスペースの場合と、４Ｔ以上のスペースの場合について異なる値の設定を可能にしている。
【０２５９】
さらに直後のスペースが２Ｔスペースの場合について、２Ｔスペースの直後のマークが２Ｔマークの場合と３Ｔマーク以上のマークの場合について異なる値を設定を可能にしている。
【０２６０】
なお本実施形態では、ｄＴｃ４０１にて設定した、３Ｔマーク、４Ｔマーク、５Ｔ以上のマークのそれぞれについて、ｄＴｃ５０１では直後のスペースが２Ｔスペースの場合と、３Ｔスペースの場合と、４Ｔ以上のスペースの場合について異なる値の設定を可能にしているがこれに限らなくとも良い。
【０２６１】
同様にｄＴｔｏｐ４０２にて設定した、直前のスペースが２Ｔスペースのときの２Ｔマークについて、ｄＴｔｏｐ５０２では２Ｔスペースの直前のマークが２Ｔマークの場合と、３Ｔマークの場合と、４Ｔ以上のマークの場合について異なる値の設定を可能にしているがこれに限らなくとも良い。
【０２６２】
同様にＴｔｏｐ４０３にて設定した、直前のスペースが２Ｔスペースのときの２Ｔマークについて、Ｔｔｏｐ５０３では２Ｔスペースの直前のマークが２Ｔマークの場合と、３Ｔマークの場合と、４Ｔ以上のマークの場合について異なる値の設定を可能にしているがこれに限らなくとも良い。
【０２６３】
同様にＴｌｐ４０４にて設定した、４Ｔ以上のマークについて、Ｔｌｐ５０４では直後のスペースが２Ｔスペースの場合と、３Ｔスペースの場合と、４Ｔ以上のスペースの場合について異なる値の設定を可能にしているがこれに限らなくとも良い。
【０２６４】
同様にｄＴｓ４０５にて設定した、２Ｔマーク、３Ｔマーク、４Ｔ以上のマークのそれぞれについて、ｄＴｓ５０５では直後のスペースが２Ｔスペースの場合と、３Ｔスペースの場合と、４Ｔ以上のスペースの場合について異なる値の設定を可能にしているがこれに限らなくとも良い。さらに直後のスペースが２Ｔスペースの場合について、２Ｔスペースの直後のマークが２Ｔマークの場合と３Ｔマーク以上のマークの場合について異なる値の設定を可能にしているがこれに限らなくとも良い。
【０２６５】
本実施形態において、ＤＩ２０１−１は従来の密度での記録時に分類する必要のあるパラメータであり、ＤＩ２０２−２は高密度での記録時に分類する必要のあるパラメータである。すなわち高密度化により、マーク間の熱干渉の影響が、マークの前または後ろに位置するスペースの長さや、特にスペースの長さが２Ｔの場合にはさらにそのスペースに隣接するマークの長さの熱干渉の影響を受けて記録マークのエッジ位置がずれることをＤＩ２０２−２のパラメータにより防止している。
【０２６６】
なお本実施形態において、ｄＴｔｏｐ４０２、Ｔｔｏｐ４０３についてはＤＩ２０１−１においてスペースの長さに応じた設定を行っているが、従来の密度における記録時の熱干渉の影響が小さい場合には、スペースの長さに応じた設定は全てＤＩ２０２−２に配置しても良い。
【０２６７】
なお本実施形態では、ＤＩ２０２−２にて追加したのは記録パルス情報部のみであるが、例えば記録マークが２Ｔのときだけライトパワーを変更する等、パワー情報部についても高密度記録用の追加を行っても良い。
【０２６８】
なお本実施形態では、完結判定情報２１８は完結していないことを示し、完結判定情報２２２は完結していることを示しているが、これらの情報以外にも例えば完結判定情報２１８はパワー情報、記録パルス情報のどの情報が完結していないのかを示しても良い。どの情報が完結していないのかを示すことにより、その情報のみを再生すれば良いことになり余分なＤＩを再生する時間を短縮することができる。
【０２６９】
なお本実施形態ではＤＩ２０２は従来のパラメータと追加したパラメータの２つのＤＩに分離しているが、分離するＤＩの数は２つに限らず３つ以上でも良い。また全部のＤＩ数や現在のＤＩが何番目であるかを示す情報が完結判定情報に示されていても良い。これにより、より確実に追加されたＤＩを再生することができる。
【０２７０】
なお本実施形態ではパワー情報部については追加設定を行っておらず、パワー情報部２０６とパワー情報部２１２には共通の値が記録されているが、追加設定を行わないときにはパワー情報部２１２にはダミーデータが記録されていても良いし、例えば“０”のような特定のデータが記録されていても良い。ダミーデータや特定のデータが記録されていることにより、記録装置は高密度用の追加設定がないことを確実に把握することができる。
【０２７１】
なお本実施形態ではパワー情報部については追加設定を行っておらず、パワー情報部２０６とパワー情報部２１２には共通の値が記録されているが、追加設定を行わないときにはパワー情報部自体を削除しても良い。削除することにより、余分なＤＩを再生する時間を短縮することができる。
【０２７２】
本実施形態の様に、ＤＩ２０２−１を従来の密度での記録時に分類する必要のあるパラメータとすることで、従来の密度で記録を行う情報記録媒体のＤＩを再生する際の、記録装置側の再生アルゴリズムを変更する必要がなくなり、高密度の情報記録媒体のＤＩを再生する際のアルゴリズムとの差異を最小限にすることができる。すなわち記録装置は、従来の密度で記録を行う情報記録媒体が装着されたときには、ＤＩ２０２−１に相当する従来のＤＩを再生し、高密度で記録を行う情報記録媒体が装着されたときには、ＤＩ２０２−１を従来の再生アルゴリズムで再生し、続いてＤＩ２０２−２を再生することにより、ＤＩ２０２−２の再生アルゴリズムだけを追加すれば良い。
【０２７３】
例えば従来の密度で記録を行う情報記録媒体のＤＩを再生し、ＤＩの所定のバイトを記録装置の所定の領域に書き込むシーケンスがある場合には、本シーケンスは高密度で記録を行う情報記録媒体に対しても同様に使用することができ、ＤＩの追加の情報に対してのみ新しいシーケンスを用いて、ＤＩの再生、記録装置の所定の領域への書き込みを実施すれば良い。
【０２７４】
また本実施形態の様に、ＤＩ２０２−１に従来の密度での記録時に分類する必要のあるパラメータを配置し、ＤＩ２０２−２に高密度での記録時にさらに細かく分類する必要のあるパラメータを配置することで、将来光学系の開発により光スポットサイズが小さくなった場合にはＤＩ２０２−１のパラメータのみを再生することにより高密度での記録を行うことが可能になり、余分なＤＩを再生する時間を短縮することができる。
【０２７５】
なお本実施形態では、従来密度での記録に必要なパラメータと高密度での記録に必要な追加パラメータという分類で２つのＤＩに分離を行ったが、分離の方法はこれに限らなくとも良い。
【０２７６】
なお本実施形態のＤＩ情報の全てまたは一部を記録装置が情報記録媒体の所定の領域に記録しても良い。その場合にはＤＩ情報を基に記録装置の特性ばらつきを加味して変更された値を記録しても良い。これにより次回所定の領域に記録されたＤＩ情報を再生することにより速やかにデータの記録を行うことができる。
【０２７７】
なお本実施形態のＤＩ情報の全てまたは一部を記録装置の所定のメモリに記憶しても良い。その場合にはＤＩ情報を基に記録装置の特性ばらつきを加味して変更された値を記憶しても良い。これにより次回所定のメモリに記憶されたＤＩ情報を再生することにより速やかにデータの記録を行うことができる。
【０２７８】
また本実施形態の様に、ＤＩ２０２−１に従来の密度での記録時に分類する必要のあるパラメータを配置し、ＤＩ２０２−２に高密度での記録時にさらに細かく分類する必要のあるパラメータを配置することで、ＤＩの記録密度が従来の情報記録媒体と同じ場合には、従来の情報記録媒体に記録を行う従来の記録装置でもＤＩを再生することができ、速やかに高密度記録を行う情報記録媒体であることを認識することができる。
【０２７９】
なお本実施形態では、従来密度での記録に必要なパラメータと高密度での記録に必要な追加パラメータという分類で２つのＤＩに分離を行ったが、分離の方法はこれに限らなくとも良い。以下図２７を参照する。図２７はＤＩの分離パターンの説明図である。
【０２８０】
（１）は上記の実施形態で説明した場合であり、１番目のＤＩに従来の密度での記録時に分類する必要のあるパラメータを格納し、２番目のＤＩに高密度での記録時に分類する必要のあるパラメータを格納する。
【０２８１】
（１）の様な格納パターンにすることにより、従来の密度で記録を行う情報記録媒体のＤＩを再生する際の、記録装置側の再生アルゴリズムを変更する必要がなくなり、高密度の情報記録媒体のＤＩを再生する際のアルゴリズムとの差異を最小限にすることができる。
【０２８２】
さらに（１）の様な格納パターンにすることにより、将来光学系の開発により光スポットサイズが小さくなった場合には２番目のＤＩのみを再生することにより高密度での記録を行うことが可能になり、余分なＤＩを再生する時間を短縮することができる。
【０２８３】
さらに（１）の様な格納パターンにすることにより、従来の情報記録媒体に記録を行う従来の記録装置でもＤＩを再生することができ、速やかに高密度記録を行う情報記録媒体であることを認識することができる。
【０２８４】
（２）は従来の密度で記録を行う情報記録媒体のＤＩとパラメータの並びを共通にした場合である。従来の密度で記録を行う情報記録媒体のＤＩの一例を図２８に示す。また高密度記録を行う情報記録媒体の１番目のＤＩの一例を図２９に、２番目のＤＩの一例を図３０に示す。
【０２８５】
（２）の様な格納パターンにすることにより、例えばｄＴｔｏｐ等のパラメータが分散されることがなくなり、情報記録媒体のスタンパをカッティングする際の情報の入力ミスを低減することができる。
【０２８６】
また、ｄＴｔｏｐ等の１つのパラメータを１番目と２番目に分断しないことにより、記録装置でのＤＩの再生時の読み取りエラーを低減することができる。
【０２８７】
（３）はマーク始端に関するパラメータとマーク終端に関するパラメータを分けた場合であり、１番目のＤＩの一例を図３１に、２番目のＤＩの一例を図３２に示す。図３１、図３２に示す様に、１番目のＤＩにマーク始端に関するパラメータを格納し、２番目のＤＩにマーク終端に関するパラメータを格納する。
【０２８８】
（３）の様な格納パターンにすることにより、一般に熱干渉はマーク始端部に影響することから記録に影響を与える方のパラメータを先行して配置することにより、２番目のＤＩが再生できなくなった場合でもデータの最低限の記録を行うことができる確率を高めることができる。
【０２８９】
（４）はバイト数が多いパラメータを１番目のＤＩに格納した場合であり、１番目のＤＩの例を図３３に、２番目のＤＩの例を図３４に示す。図３３において、ｄＴｔｏｐは１１バイト、Ｔｔｏｐは１１バイトであり、図３４において、ｄＴｃは９バイト、Ｔｌｐは３バイト、ｄＴｓは１０バイトである。
【０２９０】
バイト数が多いパラメータは一般に制御の精度が要求されるパラメータであり、（４）の様な格納パターンにすることにより、２番目のＤＩが再生できなくなった場合でもデータの最低限の記録を行うことができる確率を高めることができる。
【０２９１】
なお本実施形態では図３４において、ｄＴｃ、Ｔｌｐ、ｄＴｓの順番に格納しているが、バイト数の大きいｄＴｓ、ｄＴｃ、Ｔｌｐの順番に格納しても良い。
【０２９２】
なお図２７に示す形態以外にも、１番目のＤＩと２番目のＤＩを通して、マークにもスペースにも依存しないパラメータ、マークにだけ依存するパラメータ、マークとスペースの両方に依存するパラメータの順に格納しても良い。このような格納方法にすることにより、単純なパラメータから複雑なパラメータに徐々に移行していくことで、情報記録媒体のスタンパをカッティングする際の情報の入力するときに、整然と並んでいることで入力ミスを低減することができる。なお複雑なパラメータから単純なパラメータに移行していく場合も同様である。
【０２９３】
なお、１番目のＤＩと２番目のＤＩを通して、マークにもスペースにも依存しないパラメータ、マークにだけ依存するパラメータ、マークとスペースの両方に依存するパラメータの順に格納する際に、各区分においては時間の早い順番に格納しても良い。例えば同じ区分にｄＴｔｏｐとＴｔｏｐが存在するときにはｄＴｔｏｐが先に格納され、ＴｌｐとｄＴｓが存在するときにはＴｌｐが先に格納される。時間の早い順番に格納することにより、同一区分内でパラメータが時間順に整然と並ぶことで、情報記録媒体のスタンパをカッティングする際の情報の入力ミスを低減することができる。
【０２９４】
なお上記の様な区分に分けることなくパラメータを時間順に並べた場合でも、パラメータが時間順に整然と並ぶことで、情報記録媒体のスタンパをカッティングする際の情報の入力ミスを低減することができる。
【０２９５】
次に図３５を参照する。図３５は制御情報領域のフォーマットの一例である。図３５において、制御情報領域１０１は、ＤＩ２０１および２０２と、ヘッダ情報２０３と、第１の記録再生制御情報２０４と、第１のディスク情報部２０５と、第１のパワー情報部２０６と、第１の記録パルス情報部２０７と、フッタ情報２０８と、ヘッダ情報２０９と、第２の記録再生制御情報２１０と、第２のディスク情報部２１１と、第２のパワー情報部２１２と、第２の記録パルス情報部２１３と、フッタ情報２１４とを有している。
【０２９６】
なおＤＩ２０１とＤＩ２０２の内容は同じであり、繰り返して記録されていることにより、ＤＩ２０１が傷等により劣化していてもＤＩ２０２を再生することで記録再生制御情報を取得することができる。
【０２９７】
ここでＤＩ２０１、ＤＩ２０２はキャッスル型ライトストラテジのＤＩであるが、ＤＩはキャッスル型ライトストラテジに限らなくとも良い。ＤＩ２０１とＤＩ２０２の間の領域には例えば図２３に示す様なタイプのＤＩが記録されていても良いし、層の異なるキャッスル型ライトストラテジのＤＩや、記録倍速の異なるキャッスル型ライトストラテジのＤＩが記録されていても良い。
【０２９８】
なおヘッダ情報２０３とヘッダ情報２０９には同じ情報が記録されており、ヘッダ情報を見つけることで直後に記録再生制御情報があることを認識することができる。同様にフッタ情報２０８とフッタ情報２１４には同じ情報が記録されており、フッタ情報を見つけることで直前に記録再生制御情報があることを認識することができる。
【０２９９】
ディスク情報部２０５、ディスク情報部２１１にはディスク容量や、記録可能な記録層の層数や、トラッキングサーボの極性等と共にＤＩが完結しているかどうかの完結判定情報が記録されている。従って本実施形態ではディスク情報部２０５の完結判定情報は完結していないことを示し、ディスク情報部２１１の完結判定情報は完結していることを示す。
【０３００】
なおこれらの情報以外にも、どの層に記録するのかを示す層情報や、どの倍速で記録するのかを示す倍速情報や、ＤＩの総数を示すＤＩ個数情報や、現在再生しているＤＩが全体の何番目のＤＩであるかを示す情報が記録されていても良い。
【０３０１】
またディスク情報部２０５には、さらに不足ＤＩ有無情報が記録されていても良い。不足ＤＩ情報２２３と不足ＤＩ情報２２４には同じ情報が記録されており、ＤＩ２０１とＤＩ２０２の間の領域に、必要な全てのＤＩが記録されているときには、不足ＤＩ有無情報２２３、不足ＤＩ有無情報２２４には、不足しているＤＩ情報がないというフラグが記録されている。
【０３０２】
一方でＤＩ２０１とＤＩ２０２の間に領域に記録されているＤＩ以外にもＤＩ情報が存在する場合には、不足ＤＩ有無情報２２４には、制御情報領域１０１には不足しているＤＩ情報が存在するというフラグや、不足しているＤＩの個数情報や、不足しているＤＩの記録先の情報が記録されている。不足ＤＩ有無情報２２３の構成例を図３６に示す。図３６において２１０１は不足ＤＩ有無フラグ、２１０２は不足ＤＩ記録先情報、２１０３は不足ＤＩ個数情報である。
【０３０３】
図２１に示すようにリードイン領域にはＮ個のＤＩを記録することができるが、ディスク作成技術の進化によりディスクの層数が増える、あるいはモータ技術の進化により回転数が高くなることで記録倍速が上がることにより、ＤＩ数が不足する可能性がある。一方でＤＩの領域を確保したにも関わらず使用されていない場所はダミーデータや“０”の様な特定のデータが記録されることから、データ領域の増やす観点ではＤＩのための領域は必要最低限であることが望ましい。そこで本実施形態では、不足ＤＩ有無情報２２３、不足ＤＩ有無情報２２４に、制御情報領域１０１に不足しているＤＩが存在するというフラグを記録したときには、制御情報領域１０１に記録されていないＤＩを制御情報領域１０１とは異なる領域、例えばトラックのウォブルに重畳して記録する。なお本実施形態では不足ＤＩの情報の記録するための領域はディスク情報部２０５、ディスク情報部２１１の両方に設けられているが、いずれか一方であっても良い。
【０３０４】
また本実施形態では、制御情報領域１０１に記録できなかったＤＩを異なる領域に記録しているが、制御情報領域１０１に記録されているＤＩと制御情報領域１０１に記録されていない不足分のＤＩの両方のＤＩを異なる領域に記録しても良い。
【０３０５】
また本実施形態では、制御情報領域１０１に記録できないＤＩを異なる制御情報領域やトラックのウォブル情報に重畳して記録しているが、制御情報領域１０１よりも内側に設けられているＢＣＡ（Ｂｕｒｓｔ  Ｃｕｔｔｉｎｇ  Ａｒｅａ）領域や、それ以外の領域に記録しても良い。
【０３０６】
なお本実施形態では、不足ＤＩ有無情報は制御情報領域に記録されているが、不足ＤＩ情報はそれ以外の領域に記録されていても良く、例えばＢＣＡ領域に記録されていても良い。ＢＣＡ領域はフォーカスサーボのみが入っている状態で再生することができ、より高い精度で、またより早い段階で不足ＤＩの有無情報を把握することができる。
【０３０７】
なお制御情報領域に記録できないＤＩを異なる領域に記録する際には、不足ＤＩ記録先情報２１０２で指定された領域においても、ＤＩのための領域を確保することになるが、その場合にも、使用されていない領域が発生した場合には、ダミーデータや“０”の様な特定のデータを記録することにより、元々の領域を有効に使用できない可能性がある。
【０３０８】
そこでＤＩを記録する制御情報領域とは異なる領域において、不足ＤＩが存在しない場合でも不足ＤＩのための領域を確保するフォーマットと、不足ＤＩが存在しない場合には不足ＤＩのための領域を確保しないフォーマットを選択できることが望ましく、どちらを選択するかを指定するフラグが不足ＤＩ有無情報に記録されていても良い。
【０３０９】
本実施形態の様に、不足ＤＩ有無情報が記録されていることにより、所定の制御情報領域内だけではＤＩが不足しているときに、速やかにＤＩが不足していることを把握して、異なる領域に記録されているＤＩを取得することができる。
【０３１０】
なお本実施形態の様に不足ＤＩ有無情報を設け不足分を異なる領域に記録する方式は、制御情報領域の消費が増大する、１つの記録条件を複数のＤＩに分けて記載する場合に特に効果を奏する。
【０３１１】
以上の様に、本発明によれば将来の情報記録媒体の高密度化により記録パルス情報が拡張されて記録再生制御情報の情報量が増大した場合や、情報記録媒体の層数が増えることにより記録再生制御情報の総情報量が増大した場合や、モータの回転数の増加により情報記録媒体の記録倍速パターンが増えることにより記録再生制御情報の総情報量が増大した場合でも、適切に記録再生制御情報を読み出し、読み出した記録再生制御情報を基にユーザデータを正しく記録することができる。
【０３１２】
本実施形態にかかる情報記録媒体は複数のトラックを有しており、トラックへのレーザ光のパルス照射により、情報が記録される。そして当該情報記録媒体は、情報を記録するための情報記録領域と、記録再生を行うための制御情報領域とを有している。制御情報領域は第１の制御情報と第２の制御情報とを有し、第１の制御情報、もしくは第１の制御情報と第２の制御情報の両方の制御情報を基に情報の記録が行われる。
【０３１３】
これにより、従来密度の情報記録媒体の記録再生制御情報を再生する場合と、高密度の情報記録媒体の記録再生制御情報を再生する場合とで、再生アルゴリズムの変更を最小限にすることができる。
【０３１４】
また、本実施形態による情報記録媒体は、情報を記録するための情報記録領域と、記録再生を行うための制御情報が記録された制御情報領域とを有している。情報は、情報記録媒体への少なくとも２セットのレーザ光のパルス照射条件で記録される。このパルス照射条件は制御情報領域に記載されている。この制御情報領域は、情報の記録が可能なレーザ光のパルス照射条件のセット数が、制御情報領域に記載されているパルス照射条件のセット数よりも多いとき、制御情報領域内に全てのパルス照射条件が記載されていないことを示すフラグを有している。
【０３１５】
上述の情報記録媒体によれば、将来の情報記録媒体の高密度化により記録パルス情報が拡張されて記録再生制御情報の情報量が増大した場合や、情報記録媒体の層数が増えることにより記録再生制御情報の総情報量が増大した場合や、モータの回転数の増加により情報記録媒体の記録倍速パターンが増えることにより記録再生制御情報の総情報量が増大した場合でも、適切に記録再生制御情報を読み出し、読み出した記録再生制御情報を基にユーザデータを正しく記録することができる。
【０３１６】
（実施形態５）
本発明が適用可能な記録媒体の一例として、ブルーレイディスク（ＢＤ）や他の規格の光ディスクがある。上述の実施形態１〜４においてはＢＤを例に挙げて説明しているため、以下、ＢＤの構成を概略的に説明する。
【０３１７】
＜主要パラメータ＞
ＢＤには、記録膜の特性に応じて、再生専用型であるＢＤ−ＲＯＭ，追記記録型・ライトワンス型であるＢＤ−Ｒ，書換記録型であるＢＤ−ＲＥなどのタイプがあり、本発明は、ＢＤや他の規格の光ディスクにおけるＲ(追記型・ライトワンス型)，ＲＥ(書換型)のいずれのタイプの記録媒体にも適用可能である。ブルーレイディスクの主な光学定数と物理フォーマットについては、「ブルーレイディスク読本」（オーム社出版）やブルーレイアソシエーションのホームページ（http://www.blu-raydisc.com/）に掲載されているホワイトペーパに開示されている。
【０３１８】
ＢＤでは、波長が略４０５ｎｍ（標準値４０５ｎｍに対して誤差範囲の許容値を±５ｎｍとすれば、４００〜４１０ｎｍ）のレーザ光および開口数（ＮＡ：Numerical Aperture）が略０．８５（標準値０．８５に対して誤差範囲の許容値を±０．０１とすれば、０．８４〜０．８６）の対物レンズを用いる。ＢＤのトラックピッチは略０．３２μｍ（標準値０．３２０μｍに対して誤差範囲の許容値を±０．０１０μｍとすれば、０．３１０〜０．３３０μｍ）であり、記録層が１層または２層設けられている。記録層の記録面がレーザ入射側から片面１層あるいは片面２層の構成であり、ＢＤの保護層の表面から記録面まで距離は７５μｍ〜１００μｍである。
【０３１９】
記録信号の変調方式は１７ＰＰ変調を利用し、記録されるマークの最短マーク（２Ｔマーク：Ｔは基準クロックの周期（所定の変調則によってマークを記録する場合における、変調の基準周期））のマーク長は０．１４９μｍ（又は０．１３８μｍ）（チャネルビット長：Ｔが７４．５０ｎｍ（又は６９．００ｎｍ））である。記録容量は片面単層２５ＧＢ（又は２７ＧＢ）（より詳細には、２５．０２５ＧＢ（又は２７．０２０ＧＢ））、または、片面２層５０ＧＢ（又は５４ＧＢ）（より詳細には、５０．０５０ＧＢ（又は５４．０４０ＧＢ））である。
【０３２０】
チャネルクロック周波数は、標準速度（ＢＤ１ｘ）の転送レートでは６６ＭＨｚ（チャネルビットレート６６．０００Ｍｂｉｔ／ｓ）であり、４倍速（ＢＤ４ｘ）の転送レートでは２６４ＭＨｚ（チャネルビットレート２６４．０００Ｍｂｉｔ／ｓ）、６倍速（ＢＤ６ｘ）の転送レートでは３９６ＭＨｚ（チャネルビットレート３９６．０００Ｍｂｉｔ／ｓ）、８倍速（ＢＤ８ｘ）の転送レートでは５２８ＭＨｚ（チャネルビットレート５２８．０００Ｍｂｉｔ／ｓ）である。
【０３２１】
標準線速度（基準線速度、１ｘ）は４．９１７ｍ／ｓｅｃ（又は、４．５５４ｍ／ｓｅｃ）である。２倍（２ｘ）、４倍（４ｘ）、６倍（６ｘ）および８倍（８ｘ）の線速度は、それぞれ、９．８３４ｍ／ｓｅｃ、１９．６６８ｍ／ｓｅｃ、２９．５０２ｍ／ｓｅｃおよび３９．３３６ｍ／ｓｅｃである。標準線速度よりも高い線速度は一般的には、標準線速度の正の整数倍であるが、整数に限られず、正の実数倍であってもよい。また、０．５倍（０．５ｘ）など、標準線速度よりも遅い線速度も定義し得る。
【０３２２】
なお、上記は既に商品化が進んでいる、主に１層当たり約２５ＧＢ（又は約２７ＧＢ）の１層又は２層のＢＤに関するものであるが、更なる大容量化として、１層あたりの記録容量を略３２ＧＢ又は略３３．４ＧＢとした高密度なＢＤや、層数を３層又は４層としたＢＤも検討されており、以降では、それらに関しても説明する。
【０３２３】
＜多層について＞
レーザ光を保護層の側から入射して情報が再生及び／又は記録される片面ディスクとすると、記録層を二層以上にする場合、基板と保護層の間には複数の記録層が設けられることになるが、その場合における多層ディスクの一般的な構成例を図３７に示す。図示された光ディスクは、（ｎ＋１）層の情報記録層２２０２で構成されている（ｎは０以上の整数）。その構成を具体的に説明すると、光ディスクには、レーザ光２２０５が入射する側の表面から順に、カバー層２２０１、（ｎ＋１）枚の情報記録層（Ｌｎ〜Ｌ０層）２２０２、そして基板２２００が積層されている。また、（ｎ＋１）枚の情報記録層２２０２の層間には、光学的緩衝材として働く中間層２２０３が挿入されている。つまり、光入射面から所定の距離を隔てた最も奥側の位置（光源から最も遠い位置）に基準層（Ｌ０）を設け、基準層（Ｌ０）から光入射面側に層を増やすように記録層を積層（Ｌ１，Ｌ２，・・・，Ｌｎ）している。
【０３２４】
ここで、単層ディスクと比較した場合、多層ディスクにおける光入射面から基準層Ｌ０までの距離を、単層ディスクにおける光入射面から記録層までの距離とほぼ同じ（例えば０．１ｍｍ程度）にしてもよい。このように層の数に関わらず最奥層（最遠層）までの距離を一定にする（すなわち、単層ディスクにおける場合とほぼ同じ距離にする）ことで、単層か多層かに関わらず基準層へのアクセスに関する互換性を保つことができる。また、層数の増加に伴うチルト影響の増加を抑えることが可能となる。チルト影響の増加を抑えることが可能になるのは、最奥層が最もチルトの影響を受けるが、最奥層までの距離を、単層ディスクとほぼ同じ距離とすることで、層数が増加しても最奥層までの距離が増加することがなくなるからである。
【０３２５】
また、スポットの進行方向（あるいは、トラック方向，スパイラル方向とも言う）に関しては、パラレル・パスとしても、オポジット・パスとしてもよい。
【０３２６】
パラレル・パスでは、全ての層において、再生方向が同一である。つまり、スポットの進行方向は、全層にて内周から外周の方向へ、又は全層にて外周から内周の方向へ進行する。
【０３２７】
一方、オポジット・パスでは、ある層とその層に隣接する層とで、再生方向が逆になる。つまり、基準層（Ｌ０）における再生方向が、内周から外周へ向かう方向である場合、記録層Ｌ１における再生方向は外周から内周へ向かう方向であり、記録層Ｌ２では内周から外周へ向かう方向である。すなわち、再生方向は、記録層Ｌｍ（ｍは０及び偶数）では内周から外周へ向かう方向であって、記録層Ｌｍ＋１では外周から内周へ向かう方向である。あるいは、記録層Ｌｍ（ｍは０及び偶数）では外周から内周へ向かう方向であって、記録層Ｌｍ＋１では内周から外周へ向かう方向である。
【０３２８】
保護層（カバー層）の厚さは、開口数ＮＡが上がることで、焦点距離が短くなるのに伴って、またチルトによるスポット歪みの影響を抑えられるよう、より薄く設定される。開口数ＮＡは、ＣＤでは０．４５，ＤＶＤでは０．６５に対して、ＢＤでは略０．８５に設定される。例えば記録媒体の総厚さ１．２ｍｍ程度のうち、保護層の厚さを１０〜２００μｍとしてもよい。より具体的には、１．１ｍｍ程度の基板に、単層ディスクならば０．１ｍｍ程度の透明保護層、二層ディスクならば０．０７５ｍｍ程度の保護層に０．０２５ｍｍ程度の中間層（Ｓｐａｃｅｒ Ｌａｙｅｒ）が設けられてもよい。三層以上のディスクならば、保護層及び／又は中間層の厚さはさらに薄くしてもよい。
【０３２９】
＜１層から４層の各構成例＞
ここで、単層ディスクの構成例を図３８に、二層ディスクの構成例を図３９に、三層ディスクの構成例を図４０に、四層ディスクの構成例を図４１に示す。前述のように、光照射面から基準層Ｌ０までの距離を一定にする場合、図３９から図４１のいずれにおいても、ディスクの総厚さは略１．２ｍｍ（レーベル印刷なども含んだ場合、１．４０ｍｍ以下にするのが好ましい）、基板２２００の厚さは略１．１ｍｍ、光照射面から基準層Ｌ０までの距離は略０．１ｍｍとなる。図３８の単層ディスク（図３７においてｎ＝０の場合）においては、カバー層２２０１１の厚さは略０．１ｍｍ、また、図３９の二層ディスク（図３７においてｎ＝１の場合）においては、カバー層２２０１２の厚さは略０．０７５ｍｍ、中間層２２０３２の厚さは略０．０２５ｍｍ、また、図４０の三層ディスク（図３７においてｎ＝２の場合）や図４１の四層ディスク（図３７においてｎ＝３の場合）においては、カバー層２２０１３，２２０１４の厚さ、及び／又は、中間層２２０３３，２２０３４の厚さは、更に薄くなる。
【０３３０】
＜光ディスクの製造方法＞
これらの単層又は多層のディスク（ｋ層の記録層を有するディスク，ｋは１以上の整数）は、以下のような工程により製造することができる。
【０３３１】
つまり、厚さが略１．１ｍｍの基板上に、開口数が０．８４以上、０．８６以下の対物レンズを介して、波長が４００ｎｍ以上、４１０ｎｍ以下のレーザを照射することにより情報が再生可能なｋ個の記録層が形成される。
【０３３２】
次に、記録層と記録層との間にはｋ−１個の中間層が形成される。なお、単層ディスクの場合、ｋ＝１となるので、ｋ−１＝０となり中間層は形成されない。
【０３３３】
次に、基板側から数えてｋ番目の記録層（多層ディスクの場合は、基板から最も遠い記録層）の上に、厚さが０．１ｍｍ以下の保護層が形成される。
【０３３４】
そして、記録層を形成する工程において、基板側から数えてｉ番目（ｉは１以上、ｋ以下の奇数）の記録層が形成される際には、再生方向がディスクの内周側から外周側の方向となるように同心円状又はスパイラル状のトラックが形成される。また、基板側から数えてｊ番目（ｊは１以上、ｋ以下の偶数）の記録層が形成される際には、再生方向がディスクの外周側から内周側の方向となるように同心円状又はスパイラル状のトラックが形成される。なお、単層ディスクの場合、ｋ＝１となるので、ｋ＝１における１以上、ｋ以下を満たす奇数であるｉは“１”しか存在しないため、ｉ番目の記録層としては１つの記録層しか形成されず、また、ｋ＝１における１以上、ｋ以下を満たす偶数であるｊは存在しないため、ｊ番目の記録層は形成されないことになる。
【０３３５】
そして、記録層におけるトラックには、各種の領域が割り当て可能となる。
【０３３６】
本発明では、特に実施形態１〜４で述べた制御情報に含まれる記録パルス情報を制御情報領域へ記録するための記録方法としては、以下の製造方法によっても実行可能である。
【０３３７】
つまり、マークとスペースとを組み合わせたデータ列が記録可能な情報記録媒体を製造する方法であって、
基板と、前記基板上に情報記録層と、前記情報記録層上に透明保護層とを積層するステップと、
前記情報記録層に、情報を記録するための情報記録領域を形成するステップと、
前記情報記録層に記録再生を行うため情報である制御情報を記録するための制御情報領域を形成するステップと、
前記制御情報領域に前記制御情報を記録するステップと、を有する情報記録媒体の製造方法としても実行可能である。
【０３３８】
そして、前記制御情報は、基準値で情報が格納された第１の記録パルス情報とオフセット値で情報が格納された第２の記録パルス情報を有しており、前記オフセット値の情報量は、前記基準値の情報量の２分の１以上となる。
【０３３９】
及び／又は、前記制御情報は、基準値で情報が格納された第１の記録パルス情報とオフセット値で情報が格納された第２の記録パルス情報を有しており、前記オフセット値の情報量は、記録パルスのパルス幅やパルス位置を、１Ｔ（Ｔ：チャネルクロック）のｎ分の１（ｎ：正の整数）の精度で定義可能なとき、少なくとも２分のｎの範囲を定義可能な情報量となる。
【０３４０】
＜光ディスクの再生装置／方法＞
このような単層又は多層のディスク（ｋ層の記録層を有するディスク，ｋは１以上の整数）の再生は、以下のような構成を有する再生装置によって行われる。
【０３４１】
ディスクの構成としては、厚さが略１．１ｍｍの基板と、前記基板上にｋ個の記録層と、記録層と記録層との間にはｋ−１個の中間層と（なお、単層ディスクの場合、ｋ＝１となるので、ｋ−１＝０となり中間層は存在しない）、基板側から数えてｋ番目の記録層（多層ディスクの場合は、基板から最も遠い記録層）の上に、厚さが０．１ｍｍ以下の保護層と、を有する。ｋ個の記録層のそれぞれにはトラックが形成され、そのうちの少なくとも１つのトラックには、各種の領域が割り当て可能である。  そして、前記保護層の表面側から、開口数が０．８４以上、０．８６以下の対物レンズを介して、波長が４００ｎｍ以上、４１０ｎｍ以下のレーザを照射する光ヘッドによりｋ個の記録層のそれぞれから情報の再生が可能となる。
【０３４２】
そして、基板側から数えてｉ番目（ｉは１以上、ｋ以下の奇数）の記録層では、同心円上又はスパイラル状のトラックが形成されており、ディスクの内周側から外周側の方向に再生する制御部により、再生方向を制御することで、ｉ番目の記録層から情報を再生することができる。
【０３４３】
また、基板側から数えてｊ番目（ｊは１以上、ｋ以下の奇数）の記録層では、同心円上又はスパイラル状のトラックが形成されており、ディスクの外周側から内周側の方向に再生する制御部により、再生方向を制御することで、ｊ番目の記録層から情報を再生することができる。
【０３４４】
本発明の場合、実施形態１〜４で述べた記録パルス情報を格納した情報記録媒体の再生方法、又は、前述の製造方法によって製造された情報記録媒体の再生方法としては、
前記情報記録領域へレーザを照射するステップと、
前記制御情報に含まれる前記第１の記録パルス情報と前記第２の記録パルス情報に基づいて調整された記録波形によって、前記情報記録領域へ記録されたデータ列を再生するステップと、を含む。
【０３４５】
＜変調＞
次に、記録信号の変調方式を説明する。データ（オリジナルのソースデータ／変調前のバイナリデータ）を記録媒体に記録する場合、所定のサイズに分割され、さらに所定のサイズに分割されたデータは所定の長さのフレームに分割され、フレーム毎に所定のシンクコード／同期符号系列が挿入される（フレームシンク領域）。フレームに分割されたデータは、記録媒体の記録再生信号特性に合致した所定の変調則に従って変調されたデータ符号系列として記録される（フレームデータ領域）。
【０３４６】
ここで変調則としては、マーク長が制限されるＲＬＬ（ＲｕｎＬｅｎｇｔｈＬｉｍｉｔｅｄ）符号化方式などでもよく、ＲＬＬ（ｄ，ｋ）と表記した場合、１と１の間に出現する０が最小ｄ個，最大ｋ個であることを意味する（ｄおよびｋは、ｄ＜ｋを満たす自然数である）。例えばｄ＝１，ｋ＝７の場合、Ｔを変調の基準周期とすると、最短が２Ｔ、最長が８Ｔの記録マーク及びスペースとなる。またＲＬＬ（１，７）変調に更に次の［１］［２］の特徴を加味した１−７ＰＰ変調としてもよい。１−７ＰＰの“ＰＰ”とは、Parity preserve／Prohibit Repeated Minimum Transition Lengthの略で、［１］最初のＰであるParity preserveは、変調前のソースデータビットの“１”の個数の奇偶（すなわちParity）と、それに対応する変調後ビットパターンの“１”の個数の奇偶が一致していることを意味し、［２］後ろの方のＰであるProhibit Repeated Minimum Transition Lengthは、変調後の記録波形の上での最短マーク及びスペースの繰り返し回数を制限（具体的には、２Ｔの繰り返し回数を最大６回までに制限）する仕組みを意味する。
【０３４７】
なお、以上の各種のフォーマットや方式によれば、記録密度が向上すると、複数の記録密度が存在する可能性が生じることになる。しかしながら、記録密度の違いにより、その一部を採用し、一部を採用せずに別のフォーマットや方式を採用してもよい。
【０３４８】
（実施形態６）
図４２は、本実施形態による光ディスク１の物理的構成を示す。円盤状の光ディスク１には、たとえば同心円状またはスパイラル状に多数のトラック２が形成されており、各トラック２には細かく分けられた多数のセクタが形成されている。なお、後述するように、各トラック２には予め定められたサイズのブロック３を単位としてデータが記録される。
【０３４９】
本実施形態による光ディスク１は、従来の光ディスク（たとえば２５ＧＢのＢＤ）よりも情報記録層１層あたりの記録容量が拡張されている。記録容量の拡張は、記録線密度を向上させることによって実現されており、たとえば光ディスクに記録される記録マークのマーク長をより短くすることによって実現される。ここで「記録線密度を向上させる」とは、チャネルビット長を短くすることを意味する。このチャネルビットとは、基準クロックの周期Ｔ（所定の変調則によってマークを記録する場合における、変調の基準周期Ｔ）に相当する長さをいう。なお、光ディスク１は多層化されていてもよい。ただし、以下では説明の便宜のため、１つの情報記録層にのみ言及する。また、複数の情報記録層が設けられている場合において、各情報記録層に設けられたトラックの幅が同一であるときでも、層ごとにマーク長が異なり、同一層中ではマーク長が一様であることで、層ごとに記録線密度を異ならせてもよい。
【０３５０】
トラック２は、データの記録単位６４ｋＢ（キロバイト）毎にブロックに分けられて、順にブロックアドレス値が割り振られている。ブロックは、所定の長さのサブブロックに分割され、３個のサブブロックで１ブロックを構成している。サブブロックは、前から順に０から２までのサブブロック番号が割り振られている。
【０３５１】
＜記録密度について＞
次に、記録密度について、図４３、図４４および図４５を用いて説明する。
【０３５２】
図４３（Ａ）は２５ＧＢのＢＤの例を示す。ＢＤでは、レーザ１２３の波長は４０５ｎｍ、対物レンズ２２０の開口数（Ｎｕｍｅｒｉｃａｌ  Ａｐｅｒｔｕｒｅ；ＮＡ）は０．８５である。
【０３５３】
ＤＶＤ同様、ＢＤにおいても、記録データは光ディスクのトラック２上に物理変化のマーク列２３２０、２３２１として、記録される。このマーク列の中で最も長さの短いものを「最短マーク」という。図では、マーク２３２１が最短マークである。
【０３５４】
２５ＧＢ記録容量の場合、最短マーク２３２１の物理的長さは０．１４９ｕｍとなっている。これは、ＤＶＤの約１／２．７に相当し、光学系の波長パラメータ（４０５ｎｍ）とＮＡパラメータ(０．８５)を変えて、レーザの分解能を上げても、光ビームが記録マークを識別できる限界である光学的な分解能の限界に近づいている。
【０３５５】
図４４は、トラック上に記録されたマーク列に光ビームを照射させている様子を示す。ＢＤでは、上記光学系パラメータにより光スポット２３３０は、約０．３９ｕｍ程度となる。光学系の構造は変えないで記録線密度向上させる場合、光スポット２３３０のスポット径に対して記録マークが相対的に小さくなるため、再生の分解能は悪くなる。
【０３５６】
たとえば図４３（Ｂ）は、２５ＧＢのＢＤよりも高記録密度の光ディスクの例を示す。このディスクでも、レーザ２３２３の波長は４０５ｎｍ、対物レンズ２４２０の開口数（Ｎｕｍｅｒｉｃａｌ  Ａｐｅｒｔｕｒｅ；ＮＡ）は０．８５である。このディスクのマーク列２３２５、２３２４のうち、最短マーク２３２５の物理的長さは０．１１１５ｕｍとなっている。図４３（Ａ）と比較すると、スポット径は同じ約０．３９ｕｍである一方、記録マークが相対的に小さくなり、かつ、マーク間隔も狭くなるため、再生の分解能は悪くなる。
【０３５７】
光ビームで記録マークを再生した際の再生信号の振幅は記録マークが短くなるに従って低下し、光学的な分解能の限界でゼロとなる。この記録マークの周期の逆数を空間周波数といい、空間周波数と信号振幅の関係をＯＴＦ（Ｏｐｔｉｃａｌ Ｔｒａｎｓｆｅｒ Ｆｕｎｃｔｉｏｎ)という。信号振幅は、空間周波数が高くになるに従ってほぼ直線的に低下する。信号振幅がゼロとなる再生の限界周波数を、ＯＴＦカットオフ（ｃｕｔｏｆｆ）という。
【０３５８】
図４５は、２５ＧＢ記録容量の場合のＯＴＦと最短記録マークとの関係を示すグラフである。ＢＤの最短マークの空間周波数は、ＯＴＦカットオフに対して８０％程度であり、ＯＴＦカットオフに近い。また、最短マークの再生信号の振幅も、検出可能な最大振幅の約１０％程度と非常に小さくなっているこが分かる。ＢＤの最短マークの空間周波数が、ＯＴＦカットオフに非常に近い場合、すなわち、再生振幅がほとんど出ない場合の記録容量は、ＢＤでは、約３１ＧＢに相当する。最短マークの再生信号の周波数が、ＯＴＦカットオフ周波数付近である、または、それを超える周波数であると、レーザの分解能の限界、もしくは超えていることもあり、再生信号の再生振幅が小さくなり、ＳＮ比が急激に劣化する領域となる。
【０３５９】
そのため、図４３（Ｂ）の高記録密度光ディスクの記録線密度は、再生信号の最短マークの周波数が、ＯＴＦカットオフ周波数付近の場合（ＯＴＦカットオフ周波数以下だがＯＴＦカットオフ周波数を大きく下回らない場合も含む）からＯＴＦカットオフ周波数以上の場合が想定できる。
【０３６０】
図４６は、最短マーク（２Ｔ）の空間周波数がＯＴＦカットオフ周波数よりも高く、かつ、２Ｔの再生信号の振幅が０であるときの、信号振幅と空間周波数との関係の一例を示したグラフである。図４６において、最短マーク長の２Ｔの空間周波数は、ＯＴＦカットオフ周波数の１．１２倍である。
【０３６１】
＜波長と開口数とマーク長との関係＞
また、高記録密度のディスクＢにおける波長と開口数とマーク長／スペース長との関係は以下の通りである。
【０３６２】
最短マーク長をＴＭｎｍ、最短スペース長をＴＳｎｍとしたとき、（最短マーク長＋最短スペース長）を“Ｐ”で表すと、Ｐは、（ＴＭ＋ＴＳ）ｎｍである。１７変調の場合、Ｐ＝２Ｔ＋２Ｔ＝４Ｔとなる。レーザ波長λ（４０５ｎｍ±５ｎｍ、すなわち４００〜４１０ｎｍ）、開口数ＮＡ（０．８５±０．０１すなわち０．８４〜０．８６）、最短マーク＋最短スペース長Ｐ（１７変調の場合、最短長は２Ｔとなるため、Ｐ＝２Ｔ＋２Ｔ＝４Ｔ）の３つのパラメータを用いると、
Ｐ  ≦  λ／２ＮＡ
となるまで基準Ｔが小さくなると、最短マークの空間周波数は、ＯＴＦカットオフ周波数を超えることになる。
【０３６３】
ＮＡ＝０．８５，λ＝４０５としたときの、ＯＴＦカットオフ周波数に相当する基準Ｔは、
Ｔ  ＝  ４０５／（２ｘ０．８５）／４  ＝  ５９．５５８ｎｍ
となる（なお、逆に、Ｐ  ＞  λ／２ＮＡ  である場合は、最短マークの空間周波数はＯＴＦカットオフ周波数より低い）。
【０３６４】
このように、記録線密度を上げるだけでも、光学的な分解能の限界によりＳＮ比が劣化する。よって、情報記録層の多層化によるＳＮ比劣化は、システムマージンの観点で、許容できない場合がある。特に、上述のように、最短記録マークの周波数が、ＯＴＦカットオフ周波数を越える辺りから、ＳＮ比劣化が顕著になる。
【０３６５】
なお、以上では、最短マークの再生信号の周波数とＯＴＦカットオフ周波数を比較して記録密度に関して述べたものであるが、更に高密度化が進んだ場合には、次最短マーク（更には次々最短マーク（更には次最短マーク以上の記録マーク））の再生信号の周波数とＯＴＦカットオフ周波数との関係により、以上と同様の原理に基づき、それぞれに対応した記録密度（記録線密度，記録容量）を設定してもよい。
【０３６６】
＜記録密度及び層数＞
ここで、波長４０５ｎｍ，開口数０．８５等のスペックを有するＢＤにおける１層あたりの具体的な記録容量としては、最短マークの空間周波数がＯＴＦカットオフ周波数付近である場合においては、例えば、略２９ＧＢ（例えば、２９．０ＧＢ±０．５ＧＢ，あるいは２９ＧＢ±１ＧＢなど）若しくはそれ以上、又は略３０ＧＢ（例えば、３０．０ＧＢ±０．５ＧＢ，あるいは３０ＧＢ±１ＧＢなど）若しくはそれ以上、又は略３１ＧＢ（例えば、３１．０ＧＢ±０．５ＧＢ，又は３１ＧＢ±１ＧＢなど）若しくはそれ以上、又は略３２ＧＢ（例えば、３２．０ＧＢ±０．５ＧＢ，あるいは３２ＧＢ±１ＧＢなど）若しくはそれ以上、などを想定することが可能である。
【０３６７】
また、最短マークの空間周波数がＯＴＦカットオフ周波数以上における、１層あたりの記録容量としては、例えば、略３２ＧＢ（例えば、３２．０ＧＢ±０．５ＧＢ，あるいは３２ＧＢ±１ＧＢなど）若しくはそれ以上、又は略３３ＧＢ（例えば、３３．０ＧＢ±０．５ＧＢ，あるいは３３ＧＢ±１ＧＢなど）若しくはそれ以上、又は略３３．３ＧＢ（例えば、３３．３ＧＢ±０．５ＧＢ，あるいは３３．３ＧＢ±１ＧＢなど）若しくはそれ以上、又は略３３．４ＧＢ（例えば、３３．４ＧＢ±０．５ＧＢ，あるいは３３．４ＧＢ±１ＧＢなど）若しくはそれ以上、又は略３４ＧＢ（例えば、３４．０ＧＢ±０．５ＧＢ，あるいは３４ＧＢ±１ＧＢなど）若しくはそれ以上、又は略３５ＧＢ（例えば、３５．０ＧＢ±０．５ＧＢ，あるいは３５ＧＢ±１ＧＢなど）若しくはそれ以上、などを想定することが可能である。
【０３６８】
特に、記録密度が略３３．３ＧＢである場合、３層で約１００ＧＢ（９９．９ＧＢ）の記録容量が実現でき、略３３．４ＧＢとすると３層で１００ＧＢ以上（１００．２ＧＢ）の記録容量が実現できる。これは、２５ＧＢのＢＤを４層にした場合の記録容量とほぼ同じになる。例えば、記録密度を３３ＧＢとした場合、３３ｘ３＝９９ＧＢで１００ＧＢとの差は１ＧＢ（１ＧＢ以下）、３４ＧＢとした場合、３４ｘ３＝１０２ＧＢで１００ＧＢとの差は２ＧＢ（２ＧＢ以下）、３３．３ＧＢとした場合、３３．３ｘ３＝９９．９ＧＢで１００ＧＢとの差は０．１ＧＢ（０．１ＧＢ以下）、３３．４ＧＢとした場合、３３．４ｘ３＝１００．２ＧＢで１００ＧＢとの差は０．２ＧＢ（０．２ＧＢ以下）となる。
【０３６９】
なお、記録密度が大幅に拡張されると、先に述べたように、最短マークの再生特性の影響により、精密な再生が困難になる。そこで、記録密度の大幅な拡張を抑えつつ、かつ１００ＧＢ以上を実現する記録密度としては、略３３．４ＧＢが現実的である。
【０３７０】
ここで、ディスクの構成を、１層あたり２５ＧＢの４層構造とするか、１層あたり３３〜３４ＧＢの３層構造とするか、の選択肢が生じる。多層化には、各記録層における再生信号振幅の低下（ＳＮ比の劣化）や、多層迷光（隣接する記録層からの信号）の影響などが伴う。そのため、２５ＧＢの４層ディスクではなく、３３〜３４ＧＢの３層ディスクとすることにより、そのような迷光の影響を極力抑えつつ、即ち、より少ない層数（４層ではなく３層）で、約１００ＧＢを実現することが可能となる。そのため、多層化を極力避けつつ約１００ＧＢを実現したいディスクの製造者は、３３〜３４ＧＢの３層化を選択することが可能となる。一方、従来のフォーマット（記録密度２５ＧＢ）のまま約１００ＧＢを実現したいディスク製造者は、２５ＧＢの４層化を選択することが可能となる。このように、異なる目的を有する製造者は、それぞれ異なる構成をによって、それぞれの目的を実現することが可能となり、ディスク設計の自由度を与えることができる。
【０３７１】
また、１層あたりの記録密度を３０〜３２ＧＢ程度とすると、３層ディスクでは１００ＧＢに届かないものの（９０〜９６ＧＢ程度）、４層ディスクでは１２０ＧＢ以上が実現できる。そのうち、記録密度を略３２ＧＢとすると、４層ディスクでは約１２８ＧＢの記録容量が実現できる。この１２８という数字はコンピュータで処理するのに便利な２のべき乗（２の７乗）に整合した数値でもある。そして、３層ディスクで約１００ＧＢを実現する記録密度のものと比べると、最短マークに対する再生特性はこちらの方が厳しくない。
【０３７２】
このことから、記録密度の拡張にあたっては、記録密度を複数種類設けることで（例えば略３２ＧＢと略３３．４ＧＢなど）、複数種類の記録密度と層数との組み合わせにより、ディスクの製造者に対して設計の自由度を与えることが可能となる。例えば、多層化を影響を抑えつつ大容量化を図りたい製造者に対しては３３〜３４ＧＢの３層化による約１００ＧＢの３層ディスクを製造するという選択肢を与え、再生特性を影響を抑えつつ大容量化を図りたい製造者に対しては、３０〜３２ＧＢの４層化による約１２０ＧＢ以上の４層ディスクを製造するという選択肢を与えることが可能となる。
【０３７３】
なお、これまで説明した記録波形は一例である。上述した本発明にかかる実施形態１〜５に適用される、つまり、本発明を適用可能な記録波形はこれに限られない。なお、ここでは、前述の３つの記録波形（Ｎ−１型、Ｎ／２型、キャッスル型ライトストラテジ）を補足的に説明する。
【０３７４】
光ディスクへの記録は、所定の変調則に従って、記録するデータ（ソースデータ）を変調して複数の記録変調符号を生成し、パルス状の光ビームを照射し、前記複数の記録変調符号にそれぞれ対応する長さを有する複数の記録マーク、およびスペース（記録マークと記録マーク間のスペース）を形成することによって行われる。ここで、どのような記録波形に基づいてパルス状の光ビームを発光するかについて、以下で３つのライトストラテジの例を説明する。図４７から図４９のいずれにおいても、説明の便宜上、最短マークが２Ｔ（Ｔは基準クロック、変調の基準周期）の場合を用いるが、これに限るものではない。
【０３７５】
＜Ｎ−１型ライトストラテジ＞
図４７は、第１の記録波形を示した図である。この第１の記録波形は、マルチパルス型のストラテジ、つまり、複数のパルスを含み（マルチパルス）、複数のパルスのうち、先頭に配置されるファーストパルス（幅Ｔｔｏｐ）と、最後尾に配置されるラストパルス（幅Ｔｌｐ）と、ファーストパルスとラストパルスの間に配置される中間パルス（幅Ｔｍｐ）で構成される。なお、記録パワーに関するパラメータとして、Ｐｗは記録パワー、Ｐｂｗはボトムパワー、Ｐｃはクーリングパワー（冷却パワー）、Ｐｓ及びＰｅはバイアスパワー（追記型：Ｐｓはスペースパワー，書換型：Ｐｅは消去パワー）を示す。
【０３７６】
最短マーク（２Ｔ）を記録するための記録波形には、ラストパルスと中間パルスは含まれず、次最短マーク（３Ｔ）を記録するための記録波形には、中間パルスは含まれない。中間パルスは次々最短マーク（４Ｔ）を記録するための記録波形から含まれ、１Ｔ増加する毎に、中間パルスのパルス数も１つ増える。この第１の記録波形の特徴の一つは、ｎＴマーク（ｎは自然数）を記録するための記録波形に含まれるパルス数は（ｎ−１）個となる点である。
【０３７７】
ここで各種パラメータであるが、次のように、記録マークや隣接するスペースの長さに応じて分類して設定してもよい。
【０３７８】
まず、ファーストパルスの立ち上がり位置であるｄＴｔｏｐや幅であるＴｔｏｐは、例えば、記録マークの長さが「２Ｔ」，「３Ｔ」，「４Ｔ以上」の３つに分類して、又は／更に、隣接する先行スペースの長さが「２Ｔ」，「３Ｔ」，「４Ｔ」，「５Ｔ以上」の４つに分類して、設定してもよい。
【０３７９】
また、ラストパルスの幅であるＴｌｐは、例えば、記録マークの長さが「３Ｔ」，「４Ｔ以上」の２つに分類して設定してもよい。
【０３８０】
また、冷却パワーレベルＰｃを設定する終了位置（バイアスパワーレベル：Ｐｓ及びＰｅを設定する開始位置）であるｄＴｓは、例えば、記録マークの長さが「２Ｔ」，「３Ｔ」，「４Ｔ以上」の３つに分類して、設定してもよい。
【０３８１】
＜Ｎ／２型ライトストラテジ＞
図４８は、第２の記録波形を示した図である。この第２の記録波形もマルチパルス型のストラテジである。そして、最短マーク（２Ｔ）及び次最短マーク（３Ｔ）を記録するための記録波形には、ラストパルスと中間パルスは含まれず、次々最短マーク（４Ｔ）及び次々々最短マーク（５Ｔ）を記録するための記録波形には、中間パルスは含まれない。中間パルスは５番目に短いマーク（６Ｔ）を記録するための記録波形から含まれ、２Ｔ増加する毎に、中間パルスのパルス数が１つ増える。この第２の記録波形の特徴の一つは、ｍＴマーク（ｍは自然数）を記録するための記録波形に含まれるパルス数は（ｍ÷２）の商の数となる点である。
【０３８２】
ここで各種パラメータであるが、次のように、記録マークの長さに応じて分類して設定してもよい。
【０３８３】
まず、ファーストパルスの立ち上がり位置であるｄＴｔｏｐや幅であるＴｔｏｐは、例えば、記録マークの長さが「２Ｔ」，「３Ｔ」，「４Ｔ，６Ｔ，８Ｔ」，「５Ｔ，７Ｔ，９Ｔ」の４つに分類して、設定してもよい。
【０３８４】
また、中間パルスの立ち上がり位置であるｄＴｍｐは、例えば、記録マークの長さが「６Ｔ，８Ｔ」、「７Ｔ，９Ｔ」の２つに分類して設定してもよい。また更に、例えば、前者の分類では基準クロック位置と一致させ、後者の分類では基準クロック位置からＴ／２ずらしてもよい。
【０３８５】
また、ラストパルスの立ち上がり位置であるｄＴｌｐや幅であるＴｌｐは、例えば、記録マークの長さが「４Ｔ，６Ｔ，８Ｔ」、「５Ｔ，７Ｔ，９Ｔ」の２つに分類して設定してもよい。また更に、ｄＴｌｐに関して、例えば、前者の分類では基準クロック位置と一致させ、後者の分類では基準クロック位置からＴ／２ずらしてもよい。
【０３８６】
また、冷却パワーレベルＰｃを設定する終了位置（バイアスパワーレベル：Ｐｓ及びＰｅを設定する開始位置）であるｄＴｓは、例えば、記録マークの長さが「２Ｔ」，「３Ｔ」，「４Ｔ，６Ｔ，８Ｔ」、「５Ｔ，７Ｔ，９Ｔ」の４つに分類して、設定してもよい。
【０３８７】
＜キャッスル型ライトストラテジ＞
図４９は、第３の記録波形を示した図である。この第３の記録波形は、マルチパルス型のストラテジである第１・２の記録波形とは異なり、記録パワーＰｗが設定されるパルス間のパワーレベルをボトムパワーＰｂｗまで低下させずに、一定の中間パワーＰｍをとる形状となっている（キャッスル型ライトストラテジ）。先頭に配置されるファーストパルス（幅Ｔｔｏｐ）と、最後尾に配置されるラストパルス（幅Ｔｌｐ）と、ファーストパルスとラストパルスの間に配置される中間パルスで構成される。なお、記録パワーに関するパラメータとして、Ｐｗは記録パワー、Ｐｍは中間パワー、Ｐｃはクーリングパワー（冷却パワー）、Ｐｓ及びＰｅはバイアスパワー（追記型：Ｐｓはスペースパワー，書換型：Ｐｅは消去パワー）を示す。
【０３８８】
最短マーク（２Ｔ）を記録するための記録波形には、ラストパルスと中間パルスは含まれず、次最短マーク（３Ｔ）を記録するための記録波形には、ラストパルスは含まれず、次々最短マーク（４Ｔ）以上の記録マークを記録するための記録波形から、ラストパルスと中間パルスがともに含まれる。また、（３Ｔ以上の記録マークを記録するための記録波形における）ファーストパルスの終了位置と中間パルスの開始位置は一致し、（４Ｔ以上の記録マークを記録するための記録波形における）中間パルスの終了位置とラストパルスの開始位置は一致している。
【０３８９】
なお、キャッスル型のストラテジにはいくつかの形状がある。
【０３９０】
その１つは、いわゆるキャッスル形状（castle-shape）である。「キャッスル形状」とは、記録マークを形成するための記録パルスが１つのパルスで構成され、前記記録パルスの開始位置から第一のパワーレベル（記録パワーＰｗ）が設定される第一の区間と、前記第一の区間の終了位置から前記第一のパワーレベルより低い第二のパワーレベル（中間パワーＰｍ）が設定される第二の区間と、前記第二の区間の終了位置から前記第二のパワーレベルよりも高く、かつ、前記第一のパワーレベルと同じパワーレベル（記録パワーＰｗ）又は低いパワーレベルが設定される第三の区間を含んだ形状を有する記録波形である。または、第三の区間のパワーレベルを第二の区間のパワーレベルと同じにした形状を有する記録波形であるＬ形状（L-shape）も知られている。さらには、第一の区間と第二の区間と第三の区間のパワーレベルを全て同じにした形状を有する記録波形である単一パルス形状（Mono pulse-shape）も知られている。
【０３９１】
また、図４９では説明の便宜上複雑にならないよう、第一の区間のパワーレベルと第三の区間のパワーレベルを一致させているが、異なるレベルを設定しても構わない。先の説明では、第一の区間のパワーレベルが設定されたパルスをファーストパルスと表現し、第二の区間のパワーレベルが設定されたパルスを中間パルスと表現し、第三の区間のパワーレベルが設定されたパルスをラストパルスと表現したものであり、以降の説明においても、先の説明（ファーストパルス，中間パルス，ラストパルス）の表現を用いることとする。
【０３９２】
ここで各種パラメータであるが、次のように、記録マークや隣接するスペースの長さに応じて分類して設定してもよい。
【０３９３】
まず、ファーストパルスの立ち上がり位置であるｄＴｔｏｐや幅であるＴｔｏｐは、例えば、記録マークの長さが「２Ｔ」，「３Ｔ」，「４Ｔ以上」の３つに分類して、又は／更に、例えば、隣接する先行スペースの長さが「２Ｔ」，「３Ｔ」，「４Ｔ以上」の３つに分類して、設定してもよい。
【０３９４】
また、ラストパルスの幅であるＴｌｐは、例えば、記録マークの長さが「４Ｔ以上」の１つに分類して設定（ラストパルスを含む４Ｔ以上すべてにおいて同じ幅を設定）してもよい。
【０３９５】
また、冷却パワーレベルＰｃを設定する開始位置であるｄＴｃは、例えば、記録マークの長さが「３Ｔ」，「４Ｔ」，「５Ｔ以上」の３つに分類して、設定してもよい。
【０３９６】
また、冷却パワーレベルＰｃを設定する終了位置（バイアスパワーレベル：Ｐｓ及びＰｅを設定する開始位置）であるｄＴｓは、例えば、記録マークの長さが「２Ｔ」，「３Ｔ」，「４Ｔ以上」の３つに分類して、設定してもよい。
【０３９７】
なお、以上では、各分類の設定は、説明の便宜上、本発明の分類例とは異なる例を用いて説明した。例えば、記録マークの長さのみによる分類や、記録マークの長さとそれに隣接する一方のスペースのみの長さとの組み合わせによる分類の例である。しかし、当然の事ながら、本発明の各分類例に従って分類しても構わない。
【０３９８】
また、記録密度（１層あたり２５ＧＢ と、１層あたり３２ＧＢ及び／又は３３．４ＧＢ）や記録媒体の種別（再生専用型，追記記録型，書換記録型など）によって、この分類のさせ方を異ならせてもよい。
【０３９９】
また、各パルスの設定や各パワーレベルの設定の際に、その位置や幅は、第１〜３の記録波形いずれにおいても、Ｔ／１６を単位として調整してもよい。あるいは、更に細かくＴ／３２を単位としてもよい。また、記録密度（１層あたり２５ＧＢと、１層あたり３２ＧＢ及び／又は３３．４ＧＢ）や記録媒体の種別（追記記録型，書換記録型など）によって、この調整単位を異ならせてもよい。
【０４００】
ここで、各記録波形と記録速度との関係については、第１の記録波形よりも第２の記録波形の方が高速な記録に適し、第２の記録波形よりも第３の記録波形の方がより高速な記録に適していることが言える。なぜなら、第３の記録波形よりも第２の記録波形の方が、また第２の記録波形よりも第１の記録波形の方が、記録パワーＰｗの発光回数が多くなり、つまり、パルスの立ち上がり時間と立ち下がり時間に要する累積が多くなり、高速処理に影響を及ぼすためである。この点を考慮して、光ディスクに記録条件を格納する場合に、次のようにしてもよい。
【０４０１】
まず、記録速度：１ｘに対応する記録条件を格納する場合、例えば、第１の記録波形に関するパラメータの格納を必須とし、第２の記録波形に関するパラメータの格納をオプションとしてもよい。また更に、記録速度：１ｘの場合は、例えば、第３の記録波形は適用させないようにしてもよい。
【０４０２】
また、記録速度：２ｘに対応する記録条件を格納する場合、例えば、第１の記録波形に関するパラメータの格納をオプションとし、第２の記録波形に関するパラメータの格納をオプションとし、第３の記録波形に関するパラメータの格納をオプションとしてもよい。また更に、例えば、第１の記録波形に関するパラメータと第２の記録波形に関するパラメータの少なくとも一方の格納を必須とするようにしてもよい。
【０４０３】
また、記録速度：４ｘに対応する記録条件を格納する場合、例えば、第３の記録波形に関するパラメータの格納を必須としてもよい。また更に、記録速度：４ｘの場合は、例えば、第１及び２の記録波形は適用させないようにしてもよい。
【０４０４】
また、記録速度：６ｘに対応する記録条件を格納する場合、例えば、第３の記録波形に関するパラメータの格納を必須としてもよい。また更に、記録速度：６ｘの場合は、例えば、第１及び２の記録波形は適用させないようにしてもよい。
【０４０５】
また、記録速度：８ｘ以上に対応する記録条件を格納する場合、例えば、記録速度：４ｘ及び６ｘと同じ条件、つまり、第３の記録波形に関するパラメータの格納を必須としてもよく、また更に、記録速度：６ｘの場合は、例えば、第１及び２の記録波形は適用させないようにしてもよい。
【０４０６】
また、上記の記録条件の格納に関して、ＨＴＬ（High to Low：記録部の反射率が未記録部の反射率よりも低い）の場合と、ＬＴＨ（Low to High：記録部の反射率が未記録部の反射率よりも高い）の場合とで、同じ内容を格納しても、異なる内容を格納しても、構わない。
【産業上の利用可能性】
【０４０７】
本発明は、情報記録媒体に高密度の記録を行う技術分野において特に有用である。
【０４０８】
また、本発明によると、記録密度の高密度化や記録媒体の多層化に伴って記録再生制御情報が増大した場合でも、適切に記録再生制御情報を読み出すことができるため、ディスクフォーマットの変更リスクを低減することで、汎用的な高密度情報記録媒体の実現に貢献することができる。
【０４０９】
また、本発明によると、従来密度で記録を行う情報記録媒体と、高密度で記録を行う情報記録媒体が混在した場合でも、ＤＩの再生アルゴリズムの差異を最小限にすることができるため、高密度の情報記録媒体の実現に有用である。
【符号の説明】
【０４１０】
９０１  拡張したキャッスル型ライトストラテジの記録パルス情報部のクーリングパルス開始位置拡張ｄＴｃ
９０２  拡張したキャッスル型ライトストラテジの記録パルス情報部のトップパルス開始位置拡張ｄＴｔｏｐ
９０３  拡張したキャッスル型ライトストラテジの記録パルス情報部のトップパルス幅拡張Ｔｔｏｐ
９０４  拡張したキャッスル型ライトストラテジの記録パルス情報部のラストパルス幅拡張Ｔｌｐ
９０５  拡張したキャッスル型ライトストラテジの記録パルス情報部のクーリングパルス終了位置拡張ｄＴｓ
９０６  拡張したキャッスル型ライトストラテジの記録パルス情報部の空き情報
９１４  拡張したキャッスル型ライトストラテジの記録再生制御情報のディスク制御部
９１５  拡張したキャッスル型ライトストラテジの記録再生制御情報のパワー情報部
９１６  拡張したキャッスル型ライトストラテジの記録再生制御情報の記録パルス情報部
９１７  拡張したキャッスル型ライトストラテジの記録再生制御情報の記録パルス情報の基本部
９１８  拡張したキャッスル型ライトストラテジの記録再生制御情報の記録パルス情報の拡張部
１０００  光ディスク装置
１００１  情報記録媒体
１００２  光ヘッド部
１００３  レーザ制御部
１００４  記録パルス生成部
１００５  再生信号処理部
１００６  データ処理部
１００７  コントローラ部
１００８  メモリ部
【手続補正２】
【補正対象書類名】特許請求の範囲
【補正対象項目名】全文
【補正方法】変更
【補正の内容】
【特許請求の範囲】
【請求項１】
マークとスペースとを組み合わせたデータ列が記録可能な情報記録媒体において、
前記情報記録媒体は少なくとも１つの情報記録層を有し、
前記少なくとも１つの情報記録層は、情報を記録するための情報記録領域と、前記少なくとも１つの情報記録層に記録再生を行うための制御情報領域とを有し、
前記制御情報領域は、少なくとも１つの制御情報を有し、
前記少なくとも１つの制御情報は、基準値として使用される情報が格納された第１の記録パルス情報と、オフセット値として使用される情報が格納された第２の記録パルス情報とを有しており、
前記オフセット値の情報量は、記録パルスのパルス幅またはパルス位置を、１Ｔ（Ｔ：チャネルクロック）のｎ分の１（ｎ：正の整数）の精度で定義可能なとき、少なくとも２分のｎの範囲を定義可能な情報量である、情報記録媒体。
【請求項２】
前記第１の記録パルス情報は、前または後ろのスペースの長さが、５Ｔ以上（Ｔ：チャネルクロック）のときの記録パルスに関して基準値として使用される情報を有する、請求項１に記載の情報記録媒体。
【請求項３】
前記第１の記録パルス情報には、ｎＴ以下（ｎ：整数）のマーク長さまで、各マーク長さにおいて、少なくとも１つの基準値として使用される情報が定義されている、請求項１に記載の情報記録媒体。
【請求項４】
前記第２の記録パルス情報には、最短となるマークについてのみ、前スペースかつ後スペースで分類されたオフセット値として使用される情報が定義されている、請求項１に記載の情報記録媒体。
【請求項５】
請求項１に記載の情報記録媒体へ情報を記録する方法であって、
前記制御情報領域から前記制御情報を読み出すステップと、
読み出された前記制御情報に含まれる前記第１の記録パルス情報と前記第２の記録パルス情報とに基づいて、前記情報記録領域へ記録するための記録波形を調整するステップと、
調整された前記記録波形に基づいて、前記情報記録領域へデータ列を記録するステップと、を含む、記録方法。
【請求項６】
請求項１に記載の情報記録媒体から情報を再生する方法であって、
前記情報記録領域へレーザを照射するステップと、
前記制御情報に含まれる前記第１の記録パルス情報と前記第２の記録パルス情報とに基づいて調整された記録波形によって、前記情報記録領域へ記録されたデータ列を再生するステップと、を含む、再生方法。
【請求項７】
マークとスペースとを組み合わせたデータ列が記録可能な情報記録媒体を製造するための方法であって、
基板上に情報記録層を積層し、前記情報記録層上に透明保護層を積層するステップと、
前記情報記録層に、情報を記録するための情報記録領域を形成するステップと、
前記情報記録層に記録再生を行うための情報である制御情報を記録するための制御情報領域を形成するステップと、
前記制御情報領域に前記制御情報を記録するステップと、を有し、
前記制御情報は、基準値として用いられる情報が格納された第１の記録パルス情報と、オフセット値として用いられる情報が格納された第２の記録パルス情報とを有しており、
前記オフセット値の情報量は、記録パルスのパルス幅またはパルス位置を、１Ｔ（Ｔ：チャネルクロック）のｎ分の１（ｎ：正の整数）の精度で定義可能なとき、少なくとも２分のｎの範囲を定義可能な情報量である、情報記録媒体の製造方法。
【請求項８】
請求項７に記載の製造方法によって製造された情報記録媒体へ情報を記録する方法であって、
前記制御情報領域から前記制御情報を読み出すステップと、
読み出された前記制御情報に含まれる前記第１の記録パルス情報と前記第２の記録パルス情報とに基づいて、前記情報記録領域へ記録するための記録波形を調整するステップと、
調整された前記記録波形に基づいて、前記情報記録領域へデータ列を記録するステップと、を含む、記録方法。
【請求項９】
請求項７に記載の製造方法によって製造された情報記録媒体から情報を再生する方法であって、
前記情報記録領域へレーザを照射するステップと、
前記制御情報に含まれる前記第１の記録パルス情報と前記第２の記録パルス情報とに基づいて調整された記録波形によって、前記情報記録領域に記録されたデータ列を再生するステップと、を含む、再生方法。
【請求項１０】
マークとスペースとを組み合わせたデータ列が記録可能な情報記録媒体において、
前記情報記録媒体は少なくとも１つの情報記録層を有し、
前記少なくとも１つの情報記録層は、情報を記録するための情報記録領域と、前記少なくとも１つの情報記録層に記録再生を行うための制御情報領域とを有し、
前記制御情報領域は、少なくとも１つの制御情報を有し、
前記少なくとも１つの制御情報は、基準値として使用される情報が格納された第１の記録パルス情報と、オフセット値として使用される情報が格納された第２の記録パルス情報とを有しており、
前記オフセット値の情報量は、前記基準値の情報量の２分の１以上である、情報記録媒体。
【請求項１１】
前記第１の記録パルス情報は、前または後ろのスペースの長さが、５Ｔ以上（Ｔ：チャネルクロック）のときの記録パルスに関して基準値として使用される情報を有する、請求項１０に記載の情報記録媒体。
【請求項１２】
前記第１の記録パルス情報には、ｎＴ以下（ｎ：整数）のマーク長さまで、各マーク長さにおいて、少なくとも１つの基準値として使用される情報が定義されている、請求項１０に記載の情報記録媒体。
【請求項１３】
前記第２の記録パルス情報には、最短となるマークについてのみ、前スペースかつ後スペースで分類された、オフセット値として使用される情報が定義されている、請求項１０に記載の情報記録媒体。
【請求項１４】
請求項１０に記載の情報記録媒体へ情報を記録する方法であって、
前記制御情報領域から前記制御情報を読み出すステップと、
読み出された前記制御情報に含まれる前記第１の記録パルス情報と前記第２の記録パルス情報とに基づいて、前記情報記録領域へ記録するための記録波形を調整するステップと、
調整された前記記録波形に基づいて、前記情報記録領域へデータ列を記録するステップと、を含む、記録方法。
【請求項１５】
請求項１０に記載の情報記録媒体から情報を再生する方法であって、
前記情報記録領域へレーザを照射するステップと、
前記制御情報に含まれる前記第１の記録パルス情報と前記第２の記録パルス情報とに基づいて調整された記録波形によって、前記情報記録領域へ記録されたデータ列を再生するステップと、を含む、再生方法。
【請求項１６】
マークとスペースとを組み合わせたデータ列が記録可能な情報記録媒体を製造するための方法であって、
基板上に情報記録層を積層し、前記情報記録層上に透明保護層を積層するステップと、
前記情報記録層に、情報を記録するための情報記録領域を形成するステップと、
前記情報記録層に記録再生を行うための情報である制御情報を記録するための制御情報領域を形成するステップと、
前記制御情報領域に前記制御情報を記録するステップと、を有し、
前記制御情報は、基準値として用いられる情報が格納された第１の記録パルス情報と、オフセット値として用いられる情報が格納された第２の記録パルス情報とを有しており、
前記オフセット値の情報量は、前記基準値の情報量の２分の１以上である、情報記録媒体の製造方法。
【請求項１７】
請求項１６に記載の製造方法によって製造された情報記録媒体へ情報を記録する方法であって、
前記制御情報領域から前記制御情報を読み出すステップと、
読み出された前記制御情報に含まれる前記第１の記録パルス情報と前記第２の記録パルス情報とに基づいて、前記情報記録領域へ記録するための記録波形を調整するステップと、
調整された前記記録波形に基づいて、前記情報記録領域へデータ列を記録するステップと、を含む、記録方法。
【請求項１８】
請求項１６に記載の製造方法によって製造された情報記録媒体から情報を再生する方法であって、
前記情報記録領域へレーザを照射するステップと、
前記制御情報に含まれる前記第１の記録パルス情報と前記第２の記録パルス情報とに基づいて調整された記録波形によって、前記情報記録領域へ記録されたデータ列を再生するステップと、を含む、再生方法。
【手続補正３】
【補正対象書類名】図面
【補正対象項目名】全図
【補正方法】変更
【補正の内容】
【図１】
2010103770.tif 000052
【図２】
2010103770.tif 000053
【図３】
2010103770.tif 000054
【図４】
2010103770.tif 000055
【図５】
2010103770.tif 000056
【図６】
2010103770.tif 000057
【図７】
2010103770.tif 000058
【図８】
2010103770.tif 000059
【図９】
2010103770.tif 000060
【図１０】
2010103770.tif 000061
【図１１】
2010103770.tif 000062
【図１２】
2010103770.tif 000063
【図１３】
2010103770.tif 000064
【図１４】
2010103770.tif 000065
【図１５】
2010103770.tif 000066
【図１６】
2010103770.tif 000067
【図１７】
2010103770.tif 000068
【図１８】
2010103770.tif 000069
【図１９】
2010103770.tif 000070
【図２０】
2010103770.tif 000071
【図２１】
2010103770.tif 000072
【図２２】
2010103770.tif 000073
【図２３】
2010103770.tif 000074
【図２４】
2010103770.tif 000075
【図２５】
2010103770.tif 000076
【図２６】
2010103770.tif 000077
【図２７】
2010103770.tif 000078
【図２８】
2010103770.tif 000079
【図２９】
2010103770.tif 000080
【図３０】
2010103770.tif 000081
【図３１】
2010103770.tif 000082
【図３２】
2010103770.tif 000083
【図３３】
2010103770.tif 000084
【図３４】
2010103770.tif 000085
【図３５】
2010103770.tif 000086
【図３６】
2010103770.tif 000087
【図３７】
2010103770.tif 000088
【図３８】
2010103770.tif 000089
【図３９】
2010103770.tif 000090
【図４０】
2010103770.tif 000091
【図４１】
2010103770.tif 000092
【図４２】
2010103770.tif 000093
【図４３】
2010103770.tif 000094
【図４４】
2010103770.tif 000095
【図４５】
2010103770.tif 000096
【図４６】
2010103770.tif 000097
【図４７】
2010103770.tif 000098
【図４８】
2010103770.tif 000099
【図４９】
2010103770.tif 000100
【国際調査報告】
2010103770.tif 000101
2010103770.tif 000102